(57)【要約】【課題】積和演算が可能な半導体装置を提供する。【解決手段】第１メモリセルと、第２メモリセルと、オフセット回路と、を有する半導体装置であり、第１メモリセルに第１アナログデータを保持し、第２メモリセルに参照アナログデータを保持し、第２アナログデータに応じた電位を選択信号として印加することにより、第１アナログデータと第２アナログデータの積和に依存した電流を取得する。オフセット回路は定電流回路を有し、定電流回路はトランジスタと、容量素子と、を有する。トランジスタの第１端子は、トランジスタの第１ゲートと、容量素子の第１端子と、に電気的に接続され、トランジスタの第２ゲートは、容量素子の第２端子と、電気的に接続されている。トランジスタの第１端子と第２ゲートとの間の電位を容量素子で保持することによって、トランジスタのソース‐ドレイン間に流れる電流の変動を抑制する。【選択図】図３
2018124977.tif 000002
【特許請求の範囲】
【請求項１】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４トランジスタと、第５トランジスタと、第２容量素子と、を有し、
前記第４トランジスタは、第１ゲートと、第２ゲートと、を有し、
前記第２定電流回路は、第６トランジスタと、第７トランジスタと、第３容量素子と、を有し、
前記第６トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第２容量素子の第１端子と電気的に接続され、
前記第４トランジスタの第２ゲートは、前記第４トランジスタの第１端子と電気的に接続され、
前記第２容量素子の第２端子は、前記第４トランジスタの第１端子と電気的に接続され、
前記第５トランジスタの第１端子は、前記第４トランジスタの第１ゲートと電気的に接続され、
前記第６トランジスタの第１端子は、前記第２配線と電気的に接続され、
前記第６トランジスタの第１ゲートは、前記第３容量素子の第１端子と電気的に接続され、
前記第６トランジスタの第２ゲートは、前記第６トランジスタの第１端子と電気的に接続され、
前記第３容量素子の第２端子は、前記第６トランジスタの第１端子と電気的に接続され、
前記第７トランジスタの第１端子は、前記第６トランジスタの第１ゲートと電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項２】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４トランジスタと、第５トランジスタと、第２容量素子と、を有し、
前記第４トランジスタは、第１ゲートと、第２ゲートと、を有し、
前記第２定電流回路は、第６トランジスタと、第７トランジスタと、第３容量素子と、を有し、
前記第６トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第４トランジスタの第１端子と電気的に接続され、
前記第４トランジスタの第２ゲートは、前記第２容量素子の第１端子と電気的に接続され、
前記第２容量素子の第２端子は、前記第４トランジスタの第１端子と電気的に接続され、
前記第５トランジスタの第１端子は、前記第４トランジスタの第２ゲートと電気的に接続され、
前記第６トランジスタの第１端子は、前記第２配線と電気的に接続され、
前記第６トランジスタの第１ゲートは、前記第６トランジスタの第１端子と電気的に接続され、
前記第６トランジスタの第２ゲートは、前記第３容量素子の第１端子と電気的に接続され、
前記第３容量素子の第２端子は、前記第６トランジスタの第１端子と電気的に接続され、
前記第７トランジスタの第１端子は、前記第６トランジスタの第２ゲートと電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項３】
請求項１、又は請求項２において、
前記第１乃至第７トランジスタは、チャネル形成領域に金属酸化物を有することを特徴とする半導体装置。
【請求項４】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４乃至第６トランジスタと、第２容量素子と、第３容量素子と、を有し、
前記第４トランジスタは、第１ゲートと、第２ゲートと、を有し、
前記第２定電流回路は、第７乃至第９トランジスタと、第４容量素子と、第５容量素子と、を有し、
前記第７トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第２容量素子の第１端子と電気的に接続され、
前記第４トランジスタの第２ゲートは、前記第３容量素子の第１端子と電気的に接続され、
前記第５トランジスタの第１端子は、前記第４トランジスタの第１ゲートと電気的に接続され、
前記第６トランジスタの第１端子は、前記第４トランジスタの第２ゲートと電気的に接続され、
前記第２容量素子の第２端子は、前記第４トランジスタの第１端子と電気的に接続され、
前記第３容量素子の第２端子は、前記第４トランジスタの第１端子と電気的に接続され、
前記第７トランジスタの第１端子は、前記第２配線と電気的に接続され、
前記第７トランジスタの第１ゲートは、前記第４容量素子の第１端子と電気的に接続され、
前記第７トランジスタの第２ゲートは、前記第５容量素子の第１端子と電気的に接続され、
前記第８トランジスタの第１端子は、前記第７トランジスタの第１ゲートと電気的に接続され、
前記第９トランジスタの第１端子は、前記第７トランジスタの第２ゲートと電気的に接続され、
前記第４容量素子の第２端子は、前記第７トランジスタの第１端子と電気的に接続され、
前記第５容量素子の第２端子は、前記第７トランジスタの第１端子と電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項５】
請求項４において、
前記第１乃至第９トランジスタは、チャネル形成領域に金属酸化物を有することを特徴とする半導体装置。
【請求項６】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４トランジスタと、第１ダイオードと、第２容量素子と、を有し、
前記第４トランジスタは、第１ゲートと、第２ゲートと、を有し、
前記第２定電流回路は、第５トランジスタと、第２ダイオードと、第３容量素子と、を有し、
前記第５トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第２容量素子の第１端子と電気的に接続され、
前記第４トランジスタの第２ゲートは、前記第４トランジスタの第１端子と電気的に接続され、
前記第２容量素子の第２端子は、前記第４トランジスタの第１端子と電気的に接続され、
前記第１ダイオードの出力端子は、前記第４トランジスタの第１ゲートと電気的に接続され、
前記第５トランジスタの第１端子は、前記第２配線と電気的に接続され、
前記第５トランジスタの第１ゲートは、前記第３容量素子の第１端子と電気的に接続され、
前記第５トランジスタの第２ゲートは、前記第５トランジスタの第１端子と電気的に接続され、
前記第３容量素子の第２端子は、前記第５トランジスタの第１端子と電気的に接続され、
前記第２ダイオードの出力端子は、前記第５トランジスタの第１ゲートと電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項７】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４トランジスタと、第１ダイオードと、第２容量素子と、を有し、
前記第４トランジスタは、第１ゲートと、第２ゲートと、を有し、
前記第２定電流回路は、第５トランジスタと、第２ダイオードと、第３容量素子と、を有し、
前記第５トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第４トランジスタの第１端子と電気的に接続され、
前記第４トランジスタの第２ゲートは、前記第２容量素子の第１端子と電気的に接続され、
前記第２容量素子の第２端子は、前記第４トランジスタの第１端子と電気的に接続され、
前記第１ダイオードの出力端子は、前記第４トランジスタの第２ゲートと電気的に接続され、
前記第５トランジスタの第１端子は、前記第２配線と電気的に接続され、
前記第５トランジスタの第１ゲートは、前記第５トランジスタの第１端子と電気的に接続され、
前記第５トランジスタの第２ゲートは、前記第３容量素子の第１端子と電気的に接続され、
前記第３容量素子の第２端子は、前記第５トランジスタの第１端子と電気的に接続され、
前記第２ダイオードの第１端子は、前記第５トランジスタの第２ゲートと電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項８】
オフセット回路と、第１メモリセルと、第２メモリセルと、を有し、
前記オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、
前記第１定電流回路は、第４トランジスタと、第１ダイオードと、第２ダイオードと、第２容量素子と、第３容量素子と、を有し、
前記第４トランジスタは、第１ゲートと、第２ゲートと、を有し、
前記第２定電流回路は、第５トランジスタと、第３ダイオードと、第４ダイオードと、第４容量素子と、第５容量素子と、を有し、
前記第５トランジスタは、第１ゲートと、第２ゲートと、を有し、
前記第１トランジスタの第１端子は、前記第２トランジスタの第１端子と電気的に接続され、
前記第１トランジスタのゲートは、前記第２トランジスタの第２端子と電気的に接続され、
前記第２トランジスタの第１端子は、前記第１配線と電気的に接続され、
前記第３トランジスタの第１端子は、前記第２トランジスタの第２端子と電気的に接続され、
前記第１容量素子の第１端子は、前記第１トランジスタのゲートと電気的に接続され、
前記第４トランジスタの第１端子は、前記第１配線と電気的に接続され、
前記第４トランジスタの第１ゲートは、前記第２容量素子の第１端子と電気的に接続され、
前記第４トランジスタの第２ゲートは、前記第３容量素子の第１端子と電気的に接続され、
前記第１ダイオードの出力端子は、前記第４トランジスタの第１ゲートと電気的に接続され、
前記第２ダイオードの出力端子は、前記第４トランジスタの第２ゲートと電気的に接続され、
前記第２容量素子の第２端子は、前記第４トランジスタの第１端子と電気的に接続され、
前記第３容量素子の第２端子は、前記第４トランジスタの第１端子と電気的に接続され、
前記第５トランジスタの第１端子は、前記第２配線と電気的に接続され、
前記第５トランジスタの第１ゲートは、前記第４容量素子の第１端子と電気的に接続され、
前記第５トランジスタの第２ゲートは、前記第５容量素子の第１端子と電気的に接続され、
前記第３ダイオードの出力端子は、前記第５トランジスタの第１ゲートと電気的に接続され、
前記第４ダイオードの出力端子は、前記第５トランジスタの第２ゲートと電気的に接続され、
前記第４容量素子の第２端子は、前記第５トランジスタの第１端子と電気的に接続され、
前記第５容量素子の第２端子は、前記第５トランジスタの第１端子と電気的に接続され、
前記第１配線は、前記第１出力端子と電気的に接続され、
前記第２配線は、前記第２出力端子と電気的に接続され、
前記カレントミラー回路は、前記第２配線の電位に応じた第１電流を、前記第１配線と、前記第２配線と、に出力する機能を有し、
前記第１メモリセルは、前記第１出力端子と電気的に接続され、
前記第２メモリセルは、前記第２出力端子と電気的に接続されることを特徴とする半導体装置。
【請求項９】
請求項６乃至請求項８のいずれか一において、
前記第１乃至第５トランジスタは、チャネル形成領域に金属酸化物を有することを特徴とする半導体装置。
【請求項１０】
請求項１乃至請求項９のいずれか一において、
前記カレントミラー回路は、第１０トランジスタと、第１１トランジスタと、を有し、
前記第１０トランジスタの第１端子は、前記第１配線と電気的に接続され、
前記第１０トランジスタのゲートは、前記第２配線と電気的に接続され、
前記第１１トランジスタの第１端子は、前記第２配線と電気的に接続され、
前記第１１トランジスタのゲートは、前記第２配線と電気的に接続されることを特徴とする半導体装置。
【請求項１１】
請求項１乃至請求項１０のいずれか一において、
前記第１メモリセルは、第１２トランジスタと、第１３トランジスタと、第６容量素子と、を有し、
前記第２メモリセルは、第１４トランジスタと、第１５トランジスタと、第７容量素子と、を有し、
前記第１２トランジスタの第１端子は、前記第１３トランジスタのゲートと電気的に接続され、
前記第６容量素子の第１端子は、前記第１２トランジスタの第１端子と電気的に接続され、
前記第１３トランジスタの第１端子は、前記第１出力端子と電気的に接続され、
前記第１４トランジスタの第１端子は、前記第１５トランジスタのゲートと電気的に接続され、
前記第７容量素子の第１端子は、前記第１４トランジスタの第１端子と電気的に接続され、
前記第１５トランジスタの第１端子は、前記第２出力端子と電気的に接続されることを特徴とする半導体装置。
【請求項１２】
請求項１乃至請求項１１のいずれか一に記載の半導体装置を複数個有し、
ダイシング用の領域を有する半導体ウェハ。
【請求項１３】
請求項１乃至請求項１１のいずれか一に記載の半導体装置と、筐体と、を有する電子機器。
【請求項１４】
請求項１３において、
請求項１乃至請求項１１のいずれか一に記載の半導体装置を用いて、パターン認識、又は連想記憶の処理を行う機能を有する電子機器。
【請求項１５】
請求項１３、又は請求項１４において、
表示装置を有し、
前記表示装置は、反射型素子と、発光型素子又は透過型素子の一方と、を有することを特徴とする電子機器。
【請求項１６】
請求項１４に記載の電子機器と、生体情報を取得する装置と、を有する生体認証システム。
【請求項１７】
請求項１４に記載の電子機器を用いた映像配信システムであって、
映像データのエンコード処理を行う機能と、
前記エンコード処理が行われた前記映像データを送信する機能と、を有する映像配信システム。
【発明の詳細な説明】
【技術分野】
【０００１】
本発明の一態様は、半導体装置、及び該半導体装置を有するシステムに関する。
【０００２】
なお本発明の一態様は、上記の技術分野に限定されない。本明細書等で開示する発明の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、液晶表示装置、発光装置、蓄電装置、撮像装置、記憶装置、プロセッサ、電子機器、それらの駆動方法、それらの製造方法、それらの検査方法、またはそれらのシステムを一例として挙げることができる。
【背景技術】
【０００３】
人工ニューラルネットワーク（以後、ニューラルネットワークと呼称する。）は、神経回路網をモデルにした情報処理システムである。ニューラルネットワークを利用することで、従来のノイマン型コンピュータよりも高性能なコンピュータが実現できると期待されており、近年、電子回路上でニューラルネットワークを構築する種々の研究が進められている。
【０００４】
ニューラルネットワークでは、ニューロンを模したユニットが、シナプスを模したユニットを介して、互いに結合された構成となっている。この結合の強度を変更することで、様々な入力パターンに対して学習し、パターン認識や連想記憶などを高速に実行できると考えられている。また、非特許文献１には、ニューラルネットワークによる自己学習機能を備えたチップに関する技術が記載されている。
【先行技術文献】
【非特許文献】
【０００５】
【非特許文献１】Ｙｕｔａｋａ  Ａｒｉｍａ  ｅｔ  ａｌ，”Ａ  Ｓｅｌｆ−Ｌｅａｒｎｉｎｇ  Ｎｅｕｒａｌ  Ｎｅｔｗｏｒｋ  Ｃｈｉｐ  ｗｉｔｈ  １２５  Ｎｅｕｒｏｎｓ  ａｎｄ  １０Ｋ  Ｓｅｌｆ−Ｏｒｇａｎｉｚａｔｉｏｎ  Ｓｙｎａｐｓｅｓ”，  ＩＥＥＥ  ＪＯＵＲＮＡＬ  ＯＦ  ＳＯＬＩＤ−ＳＴＡＴＥ  ＣＩＲＣＵＩＴＳ，  ＶＯＬ．２６，ＮＯ．４，  ＡＰＲＩＬ  １９９１，  ｐｐ．６０７−６１１
【発明の概要】
【発明が解決しようとする課題】
【０００６】
ニューラルネットワークを半導体装置として構築するには、第１ニューロン回路と第２ニューロン回路との間の結合強度を記憶し、第１ニューロン回路の出力とその結合強度とを乗じて足し合わせる積和演算を実行するシナプス回路を実現する必要がある。つまり、結合強度を保持するメモリ、積和演算を実行する乗算回路と加算回路などを該半導体装置に実装する必要がある。
【０００７】
該メモリ、該乗算回路、該加算回路などをデジタル回路で構成する場合、該メモリは、多ビットの情報の記憶ができる仕様とする必要があり、加えて、該乗算回路、及び該加算回路は、多ビットの演算を取り扱うことができる仕様とする必要がある。つまり、ニューラルネットワークをデジタル回路で構成するには、大規模なメモリ、大規模な乗算回路、及び大規模な加算回路が必要となり、そのため、該デジタル回路のチップ面積が増大する。
【０００８】
本発明の一態様は、新規な半導体装置を提供することを課題の一つとする。又は、本発明の一態様は、新規な半導体装置を有するモジュールを提供することを課題の一とする。又は、本発明の一態様は、新規な半導体装置を有するモジュールを使用した電子機器を提供することを課題の一とする。又は、本発明の一態様は、新規な半導体装置を有するモジュールを利用したシステムを提供することを課題の一とする。
【０００９】
又は、本発明の一態様は、回路面積が小さい半導体装置を提供することを課題の一とする。又は、本発明の一態様は、消費電力が低減された半導体装置を提供することを課題の一とする。又は、本発明の一態様は、認証機能を有する新規の半導体装置を提供することを課題の一とする。又は、本発明の一態様は、画像データの圧縮を行う新規の半導体装置を提供することを課題の一とする。
【００１０】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した記載、及び他の課題のうち、少なくとも一つの課題を解決するものである。なお、本発明の一態様は、上記列挙した記載、及び他の課題の全てを解決する必要はない。
【課題を解決するための手段】
【００１１】
（１）
本発明の一態様は、オフセット回路と、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４トランジスタと、第５トランジスタと、第２容量素子と、を有し、第４トランジスタは、トランジスタであって、第１ゲートと、第２ゲートと、を有し、第２定電流回路は、第６トランジスタと、第７トランジスタと、第３容量素子と、を有し、第６トランジスタは、トランジスタであって、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第２容量素子の第１端子と電気的に接続され、第４トランジスタの第２ゲートは、第４トランジスタの第１端子と電気的に接続され、第２容量素子の第２端子は、第４トランジスタの第１端子と電気的に接続され、第５トランジスタの第１端子は、第４トランジスタの第１ゲートと電気的に接続され、第６トランジスタの第１端子は、第２配線と電気的に接続され、第６トランジスタの第１ゲートは、第３容量素子の第１端子と電気的に接続され、第６トランジスタの第２ゲートは、第６トランジスタの第１端子と電気的に接続され、第３容量素子の第２端子は、第６トランジスタの第１端子と電気的に接続され、第７トランジスタの第１端子は、第６トランジスタの第１ゲートと電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１２】
（２）
又は、本発明の一態様は、オフセット回路と、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４トランジスタと、第５トランジスタと、第２容量素子と、を有し、第４トランジスタは、第１ゲートと、第２ゲートと、を有し、第２定電流回路は、第６トランジスタと、第７トランジスタと、第３容量素子と、を有し、第６トランジスタは、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第４トランジスタの第１端子と電気的に接続され、第４トランジスタの第２ゲートは、第２容量素子の第１端子と電気的に接続され、第２容量素子の第２端子は、第４トランジスタの第１端子と電気的に接続され、第５トランジスタの第１端子は、第４トランジスタの第２ゲートと電気的に接続され、第６トランジスタの第１端子は、第２配線と電気的に接続され、第６トランジスタの第１ゲートは、第６トランジスタの第１端子と電気的に接続され、第６トランジスタの第２ゲートは、第３容量素子の第１端子と電気的に接続され、第３容量素子の第２端子は、第６トランジスタの第１端子と電気的に接続され、第７トランジスタの第１端子は、第６トランジスタの第２ゲートと電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１３】
（３）
又は、本発明の一態様は、前記（１）、又は前記（２）において、第１乃至第７トランジスタは、チャネル形成領域に金属酸化物を有することを特徴とする半導体装置である。
【００１４】
（４）
又は、本発明の一態様は、オフセット回路と、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４乃至第６トランジスタと、第２容量素子と、第３容量素子と、を有し、第４トランジスタは、第１ゲートと、第２ゲートと、を有し、第２定電流回路は、第７乃至第９トランジスタと、第４容量素子と、第５容量素子と、を有し、第７トランジスタは、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第２容量素子の第１端子と電気的に接続され、第４トランジスタの第２ゲートは、第３容量素子の第１端子と電気的に接続され、第５トランジスタの第１端子は、第４トランジスタの第１ゲートと電気的に接続され、第６トランジスタの第１端子は、第４トランジスタの第２ゲートと電気的に接続され、第２容量素子の第２端子は、第４トランジスタの第１端子と電気的に接続され、第３容量素子の第２端子は、第４トランジスタの第１端子と電気的に接続され、第７トランジスタの第１端子は、第２配線と電気的に接続され、第７トランジスタの第１ゲートは、第４容量素子の第１端子と電気的に接続され、第７トランジスタの第２ゲートは、第５容量素子の第１端子と電気的に接続され、第８トランジスタの第１端子は、第７トランジスタの第１ゲートと電気的に接続され、第９トランジスタの第１端子は、第７トランジスタの第２ゲートと電気的に接続され、第４容量素子の第２端子は、第７トランジスタの第１端子と電気的に接続され、第５容量素子の第２端子は、第７トランジスタの第１端子と電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１５】
（５）
又は、本発明の一態様は、前記（４）において、第１乃至第９トランジスタは、チャネル形成領域に金属酸化物を有することを特徴とする半導体装置である。
【００１６】
（６）
又は、本発明の一態様は、メモリセルアレイと、オフセット回路と、を有し、メモリセルアレイは、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４トランジスタと、第１ダイオードと、第２容量素子と、を有し、第４トランジスタは、第１ゲートと、第２ゲートと、を有し、第２定電流回路は、第５トランジスタと、第２ダイオードと、第３容量素子と、を有し、第５トランジスタは、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第２容量素子の第１端子と電気的に接続され、第４トランジスタの第２ゲートは、第４トランジスタの第１端子と電気的に接続され、第２容量素子の第２端子は、第４トランジスタの第１端子と電気的に接続され、第１ダイオードの出力端子は、第４トランジスタの第１ゲートと電気的に接続され、第５トランジスタの第１端子は、第２配線と電気的に接続され、第５トランジスタの第１ゲートは、第３容量素子の第１端子と電気的に接続され、第５トランジスタの第２ゲートは、第５トランジスタの第１端子と電気的に接続され、第３容量素子の第２端子は、第５トランジスタの第１端子と電気的に接続され、第２ダイオードの出力端子は、第５トランジスタの第１ゲートと電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１７】
（７）
又は、本発明の一態様は、オフセット回路と、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４トランジスタと、第１ダイオードと、第２容量素子と、を有し、第４トランジスタは、第１ゲートと、第２ゲートと、を有し、第２定電流回路は、第５トランジスタと、第２ダイオードと、第３容量素子と、を有し、第５トランジスタは、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第４トランジスタの第１端子と電気的に接続され、第４トランジスタの第２ゲートは、第２容量素子の第１端子と電気的に接続され、第２容量素子の第２端子は、第４トランジスタの第１端子と電気的に接続され、第１ダイオードの出力端子は、第４トランジスタの第２ゲートと電気的に接続され、第５トランジスタの第１端子は、第２配線と電気的に接続され、第５トランジスタの第１ゲートは、第５トランジスタの第１端子と電気的に接続され、第５トランジスタの第２ゲートは、第３容量素子の第１端子と電気的に接続され、第３容量素子の第２端子は、第５トランジスタの第１端子と電気的に接続され、第２ダイオードの出力端子は、第５トランジスタの第２ゲートと電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１８】
（８）
又は、本発明の一態様は、オフセット回路と、第１メモリセルと、第２メモリセルと、を有し、オフセット回路は、第１定電流回路と、第２定電流回路と、第１乃至第３トランジスタと、第１容量素子と、第１配線と、第２配線と、第１出力端子と、第２出力端子と、カレントミラー回路と、を有し、第１定電流回路は、第４トランジスタと、第１ダイオードと、第２ダイオードと、第２容量素子と、第３容量素子と、を有し、第４トランジスタは、第１ゲートと、第２ゲートと、を有し、第２定電流回路は、第５トランジスタと、第３ダイオードと、第４ダイオードと、第４容量素子と、第５容量素子と、を有し、第５トランジスタは、第１ゲートと、第２ゲートと、を有し、第１トランジスタの第１端子は、第２トランジスタの第１端子と電気的に接続され、第１トランジスタのゲートは、第２トランジスタの第２端子と電気的に接続され、第２トランジスタの第１端子は、第１配線と電気的に接続され、第３トランジスタの第１端子は、第２トランジスタの第２端子と電気的に接続され、第１容量素子の第１端子は、第１トランジスタのゲートと電気的に接続され、第４トランジスタの第１端子は、第１配線と電気的に接続され、第４トランジスタの第１ゲートは、第２容量素子の第１端子と電気的に接続され、第４トランジスタの第２ゲートは、第３容量素子の第１端子と電気的に接続され、第１ダイオードの出力端子は、第４トランジスタの第１ゲートと電気的に接続され、第２ダイオードの出力端子は、第４トランジスタの第２ゲートと電気的に接続され、第２容量素子の第２端子は、第４トランジスタの第１端子と電気的に接続され、第３容量素子の第２端子は、第４トランジスタの第１端子と電気的に接続され、第５トランジスタの第１端子は、第２配線と電気的に接続され、第５トランジスタの第１ゲートは、第４容量素子の第１端子と電気的に接続され、第５トランジスタの第２ゲートは、第５容量素子の第１端子と電気的に接続され、第３ダイオードの出力端子は、第５トランジスタの第１ゲートと電気的に接続され、第４ダイオードの出力端子は、第５トランジスタの第２ゲートと電気的に接続され、第４容量素子の第２端子は、第５トランジスタの第１端子と電気的に接続され、第５容量素子の第２端子は、第５トランジスタの第１端子と電気的に接続され、第１配線は、第１出力端子と電気的に接続され、第２配線は、第２出力端子と電気的に接続され、カレントミラー回路は、第２配線の電位に応じた第１電流を、第１配線と、第２配線と、に出力する機能を有し、第１メモリセルは、第１出力端子と電気的に接続され、第２メモリセルは、第２出力端子と電気的に接続されることを特徴とする半導体装置である。
【００１９】
（９）
又は、本発明の一態様は、前記（６）乃至（８）のいずれか一において、第１乃至第５トランジスタは、チャネル形成領域に金属酸化物を有することを特徴とする半導体装置である。
【００２０】
（１０）
又は、本発明の一態様は、前記（１）乃至（９）のいずれか一において、カレントミラー回路は、第１０トランジスタと、第１１トランジスタと、を有し、第１０トランジスタの第１端子は、第１配線と電気的に接続され、第１０トランジスタのゲートは、第２配線と電気的に接続され、第１１トランジスタの第１端子は、第２配線と電気的に接続され、第１１トランジスタのゲートは、第２配線と電気的に接続されることを特徴とする半導体装置である。
【００２１】
（１１）
又は、本発明の一態様は、前記（１）乃至（１０）のいずれか一において、第１メモリセルは、第１２トランジスタと、第１３トランジスタと、第６容量素子と、を有し、第２メモリセルは、第１４トランジスタと、第１５トランジスタと、第７容量素子と、を有し、第１２トランジスタの第１端子は、第１３トランジスタのゲートと電気的に接続され、第６容量素子の第１端子は、第１２トランジスタの第１端子と電気的に接続され、第１３トランジスタの第１端子は、第１出力端子と電気的に接続され、第１４トランジスタの第１端子は、第１５トランジスタのゲートと電気的に接続され、第７容量素子の第１端子は、第１４トランジスタの第１端子と電気的に接続され、第１５トランジスタの第１端子は、第２出力端子と電気的に接続されることを特徴とする半導体装置である。
【００２２】
（１２）
又は、本発明の一態様は、前記（１）乃至（１１）のいずれか一に記載の半導体装置を複数個有し、ダイシング用の領域を有する半導体ウェハである。
【００２３】
（１３）
又は、本発明の一態様は、前記（１）乃至（１１）のいずれか一に記載の半導体装置と、筐体と、を有する電子機器である。
【００２４】
（１４）
又は、本発明の一態様は、前記（１３）において、前記（１）乃至（１１）のいずれか一に記載の半導体装置を用いて、パターン認識、又は連想記憶の処理を行う機能を有する電子機器である。
【００２５】
（１５）
又は、本発明の一態様は、前記（１３）、又は前記（１４）において、表示装置を有し、表示装置は、反射型素子と、発光型素子又は透過型素子の一方と、を有することを特徴とする電子機器である。
【００２６】
（１６）
又は、本発明の一態様は、前記（１４）に記載の電子機器と、生体情報を取得する装置と、を有する生体認証システムである。
【００２７】
（１７）
又は、本発明の一態様は、前記（１４）に記載の電子機器を用いた映像配信システムであって、映像データのエンコード処理を行う機能と、エンコード処理が行われた映像データを送信する機能と、を有する映像配信システムである。
【発明の効果】
【００２８】
本発明の一態様によって、新規な半導体装置を提供することができる。又は、本発明の一態様によって、新規な半導体装置を有するモジュールを提供することができる。又は、本発明の一態様によって、新規な半導体装置を有するモジュールを使用した電子機器を提供することができる。又は、本発明の一態様によって、新規な半導体装置を有する記憶装置を利用したシステムを提供することができる。
【００２９】
又は、本発明の一態様によって、回路面積が小さい半導体装置を提供することができる。又は、本発明の一態様によって、消費電力が低減された半導体装置を提供することができる。又は、本発明の一態様によって、認証機能を有する新規の半導体装置を提供することができる。又は、本発明の一態様によって、画像データの圧縮を行う新規の半導体装置を提供することができる。
【００３０】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び他の効果のうち、少なくとも一つの効果を有するものである。従って本発明の一態様は、場合によっては、上記列挙した効果を有さない場合もある。
【図面の簡単な説明】
【００３１】
【図１】半導体装置の一例を示すブロック図。
【図２】図１の半導体装置のオフセット回路の一例を示す回路図。
【図３】図１の半導体装置のオフセット回路の一例を示す回路図。
【図４】図１の半導体装置のオフセット回路の一例を示す回路図。
【図５】図１の半導体装置のオフセット回路の一例を示す回路図。
【図６】図１の半導体装置のオフセット回路の一例を示す回路図。
【図７】図１の半導体装置のオフセット回路の一例を示す回路図。
【図８】図１の半導体装置のオフセット回路の一例を示す回路図。
【図９】図１の半導体装置のオフセット回路の一例を示す回路図。
【図１０】図１の半導体装置のメモリセルアレイの一例を示す回路図。
【図１１】図１の半導体装置のオフセット回路の一例を示す回路図。
【図１２】図１の半導体装置のオフセット回路の一例を示す回路図。
【図１３】図１の半導体装置のメモリセルアレイの一例を示す回路図。
【図１４】半導体装置の動作例を示すタイミングチャート。
【図１５】半導体装置の動作例を示すタイミングチャート。
【図１６】半導体装置の動作例を示すタイミングチャート。
【図１７】半導体装置の動作例を示すタイミングチャート。
【図１８】階層型ニューラルネットワークの一例を示す図。
【図１９】階層型ニューラルネットワークの一例を示す図。
【図２０】階層型ニューラルネットワークの一例を示す図。
【図２１】回路の構成例を説明する図。
【図２２】電子機器の例を示す斜視図。
【図２３】電子機器の例を示す斜視図。
【図２４】放送システムのデータ伝送を示す模式図。
【図２５】医療現場における映像配信システムの構成例を示す図。
【図２６】表示装置の構成例を説明する模式図。
【図２７】表示装置の構成例を説明する、回路図及びタイミングチャート。
【図２８】表示装置の一例を示す斜視図。
【図２９】入出力パネルの構成例を示す断面図。
【図３０】入出力パネルの構成例を示す断面図。
【図３１】トランジスタの構成例を示す上面図および断面図。
【図３２】トランジスタの構成例を示す上面図および断面図。
【図３３】トランジスタの構成例を示す上面図および断面図。
【図３４】酸化物の原子数比の範囲を説明する図。
【図３５】ＩｎＭＺｎＯ４の結晶を説明する図。
【図３６】酸化物の積層構造におけるバンド図。
【図３７】タッチセンサユニットの構成例を示す回路図と、概観の例を示す上面図。
【図３８】電流源回路の構成例を示す図。
【図３９】図３８の回路構成に対して、計算を行った結果を示す図。
【図４０】実施例２で説明するトランジスタの断面を示すＴＥＭ画像。
【図４１】トランジスタのゲート電圧−ドレイン電流の特性を示すグラフ、並びにソースドレイン電圧−ドレイン電流の特性を示すグラフ。
【図４２】トランジスタの周波数特性を示すグラフ、トランジスタのオフ電流の温度依存性を示すグラフ、及びトランジスタの１／ｆノイズの特性を示すグラフ。
【図４３】実施例２で説明する積和演算回路とメモリセルを示す図。
【図４４】メモリセルの乗算特性を示すグラフ、メモリセルの周波数特性を示すグラフ、及びメモリセルの周波数特性を示すグラフ。
【図４５】実施例２で説明するニューラルネットワークの構成を説明するブロック図。
【図４６】ビット精度と学習成功率を示すグラフ。
【発明を実施するための形態】
【００３２】
各実施の形態に示す構成は、他の実施の形態に示す構成と適宜組み合わせて、本発明の一態様とすることができる。また、１つの実施の形態の中に、複数の構成例が示される場合は、互いに構成例を適宜組み合わせることが可能である。
【００３３】
なお、ある一つの実施の形態の中で述べる内容（一部の内容でもよい）は、その実施の形態で述べる別の内容（一部の内容でもよい）と、一つ若しくは複数の別の実施の形態で述べる内容（一部の内容でもよい）との少なくとも一つの内容に対して、適用、組み合わせ、又は置き換えなどを行うことができる。
【００３４】
なお、実施の形態の中で述べる内容とは、各々の実施の形態において、様々な図を用いて述べる内容、又は明細書に記載される文章を用いて述べる内容のことである。
【００３５】
なお、ある一つの実施の形態において述べる図（一部でもよい）は、その図の別の部分、その実施の形態において述べる別の図（一部でもよい）と、一つ若しくは複数の別の実施の形態において述べる図（一部でもよい）との少なくとも一つの図に対して、組み合わせることにより、さらに多くの図を構成させることができる。
【００３６】
本明細書等において、「第１」、「第２」、「第３」という序数詞は、構成要素の混同を避けるために付したものである。従って、構成要素の数を限定するものではない。また、構成要素の順序を限定するものではない。また例えば、本明細書等の実施の形態の一において「第１」に言及された構成要素が、他の実施の形態、あるいは特許請求の範囲において「第２」に言及された構成要素とすることもありうる。また例えば、本明細書等の実施の形態の一において「第１」に言及された構成要素を、他の実施の形態、あるいは特許請求の範囲において省略することもありうる。
【００３７】
実施の形態について図面を参照しながら説明している。但し、実施の形態は多くの異なる態様で実施することが可能であり、趣旨及びその範囲から逸脱することなく、その形態及び詳細を様々に変更し得ることは当業者であれば容易に理解される。従って、本発明は、実施の形態の記載内容に限定して解釈されるものではない。なお、実施の形態の発明の構成において、同一部分又は同様な機能を有する部分には同一の符号を異なる図面間で共通して用い、その繰り返しの説明は省略する。
【００３８】
また、本明細書等において、「上に」、「下に」などの配置を示す語句は、構成同士の位置関係を、図面を参照して説明するために、便宜上用いている。構成同士の位置関係は、各構成を描写する方向に応じて適宜変化する。そのため、配置を示す語句は、明細書で説明した記載に限定されず、状況に応じて適切に言い換えることができる。
【００３９】
また、「上」や「下」の用語は、構成要素の位置関係が直上又は直下で、かつ、直接接していることを限定するものではない。例えば、「絶縁層Ａ上の電極Ｂ」の表現であれば、絶縁層Ａの上に電極Ｂが直接接して形成されている必要はなく、絶縁層Ａと電極Ｂとの間に他の構成要素を含むものを除外しない。
【００４０】
また、本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【００４１】
また、図面において、大きさ、層の厚さ、又は領域は、説明の便宜上任意の大きさに示したものである。よって、必ずしもそのスケールに限定されない。なお図面は明確性を期すために模式的に示したものであり、図面に示す形状又は値などに限定されない。例えば、ノイズによる信号、電圧、若しくは電流のばらつき、又は、タイミングのずれによる信号、電圧、若しくは電流のばらつきなどを含むことが可能である。
【００４２】
また、図面において、斜視図などにおいて、図面の明確性を期すために、一部の構成要素の記載を省略している場合がある。
【００４３】
また、図面において、同一の要素又は同様な機能を有する要素、同一の材質の要素、あるいは同時に形成される要素等には同一の符号を付す場合があり、その繰り返しの説明は省略する場合がある。
【００４４】
本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。また、本明細書等では、ゲート以外の２つの端子を第１端子、第２端子と呼ぶ場合や、第３端子、第４端子と呼ぶ場合がある。
【００４５】
本明細書等において、特に断らない限り、トランジスタは、ゲート、ソース、及びドレインと呼ばれる３つの端子を有する。ゲートは、トランジスタの導通状態を制御する制御端子として機能する端子である。ソース又はドレインとして機能する２つの入出力端子は、トランジスタの型及び各端子に与えられる電位の高低によって、一方がソースとなり他方がドレインとなる。このため、本明細書等においては、ソースやドレインの用語は、入れ替えて用いることができるものとする。また、本明細書等では、ゲート以外の２つの端子を第１端子、第２端子と呼ぶ場合や、第３端子、第４端子と呼ぶ場合がある。
【００４６】
また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【００４７】
また、本明細書等において、電圧と電位は、適宜言い換えることができる。電圧は、基準となる電位からの電位差のことであり、例えば基準となる電位をグラウンド電位（接地電位）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【００４８】
なお本明細書等において、「膜」、「層」などの語句は、場合によっては、又は、状況に応じて、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。又は、場合によっては、又は、状況に応じて、「膜」、「層」などの語句を使わずに、別の用語に入れ替えることが可能である。例えば、「導電層」又は「導電膜」という用語を、「導電体」という用語に変更することが可能な場合がある。又は、例えば、「絶縁層」「絶縁膜」という用語を、「絶縁体」という用語に変更することが可能な場合がある。
【００４９】
なお本明細書等において、「配線」、「信号線」、「電源線」などの用語は、場合によっては、又は、状況に応じて、互いに入れ替えることが可能である。例えば、「配線」という用語を、「信号線」という用語に変更することが可能な場合がある。また、例えば、「配線」という用語を、「電源線」などの用語に変更することが可能な場合がある。また、その逆も同様で、「信号線」「電源線」などの用語を、「配線」という用語に変更することが可能な場合がある。「電源線」などの用語は、「信号線」などの用語に変更することが可能な場合がある。また、その逆も同様で「信号線」などの用語は、「電源線」などの用語に変更することが可能な場合がある。また、配線に印加されている「電位」という用語を、場合によっては、又は、状況に応じて、「信号」などという用語に変更することが可能な場合がある。また、その逆も同様で、「信号」などの用語は、「電位」という用語に変更することが可能な場合がある。
【００５０】
また、本明細書において、「電子機器」とは、例えば、パーソナルコンピュータ、携帯電話、タブレット端末、電子書籍端末、ウェアラブル端末、ＡＶ機器（ＡＶ：Ａｕｄｉｏ  Ｖｉｓｕａｌ）、電化製品、住宅設備機器、業務用設備機器、デジタルサイネージ、自動車、又は、システムを有する電気製品などをいう場合がある。また、「電子部品」、又は「モジュール」とは、電子機器が有するプロセッサ、記憶装置、センサ、バッテリ、表示装置、発光装置、インターフェース機器、ＲＦタグ（ＲＦ：Ｒａｄｉｏ  Ｆｒｅｑｕｅｎｃｙ）、受信装置、送信装置などをいう場合がある。また、「半導体装置」とは、半導体素子を用いた装置、又は、電子部品又はモジュールが有する、半導体素子を適用した駆動回路、制御回路、論理回路、信号生成回路、信号変換回路、電位レベル変換回路、電圧源、電流源、切り替え回路、増幅回路、記憶回路、メモリセル、表示回路、表示画素などをいう場合がある。
【００５１】
また、本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む）、酸化物半導体（Ｏｘｉｄｅ  Ｓｅｍｉｃｏｎｄｕｃｔｏｒまたは単にＯＳともいう）などに分類される。例えば、トランジスタの活性層に金属酸化物を用いた場合、当該金属酸化物を酸化物半導体と呼称する場合がある。つまり、金属酸化物が増幅作用、整流作用、及びスイッチング作用の少なくとも１つを有するトランジスタのチャネル形成領域を構成し得る場合、当該金属酸化物を、金属酸化物半導体（ｍｅｔａｌ  ｏｘｉｄｅ  ｓｅｍｉｃｏｎｄｕｃｔｏｒ）、略してＯＳと呼ぶことができる。また、ＯＳ  ＦＥＴと記載する場合においては、金属酸化物または酸化物半導体を有するトランジスタと換言することができる。
【００５２】
また、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【００５３】
本明細書において、トランジスタとは、ゲートと、ドレインと、ソースとを含む少なくとも三つの端子を有する素子である。そして、ドレイン（ドレイン端子、ドレイン領域又はドレイン電極）とソース（ソース端子、ソース領域又はソース電極）の間にチャネル形成領域を有しており、ソース−ドレイン間を介して電流を流すことができるものである。なお、本明細書等において、チャネル形成領域とは、電流が主として流れる領域をいう。
【００５４】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【００５５】
本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【００５６】
一例としては、電気的スイッチ又は機械的なスイッチなどを用いることができる。つまり、スイッチは、電流を制御できるものであればよく、特定のものに限定されない。
【００５７】
電気的なスイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。
【００５８】
なお、スイッチとしてトランジスタを用いる場合、トランジスタの「導通状態」とは、トランジスタのソース電極とドレイン電極が電気的に短絡されているとみなせる状態をいう。また、トランジスタの「非導通状態」とは、トランジスタのソース電極とドレイン電極が電気的に遮断されているとみなせる状態をいう。なおトランジスタを単なるスイッチとして動作させる場合には、トランジスタの極性（導電型）は特に限定されない。
【００５９】
機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【００６０】
本明細書等において、ＸとＹとが接続されている、と記載する場合は、ＸとＹとが電気的に接続されている場合と、ＸとＹとが機能的に接続されている場合と、ＸとＹとが直接接続されている場合とを含むものとする。したがって、所定の接続関係、例えば、図又は文章に示された接続関係に限定されず、図又は文章に示された接続関係以外のものも含むものとする。
【００６１】
ここで使用するＸ、Ｙなどは、対象物（例えば、装置、素子、回路、配線、電極、端子、導電膜、層、など）であるとする。
【００６２】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、又は、非導通状態（オフ状態）になり、電流を流すか流さないかを制御する機能を有している。
【００６３】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅又は電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。
【００６４】
なお、ＸとＹとが電気的に接続されている、と明示的に記載する場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とを含むものとする。つまり、電気的に接続されている、と明示的に記載する場合は、単に、接続されている、とのみ明示的に記載されている場合と同じであるとする。
【００６５】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【００６６】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。又は、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。又は、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【００６７】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【００６８】
本明細書において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【００６９】
（実施の形態１）
本実施の形態では、本発明の一態様の半導体装置である積和演算処理回路について説明する。なお、該積和演算処理回路は、複数の第１アナログデータと複数の第２アナログデータと、の積和を行う回路である。
【００７０】
＜構成例＞
図１に本発明の一態様の半導体装置の一例を示す。図１は、積和演算処理回路のブロック図を示しており、半導体装置１００は、オフセット回路１１０と、メモリセルアレイ１２０と、を有する。
【００７１】
オフセット回路１１０は、列出力回路ＯＵＴ［１］乃至列出力回路ＯＵＴ［ｎ］（ｎは１以上の整数である。）と、参照列出力回路Ｃｒｅｆと、を有する。
【００７２】
メモリセルアレイ１２０は、列方向にｍ個（ｍは１以上の整数である。）、行方向にｎ個、合計ｍ×ｎ個のメモリセルＡＭと、列方向にｍ個のメモリセルＡＭｒｅｆと、を有する。メモリセルＡＭと、メモリセルＡＭｒｅｆと、は、メモリセルアレイ１２０において、ｍ×（ｎ＋１）のマトリクス状に設けられている。特に、図１のメモリセルアレイ１２０では、ｉ行目ｊ列目に位置するメモリセルＡＭを、メモリセルＡＭ［ｉ，ｊ］（ｉは１以上ｍ以下の整数であり、ｊは１以上ｎ以下の整数である。）と表記し、ｉ行目に位置するメモリセルＡＭｒｅｆを、メモリセルＡＭｒｅｆ［ｉ］と表記する。
【００７３】
なお、メモリセルＡＭは、第１アナログデータに応じた電位を保持し、メモリセルＡＭｒｅｆは、所定の電位を保持する。なお、この所定の電位は、積和演算処理に必要な電位であり、本明細書では、この電位に対応するデータを参照アナログデータという場合がある。
【００７４】
メモリセルアレイ１２０は、出力端子ＳＰＴ［１］乃至出力端子ＳＰＴ［ｎ］を有する。
【００７５】
列出力回路ＯＵＴ［ｊ］は、出力端子ＯＴ［ｊ］を有し、参照列出力回路Ｃｒｅｆは、出力端子ＯＴｒｅｆを有する。
【００７６】
配線ＯＲＰは、列出力回路ＯＵＴ［１］乃至列出力回路ＯＵＴ［ｎ］に電気的に接続され、配線ＯＳＰは、列出力回路ＯＵＴ［１］乃至列出力回路ＯＵＴ［ｎ］に電気的に接続されている。配線ＯＲＰ及び配線ＯＳＰは、オフセット回路１１０に制御信号を供給するための配線である。
【００７７】
メモリセルアレイ１２０の出力端子ＳＰＴ［ｊ］は、配線Ｂ［ｊ］と電気的に接続されている。
【００７８】
列出力回路ＯＵＴ［ｊ］の出力端子ＯＴ［ｊ］は、配線Ｂ［ｊ］と電気的に接続されている。
【００７９】
参照列出力回路Ｃｒｅｆの出力端子ＯＴｒｅｆは、配線Ｂｒｅｆと電気的に接続されている。
【００８０】
メモリセルＡＭ［ｉ，ｊ］は、配線ＲＷ［ｉ］と、配線ＷＷ［ｉ］と、配線ＷＤ［ｊ］と、配線Ｂ［ｊ］と、配線ＶＲと、に電気的に接続されている。
【００８１】
メモリセルＡＭｒｅｆ［ｉ］は、配線ＲＷ［ｉ］と、配線ＷＷ［ｉ］と、配線ＷＤｒｅｆと、配線Ｂｒｅｆと、配線ＶＲと、に電気的に接続されている。
【００８２】
配線ＷＷ［ｉ］は、メモリセルＡＭ［ｉ，１］乃至メモリセルＡＭ［ｉ，ｎ］、及びメモリセルＡＭｒｅｆ［ｉ］に選択信号を供給するための配線として機能し、配線ＲＷ［ｉ］は、メモリセルＡＭ［ｉ，１］乃至メモリセルＡＭ［ｉ，ｎ］、及びメモリセルＡＭｒｅｆ［ｉ］に基準電位、又は第２アナログデータに応じた電位のどちらかを与える配線として機能する。配線ＷＤ［ｊ］は、ｊ列目のメモリセルＡＭに書き込むデータを供給する配線として機能し、配線ＶＲは、メモリセルＡＭ又はメモリセルＡＭｒｅｆからデータを読み出す際に、メモリセルＡＭ又はメモリセルＡＭｒｅｆに所定の電位を与えるための配線として機能する。
【００８３】
配線Ｂ［ｊ］は、列出力回路ＯＵＴ［ｊ］からメモリセルアレイ１２０のｊ列目に有するメモリセルＡＭに信号を供給する配線として機能する。
【００８４】
配線Ｂｒｅｆは、参照列出力回路ＣｒｅｆからメモリセルＡＭｒｅｆ［１］乃至メモリセルＡＭｒｅｆ［ｍ］のそれぞれに信号を供給する配線として機能する。
【００８５】
なお、図１に示す半導体装置１００は、オフセット回路１１０、メモリセルアレイ１２０、列出力回路ＯＵＴ［１］、列出力回路ＯＵＴ［ｊ］、列出力回路ＯＵＴ［ｎ］、参照列出力回路Ｃｒｅｆ、出力端子ＯＴ［１］、出力端子ＯＴ［ｊ］、出力端子ＯＴ［ｎ］、出力端子ＯＴｒｅｆ、出力端子ＳＰＴ［１］、出力端子ＳＰＴ［ｊ］、出力端子ＳＰＴ［ｎ］、メモリセルＡＭ［１，１］、メモリセルＡＭ［ｉ，１］、メモリセルＡＭ［ｍ，１］、メモリセルＡＭ［１，ｊ］、メモリセルＡＭ［ｉ，ｊ］、メモリセルＡＭ［ｍ，ｊ］、メモリセルＡＭ［１，ｎ］、メモリセルＡＭ［ｉ，ｎ］、メモリセルＡＭ［ｍ，ｎ］、メモリセルＡＭｒｅｆ［１］、メモリセルＡＭｒｅｆ［ｉ］、メモリセルＡＭｒｅｆ［ｍ］、配線ＯＳＰ、配線ＯＲＰ、配線Ｂ［１］、配線Ｂ［ｊ］、配線Ｂ［ｎ］、配線Ｂｒｅｆ、配線ＷＤ［１］、配線ＷＤ［ｊ］、配線ＷＤ［ｎ］、配線ＷＤｒｅｆ、配線ＶＲ、配線ＲＷ［１］、配線ＲＷ［ｉ］、配線ＲＷ［ｍ］、配線ＷＷ［１］、配線ＷＷ［ｉ］、配線ＷＷ［ｍ］のみ図示しており、それ以外の回路、配線、素子、及びそれらの符号については省略している。
【００８６】
本発明の一態様の構成は、図１の半導体装置１００の構成に限定されない。状況に応じて、場合によって、又は、必要に応じて、半導体装置１００の構成を変更することができる。例えば、半導体装置１００の回路構成によっては、配線ＷＤ［ｊ］と配線ＶＲと、をまとめて１本の配線として共有する構成であってもよい。また、半導体装置１００の回路構成によっては、配線ＯＲＰと配線ＯＳＰと、をまとめて１本の配線として共有する構成であってもよい。
【００８７】
＜＜オフセット回路１１０＞＞
次に、オフセット回路１１０に適用できる回路構成の例について説明する。図２に、オフセット回路１１０の一例として、オフセット回路１１１を示す。
【００８８】
オフセット回路１１１は、電源電圧の供給のため、配線ＶＤＤＬ、及び配線ＶＳＳＬと電気的に接続されている。具体的には、列出力回路ＯＵＴ［１］乃至列出力回路ＯＵＴ［ｎ］は、それぞれ配線ＶＤＤＬ、及び配線ＶＳＳＬと電気的に接続され、参照列出力回路Ｃｒｅｆは、配線ＶＤＤＬと電気的に接続されている。なお、後述するカレントミラー回路ＣＭも、配線ＶＳＳＬと電気的に接続されている場合がある。配線ＶＤＤＬは、高レベル電位を与える配線であり、配線ＶＳＳＬは、低レベル電位を与える配線である。
【００８９】
以下、列出力回路ＯＵＴ［ｊ］の内部の回路構成について説明する。列出力回路ＯＵＴ［ｊ］は、定電流回路ＣＩと、トランジスタＴｒ１乃至トランジスタＴｒ３と、容量素子Ｃ１と、配線ＯＬ［ｊ］と、を有する。また、列出力回路ＯＵＴ［１］乃至列出力回路ＯＵＴ［ｎ］、及び参照列出力回路Ｃｒｅｆは、カレントミラー回路ＣＭを共有している。
【００９０】
定電流回路ＣＩは、端子ＣＴ１と、端子ＣＴ２と、を有する。端子ＣＴ１は、定電流回路ＣＩの入力端子として機能し、端子ＣＴ２は、定電流回路ＣＩの出力端子として機能する。また、列出力回路ＯＵＴ［１］乃至列出力回路ＯＵＴ［ｎ］、及び参照列出力回路Ｃｒｅｆで共有しているカレントミラー回路ＣＭは、端子ＣＴ５［１］乃至端子ＣＴ５［ｎ］と、端子ＣＴ６［１］乃至端子ＣＴ６［ｎ］と、端子ＣＴ７と、端子ＣＴ８と、を有する。
【００９１】
定電流回路ＣＩは、端子ＣＴ１から端子ＣＴ２に流れる電流を一定に保つ機能を有する。
【００９２】
列出力回路ＯＵＴ［ｊ］において、トランジスタＴｒ１の第１端子は、配線ＯＬ［ｊ］と電気的に接続され、トランジスタＴｒ１の第２端子は、配線ＶＳＳＬと電気的に接続され、トランジスタＴｒ１のゲートは、容量素子Ｃ１の第１端子と電気的に接続されている。トランジスタＴｒ２の第１端子は、配線ＯＬ［ｊ］と電気的に接続され、トランジスタＴｒ２の第２端子は、容量素子Ｃ１の第１端子と電気的に接続され、トランジスタＴｒ２のゲートは、配線ＯＳＰと電気的に接続されている。トランジスタＴｒ３の第１端子は、容量素子Ｃ１の第１端子と電気的に接続され、トランジスタＴｒ３の第２端子は、配線ＶＳＳＬと電気的に接続され、トランジスタＴｒ３のゲートは、配線ＯＲＰと電気的に接続されている。容量素子Ｃ１の第２端子は、配線ＶＳＳＬと電気的に接続されている。
【００９３】
列出力回路ＯＵＴ［ｊ］において、定電流回路ＣＩの端子ＣＴ１は、配線ＶＤＤＬと電気的に接続され、定電流回路ＣＩの端子ＣＴ２は、カレントミラー回路ＣＭの端子ＣＴ５［ｊ］と電気的に接続されている。カレントミラー回路ＣＭの端子ＣＴ６［ｊ］は、出力端子ＯＴ［ｊ］と電気的に接続されている。
【００９４】
なお、配線ＯＬ［ｊ］は、カレントミラー回路ＣＭの端子ＣＴ５［ｊ］及び端子ＣＴ６［ｊ］を介して、定電流回路ＣＩの端子ＣＴ２と、出力端子ＯＴ［ｊ］と、を電気的に接続する配線である。
【００９５】
次に、参照列出力回路Ｃｒｅｆについて説明する。参照列出力回路Ｃｒｅｆは、定電流回路ＣＩｒｅｆと、配線ＯＬｒｅｆと、を有する。また、上述したとおり、参照列出力回路Ｃｒｅｆは、列出力回路ＯＵＴ［１］乃至列出力回路ＯＵＴ［ｎ］と、カレントミラー回路ＣＭを共有している。
【００９６】
定電流回路ＣＩｒｅｆは、端子ＣＴ３と、端子ＣＴ４と、を有する。端子ＣＴ３は、定電流回路ＣＩｒｅｆの入力端子として機能し、端子ＣＴ４は、定電流回路ＣＩｒｅｆの出力端子として機能する。
【００９７】
定電流回路ＣＩｒｅｆは、端子ＣＴ３から端子ＣＴ４に流れる電流を一定に保つ機能を有する。
【００９８】
参照列出力回路Ｃｒｅｆにおいて、定電流回路ＣＩｒｅｆの端子ＣＴ３は、配線ＶＤＤＬと電気的に接続され、定電流回路ＣＩｒｅｆの端子ＣＴ４は、カレントミラー回路ＣＭの端子ＣＴ７と電気的に接続されている。カレントミラー回路ＣＭの端子ＣＴ８は、出力端子ＯＴｒｅｆと電気的に接続されている。
【００９９】
なお、配線ＯＬｒｅｆは、カレントミラー回路ＣＭの端子ＣＴ７及び端子ＣＴ８を介して、定電流回路ＣＩｒｅｆの端子ＣＴ４と、出力端子ＯＴｒｅｆと、を電気的に接続する配線である。
【０１００】
カレントミラー回路ＣＭにおいて、端子ＣＴ５［ｊ］は、端子ＣＴ６［ｊ］と電気的に接続され、端子ＣＴ７は、端子ＣＴ８と電気的に接続されている。加えて、端子ＣＴ５［ｊ］と端子ＣＴ６［ｊ］の間に、配線ＩＬ［ｊ］が電気的に接続され、端子ＣＴ７と端子ＣＴ８の間に、配線ＩＬｒｅｆが電気的に接続されている。また、端子ＣＴ７と端子ＣＴ８の間と配線ＩＬｒｅｆとの接続箇所をノードＮＣＭｒｅｆとする。カレントミラー回路ＣＭは、ノードＮＣＭｒｅｆの電位を参照して、配線ＩＬｒｅｆに流れる電流の量と、配線ＩＬ［１］乃至配線ＩＬ［ｎ］のそれぞれに流れる電流の量を等しくする機能を有する。
【０１０１】
なお、図２に示すオフセット回路１１１は、列出力回路ＯＵＴ［１］、列出力回路ＯＵＴ［ｊ］、列出力回路ＯＵＴ［ｎ］、参照列出力回路Ｃｒｅｆ、定電流回路ＣＩ、定電流回路ＣＩｒｅｆ、カレントミラー回路ＣＭ、出力端子ＯＴ［１］、出力端子ＯＴ［ｊ］、出力端子ＯＴ［ｎ］、出力端子ＯＴｒｅｆ、端子ＣＴ１、端子ＣＴ２、端子ＣＴ３、端子ＣＴ４、端子ＣＴ５［１］、端子ＣＴ５［ｊ］、端子ＣＴ５［ｎ］、端子ＣＴ６［１］、端子ＣＴ６［ｊ］、端子ＣＴ６［ｎ］、端子ＣＴ７、端子ＣＴ８、トランジスタＴｒ１、トランジスタＴｒ２、トランジスタＴｒ３、容量素子Ｃ１、配線ＯＬ［１］、配線ＯＬ［ｊ］、配線ＯＬ［ｎ］、配線ＯＬｒｅｆ、配線ＯＲＰ、配線ＯＳＰ、配線Ｂ［１］、配線Ｂ［ｊ］、配線Ｂ［ｎ］、配線Ｂｒｅｆ、配線ＩＬ［１］、配線ＩＬ［ｊ］、配線ＩＬ［ｎ］、配線ＩＬｒｅｆ、ノードＮＣＭｒｅｆ、配線ＶＤＤＬ、配線ＶＳＳＬのみ図示しており、それ以外の回路、配線、素子、及びそれらの符号については省略している。
【０１０２】
なお、本発明の一態様の構成は、図２のオフセット回路１１１の構成に限定されない。状況に応じて、場合によって、又は、必要に応じて、オフセット回路１１１の構成を変更することができる。
【０１０３】
〔定電流回路ＣＩ、ＣＩｒｅｆ〕
次に、定電流回路ＣＩ、及び定電流回路ＣＩｒｅｆの内部の構成例について説明する。
【０１０４】
図３に示すオフセット回路１１２は、図２のオフセット回路１１１の定電流回路ＣＩ、及び定電流回路ＣＩｒｅｆの内部の構成の例を示した回路図である。
【０１０５】
列出力回路ＯＵＴ［ｊ］において、定電流回路ＣＩは、トランジスタＴｒ４と、トランジスタＴｒ８と、容量素子Ｃ３と、を有する。特に、トランジスタＴｒ４は、第１ゲートと第２ゲートを有する。
【０１０６】
なお、本明細書において、トランジスタの第１ゲートとは、フロントゲートとし、第１ゲートはゲートという語句に置き換えて記載する。加えて、トランジスタの第２ゲートとは、バックゲートとし、第２ゲートはバックゲートという語句に置き換えて記載する。
【０１０７】
トランジスタＴｒ４の第１端子は、定電流回路ＣＩの端子ＣＴ１と電気的に接続され、トランジスタＴｒ４の第２端子は、定電流回路ＣＩの端子ＣＴ２と電気的に接続され、トランジスタＴｒ４のゲートは、容量素子Ｃ３の第１端子と電気的に接続され、トランジスタＴｒ４のバックゲートは、定電流回路ＣＩの端子ＣＴ２と電気的に接続されている。容量素子Ｃ３の第２端子は、トランジスタＴｒ４の第２端子と電気的に接続されている。トランジスタＴｒ８の第１端子は、配線ＦＧＡ［ｊ］と電気的に接続され、トランジスタＴｒ８の第２端子は、容量素子Ｃ３の第１端子と電気的に接続され、トランジスタＴｒ８のゲートは、配線ＦＧＢ［ｊ］と電気的に接続されている。
【０１０８】
トランジスタＴｒ４の第２端子と、トランジスタＴｒ４のバックゲートと、は電気的に接続されているため、トランジスタＴｒ４の第２端子と、トランジスタＴｒ４のバックゲートと、は等電位となる。このため、トランジスタＴｒ４の第２端子の電位が上昇すると、トランジスタＴｒ４のバックゲートの電位も上昇するため、トランジスタＴｒ４は、ノーマリーオン状態となる。逆に、トランジスタＴｒ４の第２端子の電位が下降すると、トランジスタＴｒ４のバックゲートの電位も下降するため、トランジスタＴｒ４は、ノーマリーオフ状態となる。つまり、トランジスタＴｒ４の第２端子の電位が変動しても、トランジスタＴｒ４のバックゲートの電位も変動するため、トランジスタＴｒ４の第２端子の電位の変動によるトランジスタＴｒ４の第１端子から第２端子に流れる電流量の変化を少なくすることができる。
【０１０９】
配線ＦＧＡ［ｊ］は、トランジスタＴｒ４のゲートに電位を印加するための配線である。配線ＦＧＢ［ｊ］は、トランジスタＴｒ８の導通状態、非導通状態の切り替えを行うための配線である。
【０１１０】
定電流回路ＣＩを上述の構成にすることによって、トランジスタＴｒ４のゲートの電位を容量素子Ｃ３によって保持することができる。具体的には、配線ＦＧＢ［ｊ］に高レベル電位を印加することで、トランジスタＴｒ８を導通状態とし、配線ＦＧＡ［ｊ］からトランジスタＴｒ４のゲートに電位を与える。その後、配線ＦＧＢ［ｊ］に低レベル電位を印加して、トランジスタＴｒ８を非導通状態とすることで、トランジスタＴｒ４のゲートを電気的に浮遊状態にすることができる。
【０１１１】
また、トランジスタＴｒ８が非導通状態のとき、トランジスタＴｒ４の第２端子の電位が変動することにより、容量素子Ｃ３による容量結合によって、トランジスタＴｒ４のゲートの電位も変動する。なお、トランジスタＴｒ４のゲートの電位の変動量は、容量素子Ｃ３の容量値、トランジスタＴｒ４のゲート容量及び寄生容量などで定まる容量結合係数と、トランジスタＴｒ４の第２端子の電位と、によって決まる。
【０１１２】
このように、トランジスタＴｒ４の第２端子の電位に応じて、トランジスタＴｒ４のゲートの電位を変化させることにより、トランジスタＴｒ４の第１端子から第２端子に流れる電流量を安定して供給することができる。つまり、トランジスタＴｒ４の第２端子の電位の変動前後において、定電流回路ＣＩの端子ＣＴ２から出力される電流量をあまり変化しないようにすることができる。
【０１１３】
参照列出力回路Ｃｒｅｆにおいて、定電流回路ＣＩｒｅｆは、トランジスタＴｒ６と、トランジスタＴｒ９と、容量素子Ｃ４と、を有する。特に、トランジスタＴｒ６は第１ゲート（ゲートと記載する。）と第２ゲート（バックゲートと記載する。）を有する。
【０１１４】
トランジスタＴｒ６の第１端子は、定電流回路ＣＩｒｅｆの端子ＣＴ３と電気的に接続され、トランジスタＴｒ６の第２端子は、定電流回路ＣＩｒｅｆの端子ＣＴ４と電気的に接続され、トランジスタＴｒ６のゲートは、容量素子Ｃ４の第１端子と電気的に接続され、トランジスタＴｒ６のバックゲートは、定電流回路ＣＩｒｅｆの端子ＣＴ４と電気的に接続されている。容量素子Ｃ４の第２端子は、トランジスタＴｒ６の第２端子と電気的に接続されている。トランジスタＴｒ９の第１端子は、配線ＦＧＡｒｅｆと電気的に接続され、トランジスタＴｒ９の第２端子は、容量素子Ｃ４の第１端子と電気的に接続され、トランジスタＴｒ９のゲートは、配線ＦＧＢｒｅｆと電気的に接続されている。
【０１１５】
定電流回路ＣＩｒｅｆの回路構成は、定電流回路ＣＩと同様の回路構成となっている。したがって、定電流回路ＣＩと同様に、トランジスタＴｒ６の第２端子とトランジスタＴｒ６のバックゲートとの電気的接続と、トランジスタＴｒ６のゲートと、トランジスタＴｒ６の第２端子と、の間に有する容量素子Ｃ４による容量結合と、によって、定電流回路ＣＩｒｅｆの端子ＣＴ４から出力する電流量をあまり変化しないようにすることができる。
【０１１６】
オフセット回路１１２の定電流回路ＣＩの構成は、トランジスタＴｒ４のゲート絶縁膜よりもトランジスタＴｒ４のバックゲート絶縁膜が厚く、かつバックゲート側の寄生容量が小さい場合において、好適である。また、同様に、オフセット回路１１２の定電流回路ＣＩｒｅｆの構成は、トランジスタＴｒ６のゲート絶縁膜よりもトランジスタＴｒ６のバックゲート絶縁膜が厚く、かつバックゲート側の寄生容量が小さい場合において、好適である。
【０１１７】
なお、後述する実施例１では、回路シミュレータを用いて、定電流回路ＣＩ、及び定電流回路ＣＩｒｅｆとほぼ同様の電流源回路を構成し、該電流源回路への入力電位に対する出力電流の計算結果について述べている。
【０１１８】
なお、図３に示すオフセット回路１１２は、列出力回路ＯＵＴ［１］、列出力回路ＯＵＴ［ｊ］、列出力回路ＯＵＴ［ｎ］、参照列出力回路Ｃｒｅｆ、定電流回路ＣＩ、定電流回路ＣＩｒｅｆ、カレントミラー回路ＣＭ、出力端子ＯＴ［１］、出力端子ＯＴ［ｊ］、出力端子ＯＴ［ｎ］、出力端子ＯＴｒｅｆ、端子ＣＴ１、端子ＣＴ２、端子ＣＴ３、端子ＣＴ４、端子ＣＴ５［１］、端子ＣＴ５［ｊ］、端子ＣＴ５［ｎ］、端子ＣＴ６［１］、端子ＣＴ６［ｊ］、端子ＣＴ６［ｎ］、端子ＣＴ７、端子ＣＴ８、トランジスタＴｒ１、トランジスタＴｒ２、トランジスタＴｒ３、トランジスタＴｒ４、トランジスタＴｒ６、トランジスタＴｒ８、トランジスタＴｒ９、容量素子Ｃ１、容量素子Ｃ３、容量素子Ｃ４、配線ＯＬ［１］、配線ＯＬ［ｊ］、配線ＯＬ［ｎ］、配線ＯＬｒｅｆ、配線ＯＲＰ、配線ＯＳＰ、配線Ｂ［１］、配線Ｂ［ｊ］、配線Ｂ［ｎ］、配線Ｂｒｅｆ、配線ＦＧＡ［１］、配線ＦＧＡ［ｊ］、配線ＦＧＡ［ｎ］、配線ＦＧＡｒｅｆ、配線ＦＧＢ［１］、配線ＦＧＢ［ｊ］、配線ＦＧＢ［ｎ］、配線ＦＧＢｒｅｆ、配線ＩＬ［１］、配線ＩＬ［ｊ］、配線ＩＬ［ｎ］、配線ＩＬｒｅｆ、ノードＮＣＭｒｅｆ、配線ＶＤＤＬ、配線ＶＳＳＬのみ図示しており、それ以外の回路、配線、素子、及びそれらの符号については省略している。
【０１１９】
なお、本発明の一態様に係る定電流回路ＣＩ及び定電流回路ＣＩｒｅｆの構成は、図３のオフセット回路１１２の定電流回路ＣＩ及び定電流回路ＣＩｒｅｆに限定されない。例えば、定電流回路ＣＩ及び定電流回路ＣＩｒｅｆの構成を、図４に示すオフセット回路１１５の定電流回路ＣＩ及び定電流回路ＣＩｒｅｆの構成としてもよい。
【０１２０】
オフセット回路１１５の定電流回路ＣＩ及び定電流回路ＣＩｒｅｆは、オフセット回路１１２の定電流回路ＣＩのトランジスタＴｒ４、及びオフセット回路１１２の定電流回路ＣＩｒｅｆのトランジスタＴｒ６の接続構成を変更した回路となっている。具体的には、オフセット回路１１５において、トランジスタＴｒ４のバックゲートは、容量素子Ｃ３の第１端子と電気的に接続され、トランジスタＴｒ４のゲートは、トランジスタＴｒ４の第２端子と電気的に接続されている。なお、トランジスタＴｒ４の第１端子が、端子ＣＴ１と電気的に接続されている点と、トランジスタＴｒ４の第２端子が、端子ＣＴ２と電気的に接続されている点と、については、オフセット回路１１２と同様である。加えて、オフセット回路１１５において、トランジスタＴｒ６のバックゲートは、容量素子Ｃ４の第１端子と電気的に接続され、トランジスタＴｒ６のゲートは、トランジスタＴｒ６の第２端子と電気的に接続されている。なお、トランジスタＴｒ６の第１端子が、端子ＣＴ３と電気的に接続されている点と、トランジスタＴｒ６の第２端子が、端子ＣＴ４と電気的に接続されている点と、については、オフセット回路１１２と同様である。
【０１２１】
なお、図４において、列出力回路ＯＵＴ［１］の定電流回路ＣＩのトランジスタＴｒ８の第１端子は、配線ＢＧＡ［１］と電気的に接続され、トランジスタＴｒ８のゲートは、配線ＢＧＢ［１］と電気的に接続されている。同様に、列出力回路ＯＵＴ［ｊ］の定電流回路ＣＩのトランジスタＴｒ８の第１端子は、配線ＢＧＡ［ｊ］と電気的に接続され、トランジスタＴｒ８のゲートは、配線ＢＧＢ［ｊ］と電気的に接続されている。更に、同様に、列出力回路ＯＵＴ［ｎ］の定電流回路ＣＩのトランジスタＴｒ８の第１端子は、配線ＢＧＡ［ｎ］と電気的に接続され、トランジスタＴｒ８のゲートは、配線ＢＧＢ［ｎ］と電気的に接続されている。参照列出力回路Ｃｒｅｆの定電流回路ＣＩｒｅｆのトランジスタＴｒ９の第１端子は、配線ＢＧＡｒｅｆと電気的に接続され、トランジスタＴｒ９のゲートは、配線ＢＧＢｒｅｆと電気的に接続されている。
【０１２２】
オフセット回路１１５の定電流回路ＣＩの構成は、トランジスタＴｒ４のバックゲート絶縁膜よりもトランジスタＴｒ４のゲート絶縁膜が厚く、かつゲート側の寄生容量が小さい場合において、好適である。また、同様に、オフセット回路１１５の定電流回路ＣＩｒｅｆの構成は、トランジスタＴｒ６のバックゲート絶縁膜よりもトランジスタＴｒ６のゲート絶縁膜が厚く、かつゲート側の寄生容量が小さい場合において、好適である。
【０１２３】
また、例えば、定電流回路ＣＩ及び定電流回路ＣＩｒｅｆの構成を、図５に示すオフセット回路１１６の定電流回路ＣＩ及び定電流回路ＣＩｒｅｆの構成としてもよい。
【０１２４】
オフセット回路１１６の定電流回路ＣＩ及び定電流回路ＣＩｒｅｆの回路構成について説明する。定電流回路ＣＩは、トランジスタＴｒ４と、トランジスタＴｒ８１と、トランジスタＴｒ８２と、容量素子Ｃ３１と、容量素子Ｃ３２と、を有し、定電流回路ＣＩｒｅｆは、トランジスタＴｒ６と、トランジスタＴｒ９１と、トランジスタＴｒ９２と、容量素子Ｃ４１と、容量素子Ｃ４２と、を有する。
【０１２５】
列出力回路ＯＵＴ［ｊ］が有する定電流回路ＣＩに着目する。トランジスタＴｒ４の第１端子は、端子ＣＴ１と電気的に接続され、トランジスタＴｒ４の第２端子は、端子ＣＴ２と電気的に接続され、トランジスタＴｒ４のゲートは、容量素子Ｃ３１の第１端子と電気的に接続され、トランジスタＴｒ４のバックゲートは、容量素子Ｃ３２の第１端子と電気的に接続されている。容量素子Ｃ３１の第２端子は、トランジスタＴｒ４の第２端子と電気的に接続され、容量素子Ｃ３２の第２端子は、トランジスタＴｒ４の第２端子と電気的に接続されている。トランジスタＴｒ８１の第１端子は、配線ＦＧ［ｊ］と電気的に接続され、トランジスタＴｒ８１の第２端子は、容量素子Ｃ３１の第１端子と電気的に接続され、トランジスタＴｒ８１のゲートは、配線ＧＷと電気的に接続されている。トランジスタＴｒ８２の第１端子は、配線ＢＧ［ｊ］と電気的に接続され、トランジスタＴｒ８２の第２端子は、容量素子Ｃ３２の第１端子と電気的に接続され、トランジスタＴｒ８２のゲートは、配線ＧＷと電気的に接続されている。
【０１２６】
参照列出力回路Ｃｒｅｆが有する定電流回路ＣＩｒｅｆに着目する。トランジスタＴｒ６の第１端子は、端子ＣＴ３と電気的に接続され、トランジスタＴｒ６の第２端子は、端子ＣＴ４と電気的に接続され、トランジスタＴｒ６のゲートは、容量素子Ｃ４１の第１端子と電気的に接続され、トランジスタＴｒ６のバックゲートは、容量素子Ｃ４２の第１端子と電気的に接続されている。容量素子Ｃ４１の第２端子は、トランジスタＴｒ６の第２端子と電気的に接続され、容量素子Ｃ４２の第２端子は、トランジスタＴｒ６の第２端子と電気的に接続されている。トランジスタＴｒ９１の第１端子は、配線ＦＧｒｅｆと電気的に接続され、トランジスタＴｒ９１の第２端子は、容量素子Ｃ４１の第１端子と電気的に接続され、トランジスタＴｒ９１のゲートは、配線ＧＷと電気的に接続されている。トランジスタＴｒ９２の第１端子は、配線ＢＧｒｅｆと電気的に接続され、トランジスタＴｒ９２の第２端子は、容量素子Ｃ４２の第１端子と電気的に接続され、トランジスタＴｒ９２のゲートは、配線ＧＷと電気的に接続されている。
【０１２７】
配線ＦＧ［Ｊ］は、トランジスタＴｒ４のゲートに電位を与えるための配線であり、トランジスタＴｒ４のゲートの電位は、容量素子Ｃ３１によって保持される。配線ＢＧ［Ｊ］は、トランジスタＴｒ４のバックゲートに電位を与えるための配線であり、トランジスタＴｒ４のバックゲートの電位は、容量素子Ｃ３２によって保持される。配線ＦＧｒｅｆは、トランジスタＴｒ６のゲートに電位を与えるための配線であり、トランジスタＴｒ６のゲートの電位は、容量素子Ｃ４１によって保持される。配線ＢＧｒｅｆは、トランジスタＴｒ６のバックゲートに電位を与えるための配線であり、トランジスタＴｒ６のバックゲートの電位は、容量素子Ｃ４２によって保持される。
【０１２８】
配線ＧＷは、トランジスタＴｒ８１、トランジスタＴｒ８２、トランジスタＴｒ９１、及びトランジスタＴｒ９２の導通状態、非導通状態の切り替えを行うための配線である。配線ＧＷに高レベル電位を印加することによって、トランジスタＴｒ８１、トランジスタＴｒ８２、トランジスタＴｒ９１、及びトランジスタＴｒ９２のそれぞれを導通状態にすることができる。このときに、配線ＦＧ［１］乃至配線ＦＧ［ｎ］、配線ＢＧ［１］乃至配線ＢＧ［ｎ］にそれぞれ電位を印加することで、それぞれ定電流回路ＣＩが有するトランジスタＴｒ４のゲートとバックゲートに電位を与えることができる。同様に、配線ＦＧｒｅｆ、配線ＢＧｒｅｆにそれぞれ電位を与えることで、トランジスタＴｒ６のゲートとバックゲートに電位を与えることができる。それぞれの定電流回路ＣＩが有するトランジスタＴｒ４のゲートとバックゲート、トランジスタＴｒ６のゲートとバックゲートに電位を与えた後は、配線ＧＷに低レベル電位を印加して、トランジスタＴｒ８１、トランジスタＴｒ８２、トランジスタＴｒ９１、及びトランジスタＴｒ９２のそれぞれを非導通状態とすればよい。
【０１２９】
これにより、それぞれの定電流回路ＣＩが有するトランジスタＴｒ４のゲートとバックゲート、トランジスタＴｒ６のゲートとバックゲートは、電気的に浮遊状態となるので、トランジスタＴｒ４の第２端子の電位の変動に応じて、トランジスタＴｒ４のゲートとバックゲートとのそれぞれの電位が容量結合によって変動し、また、トランジスタＴｒ６の第２端子の電位の変動に応じて、トランジスタＴｒ６のゲートとバックゲートとのそれぞれの電位が容量結合によって変動する。このため、トランジスタＴｒ４の第２端子の電位が変動しても、定電流回路ＣＩの端子ＣＴ２から出力する電流量をあまり変化しないようにすることができる。同様に、トランジスタＴｒ６の第２端子の電位が変動しても、定電流回路ＣＩｒｅｆの端子ＣＴ４から出力する電流量をあまり変化しないようにすることができる。また、オフセット回路１１６の定電流回路ＣＩ及び定電流回路ＣＩｒｅｆは、全てのトランジスタＴｒ４のゲートとバックゲート、トランジスタＴｒ６のゲートとバックゲート、に対してそれぞれ独立に電位を与えることができるため、オフセット回路１１２よりも細かく定電流回路ＣＩ及び定電流回路ＣＩｒｅｆの動作点を設定することができる。
【０１３０】
なお、本発明の一態様に係る定電流回路ＣＩ及び定電流回路ＣＩｒｅｆの回路構成は、図３乃至図５に示す回路構成に限定されない。場合によって、状況に応じて、又は、必要に応じて、定電流回路ＣＩ及び定電流回路ＣＩｒｅｆの回路構成を変更してもよい。
【０１３１】
例えば、図３乃至図５に示す定電流回路ＣＩ及び定電流回路ＣＩｒｅｆと異なる回路構成を、図６乃至図８に示す。
【０１３２】
図６に示すオフセット回路１１２Ａは、図３乃至図５とは異なる、図２のオフセット回路１１１の定電流回路ＣＩ、及び定電流回路ＣＩｒｅｆの内部の構成の例を示した回路図である。
【０１３３】
列出力回路ＯＵＴ［ｊ］において、定電流回路ＣＩは、トランジスタＴｒ４と、ダイオードＤＩ１と、容量素子Ｃ３と、を有する。特に、トランジスタＴｒ４は、第１ゲート（ゲートと記載する。）と第２ゲート（バックゲートと記載する。）を有する。
【０１３４】
トランジスタＴｒ４の第１端子は、定電流回路ＣＩの端子ＣＴ１と電気的に接続され、トランジスタＴｒ４の第２端子は、定電流回路ＣＩの端子ＣＴ２と電気的に接続され、トランジスタＴｒ４のゲートは、容量素子Ｃ３の第１端子と電気的に接続され、トランジスタＴｒ４のバックゲートは、定電流回路ＣＩの端子ＣＴ２と電気的に接続されている。容量素子Ｃ３の第２端子は、トランジスタＴｒ４の第２端子と電気的に接続されている。ダイオードＤＩ１の入力端子は、配線ＦＧ［ｊ］と電気的に接続され、ダイオードＤＩ１の出力端子は、容量素子Ｃ３の第１端子と電気的に接続されている。
【０１３５】
配線ＦＧ［ｊ］は、トランジスタＴｒ４のゲートに電位を印加するための配線である。
【０１３６】
定電流回路ＣＩを上述の構成にすることによって、トランジスタＴｒ４のゲートの電位を容量素子Ｃ３によって保持することができる。具体的には、配線ＦＧ［ｊ］から、ダイオードＤＩ１を介して、トランジスタＴｒ４のゲートに電位を与えることで、容量素子Ｃ３の第１端子に該電位を保持することができる。なお、ダイオードＤＩ１は整流作用を有するため、配線ＦＧ［ｊ］を元の電位（容量素子Ｃ３の第１端子に保持した電位よりも低い電位）に戻しても、容量素子Ｃ３の第１端子から配線ＦＧ［ｊ］に電流は流れない。つまり、トランジスタＴｒ４のゲートを電気的に浮遊状態にすることができる。
【０１３７】
参照列出力回路Ｃｒｅｆにおいて、定電流回路ＣＩｒｅｆは、トランジスタＴｒ６と、ダイオードＤＩ２と、容量素子Ｃ４と、を有する。特に、トランジスタＴｒ６は、第１ゲート（ゲートと記載する。）と第２ゲート（バックゲートと記載する。）を有する。
【０１３８】
トランジスタＴｒ６の第１端子は、定電流回路ＣＩｒｅｆの端子ＣＴ３と電気的に接続され、トランジスタＴｒ６の第２端子は、定電流回路ＣＩｒｅｆの端子ＣＴ４と電気的に接続され、トランジスタＴｒ６のゲートは、容量素子Ｃ４の第１端子と電気的に接続され、トランジスタＴｒ６のバックゲートは、定電流回路ＣＩｒｅｆの端子ＣＴ４と電気的に接続されている。容量素子Ｃ４の第２端子は、トランジスタＴｒ６の第２端子と電気的に接続されている。ダイオードＤＩ２の入力端子は、配線ＦＧｒｅｆと電気的に接続され、ダイオードＤＩ２の出力端子は、容量素子Ｃ４の第１端子と電気的に接続されている。
【０１３９】
上述の通り、図６に示す定電流回路ＣＩ、及び定電流回路ＣＩｒｅｆは、図３に示す定電流回路ＣＩのトランジスタＴｒ８をダイオードＤＩ１に置き換え、定電流回路ＣＩｒｅｆのトランジスタＴｒ９をダイオードＤＩ２に置き換えた構成となっている。そのため、トランジスタＴｒ４における、第２端子とバックゲートとが電気的に接続されている効果、容量素子Ｃ３による容量結合の効果、については、図３の定電流回路ＣＩの説明の記載を参酌し、トランジスタＴｒ６における、第２端子とバックゲートとが電気的に接続されている効果、容量素子Ｃ４による容量結合の効果、については、図３の定電流回路ＣＩｒｅｆの説明の記載を参酌する。
【０１４０】
なお、図６に示すオフセット回路１１２Ａは、列出力回路ＯＵＴ［１］、列出力回路ＯＵＴ［ｊ］、列出力回路ＯＵＴ［ｎ］、参照列出力回路Ｃｒｅｆ、定電流回路ＣＩ、定電流回路ＣＩｒｅｆ、カレントミラー回路ＣＭ、出力端子ＯＴ［１］、出力端子ＯＴ［ｊ］、出力端子ＯＴ［ｎ］、出力端子ＯＴｒｅｆ、端子ＣＴ１、端子ＣＴ２、端子ＣＴ３、端子ＣＴ４、端子ＣＴ５［１］、端子ＣＴ５［ｊ］、端子ＣＴ５［ｎ］、端子ＣＴ６［１］、端子ＣＴ６［ｊ］、端子ＣＴ６［ｎ］、端子ＣＴ７、端子ＣＴ８、トランジスタＴｒ１、トランジスタＴｒ２、トランジスタＴｒ３、トランジスタＴｒ６、ダイオードＤＩ１、ダイオードＤＩ２、容量素子Ｃ１、容量素子Ｃ３、容量素子Ｃ４、配線ＯＬ［１］、配線ＯＬ［ｊ］、配線ＯＬ［ｎ］、配線ＯＲＰ、配線ＯＳＰ、配線Ｂ［１］、配線Ｂ［ｊ］、配線Ｂ［ｎ］、配線Ｂｒｅｆ、配線ＦＧ［１］、配線ＦＧ［ｊ］、配線ＦＧ［ｎ］、配線ＦＧｒｅｆ、配線ＩＬ［１］、配線ＩＬ［ｊ］、配線ＩＬ［ｎ］、配線ＩＬｒｅｆ、ノードＮＣＭｒｅｆ、配線ＶＤＤＬ、配線ＶＳＳＬのみ図示しており、それ以外の回路、配線、素子、及びそれらの符号については省略している。
【０１４１】
図７に示すオフセット回路１１５Ａは、図３乃至図６とは異なる、図２のオフセット回路１１１の定電流回路ＣＩ、及び定電流回路ＣＩｒｅｆの内部の構成の例を示した回路図である。
【０１４２】
オフセット回路１１５Ａの定電流回路ＣＩ及び定電流回路ＣＩｒｅｆは、オフセット回路１１２Ａの定電流回路ＣＩのトランジスタＴｒ４、及びオフセット回路１１２Ａの定電流回路ＣＩｒｅｆのトランジスタＴｒ６の接続構成を変更した回路となっている。具体的には、オフセット回路１１５Ａにおいて、トランジスタＴｒ４のバックゲートは、容量素子Ｃ３の第１端子と電気的に接続され、トランジスタＴｒ４のゲートは、トランジスタＴｒ４の第２端子と電気的に接続されている。なお、トランジスタＴｒ４の第１端子が、端子ＣＴ１と電気的に接続されている点と、トランジスタＴｒ４の第２端子が、端子ＣＴ２と電気的に接続されている点と、については、オフセット回路１１２Ａと同様である。加えて、オフセット回路１１５Ａにおいて、トランジスタＴｒ６のバックゲートは、容量素子Ｃ４の第１端子と電気的に接続され、トランジスタＴｒ６のゲートは、トランジスタＴｒ６の第２端子と電気的に接続されている。なお、トランジスタＴｒ６の第１端子が、端子ＣＴ３と電気的に接続されている点と、トランジスタＴｒ６の第２端子が、端子ＣＴ４と電気的に接続されている点と、については、オフセット回路１１２Ａと同様である。
【０１４３】
なお、図７において、列出力回路ＯＵＴ［１］の定電流回路ＣＩのダイオードＤＩ１の入力端子は、配線ＢＧ［１］と電気的に接続され、ダイオードＤＩ１の出力端子は、列出力回路ＯＵＴ［１］の定電流回路ＣＩのトランジスタＴｒ４のバックゲートと電気的に接続されている。同様に、列出力回路ＯＵＴ［ｊ］の定電流回路ＣＩのダイオードＤＩ１の入力端子は、配線ＢＧ［ｊ］と電気的に接続され、ダイオードＤＩ１の出力端子は、列出力回路ＯＵＴ［ｊ］の定電流回路ＣＩのトランジスタＴｒ４のバックゲートと電気的に接続されている。更に、同様に、列出力回路ＯＵＴ［ｎ］の定電流回路ＣＩのダイオードＤＩ１の入力端子は、配線ＢＧ［ｎ］と電気的に接続され、ダイオードＤＩ１の出力端子は、列出力回路ＯＵＴ［ｎ］の定電流回路ＣＩのトランジスタＴｒ４のバックゲートと電気的に接続されている。参照列出力回路Ｃｒｅｆの定電流回路ＣＩｒｅｆのダイオードＤＩ２の入力端子は、配線ＢＧｒｅｆと電気的に接続され、ダイオードＤＩ２の出力端子は、参照列出力回路Ｃｒｅｆの定電流回路ＣＩｒｅｆのトランジスタＴｒ６のバックゲートと電気的に接続されている。
【０１４４】
上述の通り、図７に示す定電流回路ＣＩ、及び定電流回路ＣＩｒｅｆは、図４に示す定電流回路ＣＩのトランジスタＴｒ８をダイオードＤＩ１に置き換え、定電流回路ＣＩｒｅｆのトランジスタＴｒ９をダイオードＤＩ２に置き換えた構成となっている。そのため、トランジスタＴｒ４における、第２端子とゲートとが電気的に接続されている効果、容量素子Ｃ３による容量結合の効果、については、図４の定電流回路ＣＩの説明の記載を参酌し、トランジスタＴｒ６における、第２端子とゲートとが電気的に接続されている効果、容量素子Ｃ４による容量結合の効果、については、図４の定電流回路ＣＩｒｅｆの説明の記載を参酌する。
【０１４５】
図８に示すオフセット回路１１６Ａは、図３乃至図７とは異なる、図２のオフセット回路１１１の定電流回路ＣＩ、及び定電流回路ＣＩｒｅｆの内部の構成の例を示した回路図である。
【０１４６】
オフセット回路１１６Ａの定電流回路ＣＩ及び定電流回路ＣＩｒｅｆの回路構成について説明する。定電流回路ＣＩは、トランジスタＴｒ４と、ダイオードＤＩ１１と、ダイオードＤＩ１２と、容量素子Ｃ３１と、容量素子Ｃ３２と、を有し、定電流回路ＣＩｒｅｆは、トランジスタＴｒ６と、ダイオードＤＩ２１と、ダイオードＤＩ２２と、容量素子Ｃ４１と、容量素子Ｃ４２と、を有する。
【０１４７】
列出力回路ＯＵＴ［ｊ］が有する定電流回路ＣＩに着目する。トランジスタＴｒ４の第１端子は、端子ＣＴ１と電気的に接続され、トランジスタＴｒ４の第２端子は、端子ＣＴ２と電気的に接続され、トランジスタＴｒ４のゲートは、容量素子Ｃ３１の第１端子と電気的に接続され、トランジスタＴｒ４のバックゲートは、容量素子Ｃ３２の第１端子と電気的に接続されている。容量素子Ｃ３１の第２端子は、トランジスタＴｒ４の第２端子と電気的に接続され、容量素子Ｃ３２の第２端子は、トランジスタＴｒ４の第２端子と電気的に接続されている。ダイオードＤＩ１１の入力端子は、配線ＦＧ［ｊ］と電気的に接続され、ダイオードＤＩ１１の出力端子は、容量素子Ｃ３１の第１端子と電気的に接続されている。ダイオードＤＩ１２の入力端子は、配線ＢＧ［ｊ］と電気的に接続され、ダイオードＤＩ１２の出力端子は、容量素子Ｃ３２の第１端子と電気的に接続されている。
【０１４８】
参照列出力回路Ｃｒｅｆが有する定電流回路ＣＩｒｅｆに着目する。トランジスタＴｒ６の第１端子は、端子ＣＴ３と電気的に接続され、トランジスタＴｒ６の第２端子は、端子ＣＴ４と電気的に接続され、トランジスタＴｒ６のゲートは、容量素子Ｃ４１の第１端子と電気的に接続され、トランジスタＴｒ６のバックゲートは、容量素子Ｃ４２の第１端子と電気的に接続されている。容量素子Ｃ４１の第２端子は、トランジスタＴｒ６の第２端子と電気的に接続され、容量素子Ｃ４２の第２端子は、トランジスタＴｒ６の第２端子と電気的に接続されている。ダイオードＤＩ２１の入力端子は、配線ＦＧｒｅｆと電気的に接続され、ダイオードＤＩ２１の出力端子は、容量素子Ｃ４１の第１端子と電気的に接続されている。ダイオードＤＩ２２の入力端子は、配線ＢＧｒｅｆと電気的に接続され、ダイオードＤＩ２２の出力端子は、容量素子Ｃ４２の第１端子と電気的に接続されている。
【０１４９】
配線ＦＧ［ｊ］は、トランジスタＴｒ４のゲートに電位を与えるための配線であり、トランジスタＴｒ４のゲートの電位は、容量素子Ｃ３１によって保持される。配線ＢＧ［ｊ］は、トランジスタＴｒ４のバックゲートに電位を与えるための配線であり、トランジスタＴｒ４のバックゲートの電位は、容量素子Ｃ３２によって保持される。配線ＦＧｒｅｆは、トランジスタＴｒ６のゲートに電位を与えるための配線であり、トランジスタＴｒ６のゲートの電位は、容量素子Ｃ４１によって保持される。配線ＢＧｒｅｆは、トランジスタＴｒ６のバックゲートに電位を与えるための配線であり、トランジスタＴｒ６のバックゲートの電位は、容量素子Ｃ４２によって保持される。
【０１５０】
上述の通り、図８に示す定電流回路ＣＩ、及び定電流回路ＣＩｒｅｆは、図５に示す定電流回路ＣＩのトランジスタＴｒ８１をダイオードＤＩ１１に置き換え、トランジスタＴｒ８２をダイオードＤＩ１２に置き換え、定電流回路ＣＩｒｅｆのトランジスタＴｒ９１をダイオードＤＩ２１に置き換え、トランジスタＴｒ９２をダイオードＤＩ２２に置き換えた構成となっている。そのため、トランジスタＴｒ４における、第２端子とゲートとが電気的に接続されている効果、容量素子Ｃ３１、容量素子Ｃ３２による容量結合の効果、については、図５の定電流回路ＣＩの説明の記載を参酌し、トランジスタＴｒ６における、第２端子とゲートとが電気的に接続されている効果、容量素子Ｃ４１、容量素子Ｃ４２による容量結合の効果、については、図５の定電流回路ＣＩｒｅｆの説明の記載を参酌する。
【０１５１】
〔カレントミラー回路ＣＭ〕
次に、カレントミラー回路ＣＭの内部の構成例について説明する。
【０１５２】
図９に示すオフセット回路１１３は、図２のオフセット回路１１１のカレントミラー回路ＣＭの内部の構成の例を示した回路図である。
【０１５３】
カレントミラー回路ＣＭは、列出力回路ＯＵＴ［１］乃至列出力回路ＯＵＴ［ｎ］のそれぞれにトランジスタＴｒ５を有し、参照列出力回路ＣｒｅｆにトランジスタＴｒ７を有する。
【０１５４】
列出力回路ＯＵＴ［ｊ］が有するトランジスタＴｒ５の第１端子は、カレントミラー回路ＣＭの端子ＣＴ５［ｊ］と、端子ＣＴ６［ｊ］と、に電気的に接続されている。列出力回路ＯＵＴ［ｊ］が有するトランジスタＴｒ５の第２端子は、配線ＶＳＳＬと電気的に接続されている。列出力回路ＯＵＴ［ｊ］が有するトランジスタＴｒ５のゲートは、カレントミラー回路ＣＭの端子ＣＴ７と、端子ＣＴ８と、に電気的に接続されている。
【０１５５】
参照列出力回路Ｃｒｅｆが有するトランジスタＴｒ７の第１端子は、カレントミラー回路ＣＭの端子ＣＴ７と、端子ＣＴ８と、に電気的に接続されている。参照列出力回路Ｃｒｅｆが有するトランジスタＴｒ７の第２端子は、配線ＶＳＳＬと電気的に接続されている。参照列出力回路Ｃｒｅｆが有するトランジスタＴｒ７のゲートは、カレントミラー回路ＣＭの端子ＣＴ７と、端子ＣＴ８と、に電気的に接続されている。
【０１５６】
なお、図９に示すオフセット回路１１３は、列出力回路ＯＵＴ［１］、列出力回路ＯＵＴ［ｊ］、列出力回路ＯＵＴ［ｎ］、参照列出力回路Ｃｒｅｆ、定電流回路ＣＩ、定電流回路ＣＩｒｅｆ、カレントミラー回路ＣＭ、出力端子ＯＴ［１］、出力端子ＯＴ［ｊ］、出力端子ＯＴ［ｎ］、出力端子ＯＴｒｅｆ、端子ＣＴ１、端子ＣＴ２、端子ＣＴ３、端子ＣＴ４、端子ＣＴ５［１］、端子ＣＴ５［ｊ］、端子ＣＴ５［ｎ］、端子ＣＴ６［１］、端子ＣＴ６［ｊ］、端子ＣＴ６［ｎ］、端子ＣＴ７、端子ＣＴ８、トランジスタＴｒ１、トランジスタＴｒ２、トランジスタＴｒ３、トランジスタＴｒ５、トランジスタＴｒ７、容量素子Ｃ１、配線ＯＬ［１］、配線ＯＬ［ｊ］、配線ＯＬ［ｎ］、配線ＯＬｒｅｆ、配線ＯＲＰ、配線ＯＳＰ、配線Ｂ［１］、配線Ｂ［ｊ］、配線Ｂ［ｎ］、配線Ｂｒｅｆ、配線ＩＬ［１］、配線ＩＬ［ｊ］、配線ＩＬ［ｎ］、配線ＩＬｒｅｆ、ノードＮＣＭｒｅｆ、配線ＶＤＤＬ、配線ＶＳＳＬのみ図示しており、それ以外の回路、配線、素子、及びそれらの符号については省略している。
【０１５７】
＜＜メモリセルアレイ１２０＞＞
次に、メモリセルアレイ１２０に適用できる回路構成の例について説明する。図１０に、メモリセルアレイ１２０の一例として、メモリセルアレイ１２１を示す。
【０１５８】
メモリセルアレイ１２１は、メモリセルＡＭと、メモリセルＡＭｒｅｆと、を有する。メモリセルアレイ１２１が有する全てのメモリセルＡＭのそれぞれは、トランジスタＴｒ１１と、トランジスタＴｒ１２と、容量素子Ｃ２と、を有する。メモリセルＡＭｒｅｆ［１］乃至メモリセルＡＭｒｅｆ［ｍ］のそれぞれは、トランジスタＴｒ１１と、トランジスタＴｒ１２と、容量素子Ｃ２と、を有する。
【０１５９】
メモリセルアレイ１２１の接続構成について、メモリセルＡＭ［ｉ，ｊ］に着目して説明する。トランジスタＴｒ１１の第１端子は、トランジスタＴｒ１２のゲートと、容量素子Ｃ２の第１端子と、に電気的に接続され、トランジスタＴｒ１１の第２端子は、配線ＷＤ［ｊ］と電気的に接続され、トランジスタＴｒ１１のゲートは、配線ＷＷ［ｉ］と電気的に接続されている。トランジスタＴｒ１２の第１端子は、配線Ｂ［ｊ］と電気的に接続され、トランジスタＴｒ１２の第２端子は、配線ＶＲと電気的に接続される。容量素子Ｃ２の第２端子は、配線ＲＷ［ｉ］と電気的に接続されている。
【０１６０】
メモリセルＡＭ［ｉ，ｊ］において、トランジスタＴｒ１１の第１端子と、トランジスタＴｒ１２のゲートと、容量素子Ｃ２の第１端子と、の接続箇所をノードＮ［ｉ，ｊ］とする。本発明の一態様において、ノードＮ［ｉ，ｊ］には、第１アナログデータに応じた電位を保持する。
【０１６１】
次に、メモリセルＡＭｒｅｆ［ｉ］に着目して説明する。トランジスタＴｒ１１の第１端子は、トランジスタＴｒ１２のゲートと、容量素子Ｃ２の第１端子と、に電気的に接続され、トランジスタＴｒ１１の第２端子は、配線ＷＤｒｅｆと電気的に接続され、トランジスタＴｒ１１のゲートは、配線ＷＷ［ｉ］と電気的に接続されている。トランジスタＴｒ１２の第１端子は、配線Ｂｒｅｆと電気的に接続され、トランジスタＴｒ１２の第２端子は、配線ＶＲと電気的に接続される。容量素子Ｃ２の第２端子は、配線ＲＷ［ｉ］と電気的に接続されている。
【０１６２】
メモリセルＡＭｒｅｆ［ｉ］において、トランジスタＴｒ１１の第１端子と、トランジスタＴｒ１２のゲートと、容量素子Ｃ２の第１端子と、の接続箇所をノードＮｒｅｆ［ｉ］とする。
【０１６３】
なお、図１０に示すメモリセルアレイ１２１は、メモリセルＡＭ［１，１］、メモリセルＡＭ［ｉ，１］、メモリセルＡＭ［ｍ，１］、メモリセルＡＭ［１，ｊ］、メモリセルＡＭ［ｉ，ｊ］、メモリセルＡＭ［ｍ，ｊ］、メモリセルＡＭ［１，ｎ］、メモリセルＡＭ［ｉ，ｎ］、メモリセルＡＭ［ｍ，ｎ］、メモリセルＡＭｒｅｆ［１］、メモリセルＡＭｒｅｆ［ｉ］、メモリセルＡＭｒｅｆ［ｍ］、配線ＲＷ［１］、配線ＲＷ［ｉ］、配線ＲＷ［ｍ］、配線ＷＷ［１］、配線ＷＷ［ｉ］、配線ＷＷ［ｍ］、配線ＷＤ［１］、配線ＷＤ［ｊ］、配線ＷＤ［ｎ］、配線ＷＤｒｅｆ、配線Ｂ［１］、配線Ｂ［ｊ］、配線Ｂ［ｎ］、配線Ｂｒｅｆ、配線ＶＲ、出力端子ＳＰＴ［１］、出力端子ＳＰＴ［ｊ］、出力端子ＳＰＴ［ｎ］、ノードＮ［１，１］、ノードＮ［ｉ，１］、ノードＮ［ｍ，１］、ノードＮ［１，ｊ］、ノードＮ［ｉ，ｊ］、ノードＮ［ｍ，ｊ］、ノードＮ［１，ｎ］、ノードＮ［ｉ，ｎ］、ノードＮ［ｍ，ｎ］、ノードＮｒｅｆ［１］、ノードＮｒｅｆ［ｉ］、ノードＮｒｅｆ［ｍ］、トランジスタＴｒ１１、トランジスタＴｒ１２、容量素子Ｃ２のみ図示しており、それ以外の回路、配線、素子、及びそれらの符号については省略している。
【０１６４】
なお、上述したトランジスタＴｒ１乃至トランジスタＴｒ９、トランジスタＴｒ１１、及びトランジスタＴｒ１２は、それぞれＯＳトランジスタであることが好ましい。加えて、トランジスタＴｒ１乃至トランジスタＴｒ９、トランジスタＴｒ１１、及びトランジスタＴｒ１２のそれぞれのチャネル形成領域は、実施の形態５に記載する金属酸化物を有することがより好ましい。具体的には、例えば、金属酸化物は、インジウム、元素Ｍ（元素Ｍはアルミニウム、ガリウム、イットリウム、またはスズ）、亜鉛の少なくとも一を含む酸化物であることが更に好ましい。
【０１６５】
トランジスタＴｒ１乃至トランジスタＴｒ９、トランジスタＴｒ１１、及びトランジスタＴｒ１２として、ＯＳトランジスタを用いることにより、トランジスタＴｒ１乃至トランジスタＴｒ９、トランジスタＴｒ１１、及びトランジスタＴｒ１２のそれぞれのリーク電流を抑えることができるため、計算精度の高い積和演算処理回路を実現できる場合がある。特に、トランジスタＴｒ１１として、ＯＳトランジスタを用いることにより、トランジスタＴｒ１１が非導通状態における、保持ノードから書き込みワード線へのリーク電流を非常に小さくすることができる。つまり、保持ノードの電位のリフレッシュ動作を少なくすることができるため、半導体装置の消費電力を低減することができる。
【０１６６】
更に、上述したトランジスタＴｒ１乃至トランジスタＴｒ９、トランジスタＴｒ１１、及びトランジスタＴｒ１２の全てにＯＳトランジスタを適用することによって、半導体装置の作製工程を短縮することができる。つまり、半導体装置の生産時間を少なくすることができるため、一定時間当たりの生産数を増加することができる。
【０１６７】
なお、トランジスタＴｒ１、トランジスタＴｒ４乃至トランジスタＴｒ７、及びトランジスタＴｒ１２は、特に断りのない場合は、飽和領域で動作するものとする。すなわち、トランジスタＴｒ１、トランジスタＴｒ４乃至トランジスタＴｒ７、及びトランジスタＴｒ１２のゲート電圧、ソース電圧、及びドレイン電圧は、飽和領域で動作する範囲での電圧に適切にバイアスされているものとする。なお、トランジスタＴｒ１、トランジスタＴｒ４乃至トランジスタＴｒ７、及びトランジスタＴｒ１２の動作が、理想的な飽和領域での動作からずれていても、出力データの精度が所望の範囲内で得られる場合であれば、トランジスタＴｒ１、トランジスタＴｒ４乃至トランジスタＴｒ７、及びトランジスタＴｒ１２のゲート電圧、ソース電圧、及びドレイン電圧は、適切にバイアスされているものとみなす。
【０１６８】
また、本発明の一態様の半導体装置は、場合によって、状況に応じて、又は、必要に応じて、上述した構成例を互いに組み合わせた構成としてもよい。
【０１６９】
＜動作例＞
ここでは、本発明の一態様の半導体装置１００の動作の一例について説明する。なお、本動作例で説明する半導体装置１００は、オフセット回路１１０として、図１１に示すオフセット回路１５０を適用し、かつ半導体装置１００のメモリセルアレイ１２０として、図１３に示すメモリセルアレイ１６０を適用した構成とする。
【０１７０】
図１１に示すオフセット回路１５０は、図３のオフセット回路１１２の定電流回路ＣＩ及び定電流回路ＣＩｒｅｆと、図９のオフセット回路１１３が有するカレントミラー回路ＣＭと、を適用させた回路構成となっている。図１１に示す構成を適用することによって、オフセット回路１５０を、全て同一の極性のトランジスタによって構成することができる。なお、本動作例の説明として、図１１は、列出力回路ＯＵＴ［ｊ］、列出力回路ＯＵＴ［ｊ＋１］、及び参照列出力回路Ｃｒｅｆを図示している。
【０１７１】
なお、図１１には、列出力回路ＯＵＴ［ｊ］の定電流回路ＣＩの端子ＣＴ２からカレントミラー回路ＣＭの端子ＣＴ５［ｊ］に流れる電流をＩＣ［ｊ］と記載し、列出力回路ＯＵＴ［ｊ＋１］の定電流回路ＣＩの端子ＣＴ２からカレントミラー回路ＣＭの端子ＣＴ５［ｊ＋１］に流れる電流をＩＣ［ｊ＋１］と記載し、参照列出力回路Ｃｒｅｆの定電流回路ＣＩｒｅｆの端子ＣＴ４からカレントミラー回路ＣＭの端子ＣＴ７に流れる電流をＩＣｒｅｆと記載する。また、カレントミラー回路ＣＭにおいて、列出力回路ＯＵＴ［ｊ］の配線ＩＬ［ｊ］を介してトランジスタＴｒ５の第１端子に流れる電流と、列出力回路ＯＵＴ［ｊ＋１］の配線ＩＬ［ｊ＋１］を介してトランジスタＴｒ５の第１端子に流れる電流と、参照列出力回路Ｃｒｅｆの配線ＩＬｒｅｆを介してトランジスタＴｒ７に流れる電流と、をＩＣＭと記載する。つまり、列出力回路ＯＵＴ［ｊ］において、カレントミラー回路ＣＭの端子ＣＴ６［ｊ］には、ＩＣ［ｊ］−ＩＣＭの電流が流れ、列出力回路ＯＵＴ［ｊ＋１］において、カレントミラー回路ＣＭの端子ＣＴ６［ｊ＋１］には、ＩＣ［ｊ＋１］−ＩＣＭの電流が流れる。更に、列出力回路ＯＵＴ［ｊ］の配線ＯＬ［ｊ］からトランジスタＴｒ１の第１端子又はトランジスタＴｒ２の第１端子に流れる電流をＩＣＰ［ｊ］と記載し、列出力回路ＯＵＴ［ｊ＋１］の配線ＯＬ［ｊ＋１］からトランジスタＴｒ１の第１端子又はトランジスタＴｒ２の第１端子に流れる電流をＩＣＰ［ｊ＋１］と記載する。そして、列出力回路ＯＵＴ［ｊ］の出力端子ＯＴ［ｊ］から配線Ｂ［ｊ］に出力する電流をＩＢ［ｊ］と記載し、列出力回路ＯＵＴ［ｊ＋１］の出力端子ＯＴ［ｊ＋１］から配線Ｂ［ｊ＋１］に出力する電流をＩＢ［ｊ＋１］と記載し、参照列出力回路Ｃｒｅｆの出力端子ＯＴｒｅｆから配線Ｂｒｅｆに出力する電流をＩＢｒｅｆと記載する。なお、本動作例では、ＩＢ［ｊ］、ＩＢ［ｊ＋１］、及びＩＢｒｅｆが常に０以上の電流値となるように、列出力回路ＯＵＴ［ｊ］の定電流回路ＣＩから出力されるＩＣ［ｊ］、列出力回路ＯＵＴ［ｊ＋１］の定電流回路ＣＩから出力されるＩＣ［ｊ＋１］、及び参照列出力回路Ｃｒｅｆの定電流回路ＣＩｒｅｆから出力されるＩＣｒｅｆはそれぞれ十分に大きい電流値とする。
【０１７２】
また、図１１に示すオフセット回路１５０の代わりとして、図１２に示すオフセット回路１５０Ａを適用してもよい。オフセット回路１５０Ａは、図６のオフセット回路１１２Ａの定電流回路ＣＩ及び定電流回路ＣＩｒｅｆと、図９のオフセット回路１１３が有するカレントミラー回路ＣＭと、を適用させた回路構成となっている。オフセット回路１５０Ａは、オフセット回路１５０の定電流回路ＣＩが有するトランジスタＴｒ８をダイオードＤＩ１に置き換え、オフセット回路１５０の定電流回路ＣＩｒｅｆが有するトランジスタＴｒ９をダイオードＤＩ２に置き換えた構成となっているため、オフセット回路１５０Ａは、ほぼオフセット回路１５０の等価回路として考えることができる。
【０１７３】
図１３に示すメモリセルアレイ１６０は、図１０に示すメモリセルアレイ１２１と同様の構成であり、本動作例の説明として、図１３は、メモリセルＡＭ［ｉ，ｊ］、メモリセルＡＭ［ｉ＋１，ｊ］、メモリセルＡＭ［ｉ，ｊ＋１］、メモリセルＡＭ［ｉ＋１，ｊ＋１］、メモリセルＡＭｒｅｆ［ｉ］、及びメモリセルＡＭｒｅｆ［ｉ＋１］を図示している。
【０１７４】
なお、図１３には、配線Ｂ［ｊ］から入力される電流をＩＢ［ｊ］と記載し、配線Ｂ［ｊ＋１］から入力される電流をＩＢ［ｊ＋１］と記載し、配線Ｂｒｅｆから入力される電流をＩＢｒｅｆと記載する。また、配線Ｂ［ｊ］に電気的に接続されている出力端子ＳＰＴ［ｊ］から出力される電流をΔＩＢ［ｊ］と記載し、配線Ｂ［ｊ＋１］に電気的に接続されている出力端子ＳＰＴ［ｊ＋１］から出力される電流をΔＩＢ［ｊ＋１］と記載する。
【０１７５】
図１４乃至図１７に、オフセット回路１５０と、メモリセルアレイ１６０と、を有する半導体装置１００の動作例のタイミングチャートを示す。図１４のタイミングチャートは、時刻Ｔ０１乃至時刻Ｔ０４における、配線ＦＧＡ［ｊ］、配線ＦＧＢ［ｊ］、配線ＦＧＡ［ｊ＋１］、配線ＦＧＢ［ｊ＋１］、配線ＦＧＡｒｅｆ、及び配線ＦＧＢｒｅｆの電位の変動を示している。図１６のタイミングチャートは、時刻Ｔ０４以降の動作として、時刻Ｔ１１乃至時刻Ｔ１８における、配線ＷＷ［ｉ］、配線ＷＷ［ｉ＋１］、配線ＷＤ［ｊ］、配線ＷＤ［ｊ＋１］、配線ＷＤｒｅｆ、ノードＮ［ｉ，ｊ］、ノードＮ［ｉ，ｊ＋１］、ノードＮ［ｉ＋１，ｊ］、ノードＮ［ｉ＋１，ｊ＋１］、ノードＮｒｅｆ［ｉ］、ノードＮｒｅｆ［ｉ＋１］、配線ＲＷ［ｉ］、配線ＲＷ［ｉ＋１］、配線ＯＳＰ、及び配線ＯＲＰの電位の変動を示し、電流ΣＩ［ｉ，ｊ］、電流ΣＩ［ｉ，ｊ＋１］、及び電流ＩＢｒｅｆの大きさの変動を示している。なお、電流ΣＩ［ｉ，ｊ］は、メモリセルＡＭ［ｉ，ｊ］のトランジスタＴｒ１２に流れる電流をｉについて和をとった値であり、電流ΣＩ［ｉ，ｊ＋１］は、メモリセルＡＭ［ｉ，ｊ＋１］のトランジスタＴｒ１２に流れる電流をｉについて和をとった値である。図１７のタイミングチャートは、図１６のタイミングチャートの時刻Ｔ１９以降を示しており、時刻Ｔ２４まで記載している。なお、時刻Ｔ１９以降において、配線ＷＷ［ｉ］、配線ＷＷ［ｉ＋１］、配線ＯＲＰ、配線ＯＳＰのそれぞれの電位は、低レベル電位のまま変動せず、配線ＷＤ［ｊ］、配線ＷＤ［ｊ＋１］、配線ＷＤｒｅｆのそれぞれの電位は、接地電位のまま変動しないため、図１７のタイミングチャートでは、配線ＷＷ［ｉ］、配線ＷＷ［ｉ＋１］、配線ＷＤ［ｊ］、配線ＷＤ［ｊ＋１］、配線ＷＤｒｅｆ、配線ＯＲＰ、配線ＯＳＰの電位の変動の記載を省略している。また、図１７のタイミングチャートは、後述するΔＩＢ［ｊ］、ΔＩＢ［ｊ＋１］の電流の大きさの変動を記載している。
【０１７６】
＜＜時刻Ｔ０１から時刻Ｔ０３まで＞＞
時刻Ｔ０１から時刻Ｔ０３までの間において、配線ＦＧＢ［ｊ］、配線ＦＧＢ［ｊ＋１］、及び配線ＦＧＢｒｅｆに高レベル電位（図１４では、Ｈｉｇｈと表記している。）が印加されている。このとき、列出力回路ＯＵＴ［ｊ］、及び列出力回路ＯＵＴ［ｊ＋１］が有するそれぞれの定電流回路ＣＩのトランジスタＴｒ８のゲートに高レベル電位が印加されるため、トランジスタＴｒ８は導通状態となる。また、参照列出力回路Ｃｒｅｆが有する定電流回路ＣＩｒｅｆのトランジスタＴｒ９のゲートに高レベル電位が印加されるため、トランジスタＴｒ９は導通状態となる。
【０１７７】
時刻Ｔ０１において、配線ＦＧＡ［ｊ］、配線ＦＧＡ［ｊ＋１］、及びＦＧＡｒｅｆには、接地電位としてＧＮＤ電位が印加されている。
【０１７８】
時刻Ｔ０２において、配線ＦＧＡ［ｊ］、配線ＦＧＡ［ｊ＋１］、及びＦＧＡｒｅｆにそれぞれ所定の電位が印加される。このとき、列出力回路ＯＵＴ［ｊ］、及び列出力回路ＯＵＴ［ｊ＋１］が有するそれぞれの定電流回路ＣＩのトランジスタＴｒ８が導通状態となっているため、配線ＦＧＡ［ｊ］の電位、及び配線ＦＧＡ［ｊ＋１］の電位は、それぞれ列出力回路ＯＵＴ［ｊ］の定電流回路ＣＩのトランジスタＴｒ４のゲート、及び列出力回路ＯＵＴ［ｊ＋１］の定電流回路ＣＩのトランジスタＴｒ４のゲートに印加される。また、参照列出力回路Ｃｒｅｆが有する定電流回路ＣＩｒｅｆのトランジスタＴｒ９が導通状態となっているため、配線ＦＧＡｒｅｆの電位は、参照列出力回路Ｃｒｅｆの定電流回路ＣＩｒｅｆのトランジスタＴｒ６のゲートに印加される。
【０１７９】
＜＜時刻Ｔ０３から時刻Ｔ０４まで＞＞
時刻Ｔ０３から時刻Ｔ０４までの間において、配線ＦＧＢ［ｊ］、配線ＦＧＢ［ｊ＋１］、及び配線ＦＧＢｒｅｆに低レベル電位（図１４では、Ｌｏｗと表記している。）が印加されている。これにより、列出力回路ＯＵＴ［ｊ］、及び列出力回路ＯＵＴ［ｊ＋１］が有するそれぞれの定電流回路ＣＩのトランジスタＴｒ８のゲートに低レベル電位が印加されるため、トランジスタＴｒ８は非導通状態となる。また、参照列出力回路Ｃｒｅｆが有する定電流回路ＣＩｒｅｆのトランジスタＴｒ９のゲートに低レベル電位が印加されるため、トランジスタＴｒ９は非導通状態となる。
【０１８０】
このとき、列出力回路ＯＵＴ［ｊ］の定電流回路ＣＩのトランジスタＴｒ４のゲートの電位は、列出力回路ＯＵＴ［ｊ］の定電流回路ＣＩの容量素子Ｃ３によって保持され、列出力回路ＯＵＴ［ｊ＋１］の定電流回路ＣＩのトランジスタＴｒ４のゲートの電位は、列出力回路ＯＵＴ［ｊ＋１］の定電流回路ＣＩの容量素子Ｃ３によって保持される。同様に、参照列出力回路Ｃｒｅｆの定電流回路ＣＩｒｅｆのトランジスタＴｒ６のゲートの電位は、参照列出力回路Ｃｒｅｆの定電流回路ＣＩｒｅｆの容量素子Ｃ４によって保持される。
【０１８１】
時刻Ｔ０１乃至時刻Ｔ０４の動作によって、オフセット回路１５０の定電流回路ＣＩ及び定電流回路ＣＩｒｅｆの動作点を設定することができる。
【０１８２】
ところで、オフセット回路１５０Ａと、メモリセルアレイ１６０と、を有する半導体装置１００の場合、その動作例を図１５に示す。
【０１８３】
時刻Ｔ０１において、配線ＦＧ［ｊ］、配線ＦＧ［ｊ＋１］、及びＦＧｒｅｆには、接地電位としてＧＮＤ電位が印加されている。
【０１８４】
時刻Ｔ０２において、配線ＦＧ［ｊ］、配線ＦＧ［ｊ＋１］、及びＦＧｒｅｆにそれぞれ所定の電位が印加される。このとき、配線ＦＧ［ｊ］の電位、及び配線ＦＧ［ｊ＋１］の電位は、それぞれ列出力回路ＯＵＴ［ｊ］の定電流回路ＣＩのトランジスタＴｒ４のゲート、及び列出力回路ＯＵＴ［ｊ＋１］の定電流回路ＣＩのトランジスタＴｒ４のゲートに印加される。また、配線ＦＧｒｅｆの電位は、参照列出力回路Ｃｒｅｆの定電流回路ＣＩｒｅｆのトランジスタＴｒ６のゲートに印加される。
【０１８５】
時刻Ｔ０３において、配線ＦＧ［ｊ］、配線ＦＧ［ｊ＋１］、及び配線ＦＧｒｅｆにＧＮＤ電位が印加されている。このとき、列出力回路ＯＵＴ［ｊ］の定電流回路ＣＩのダイオードＤＩ１の整流作用により、列出力回路ＯＵＴ［ｊ］の定電流回路ＣＩのトランジスタＴｒ４のゲートの電位は、出力回路ＯＵＴ［ｊ］の定電流回路ＣＩの容量素子Ｃ３に保持され、列出力回路ＯＵＴ［ｊ＋１］の定電流回路ＣＩのトランジスタＴｒ４のゲートの電位は、列出力回路ＯＵＴ［ｊ＋１］の定電流回路ＣＩの容量素子Ｃ３に保持される。同様に、参照列出力回路Ｃｒｅｆの定電流回路ＣＩｒｅｆのダイオードＤＩ２の整流作用により、参照列出力回路Ｃｒｅｆの定電流回路ＣＩｒｅｆのトランジスタＴｒ６のゲートの電位は、参照列出力回路Ｃｒｅｆの定電流回路ＣＩｒｅｆの容量素子Ｃ４に保持される。
【０１８６】
時刻Ｔ０１乃至時刻Ｔ０４の動作によって、オフセット回路１５０Ａの定電流回路ＣＩ及び定電流回路ＣＩｒｅｆの動作点を設定することができる。
【０１８７】
＜＜時刻Ｔ１１から時刻Ｔ１２まで＞＞
時刻Ｔ１１から時刻Ｔ１２までの間において、配線ＷＷ［ｉ］に高レベル電位（図１６ではＨｉｇｈと表記している。）が印加され、配線ＷＷ［ｉ＋１］に低レベル電位（図１６ではＬｏｗと表記している。）が印加されている。加えて、配線ＷＤ［ｊ］には接地電位（図１６ではＧＮＤと表記している。）よりもＶＰＲ−ＶＸ［ｉ，ｊ］大きい電位が印加され、配線ＷＤ［ｊ＋１］には接地電位よりもＶＰＲ−ＶＸ［ｉ，ｊ＋１］大きい電位が印加され、配線ＷＤｒｅｆには接地電位よりもＶＰＲ大きい電位が印加されている。更に、配線ＲＷ［ｉ］、及び配線ＲＷ［ｉ＋１］にはそれぞれ基準電位（図１６ではＲＥＦＰと表記している。）が印加されている。
【０１８８】
なお、電位ＶＸ［ｉ，ｊ］、及び電位ＶＸ［ｉ，ｊ＋１］は、第１アナログデータに対応する電位である。また、電位ＶＰＲは、参照アナログデータに対応する電位である。
【０１８９】
このとき、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１１のゲートに高レベル電位が印加されるため、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１１は、導通状態となる。そのため、メモリセルＡＭ［ｉ，ｊ］において、配線ＷＤ［ｊ］とノードＮ［ｉ，ｊ］とが電気的に接続されるため、ノードＮ［ｉ，ｊ］の電位は、ＶＰＲ−ＶＸ［ｉ，ｊ］となる。同様に、メモリセルＡＭ［ｉ，ｊ＋１］において、配線ＷＤ［ｊ＋１］とノードＮ［ｉ，ｊ＋１］とが電気的に接続されるため、ノードＮ［ｉ，ｊ＋１］の電位は、ＶＰＲ−ＶＸ［ｉ，ｊ＋１］となり、メモリセルＡＭｒｅｆ［ｉ］において、配線ＷＤｒｅｆとノードＮｒｅｆ［ｉ］とが電気的に接続されるため、ノードＮｒｅｆ［ｉ］の電位は、ＶＰＲとなる。
【０１９０】
ここで、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１２の第１端子から第２端子に流れる電流を考える。配線Ｂ［ｊ］からメモリセルＡＭ［ｉ，ｊ］のトランジスタＴｒ１２の第１端子を介して第２端子に流れる電流Ｉ０［ｉ，ｊ］は、次の式で表すことができる。
【０１９１】
【数１】
2018124977.tif 000003
【０１９２】
ｋは、トランジスタＴｒ１２のチャネル長、チャネル幅、移動度、及びゲート絶縁膜の容量などで決まる定数である。また、Ｖｔｈは、トランジスタＴｒ１２のしきい値電圧である。
【０１９３】
このとき、列出力回路ＯＵＴ［ｊ］の出力端子ＯＴ［ｊ］から配線Ｂ［ｊ］に流れる電流は、Ｉ０［ｉ，ｊ］となる。
【０１９４】
同様に、配線Ｂ［ｊ＋１］からメモリセルＡＭ［ｉ，ｊ＋１］のトランジスタＴｒ１２の第１端子を介して第２端子に流れる電流Ｉ０［ｉ，ｊ＋１］は、次の式で表すことができる。
【０１９５】
【数２】
2018124977.tif 000004
【０１９６】
このとき、列出力回路ＯＵＴ［ｊ＋１］の出力端子ＯＴ［ｊ＋１］から配線Ｂ［ｊ＋１］に流れる電流は、Ｉ０［ｉ，ｊ＋１］となる。
【０１９７】
更に、配線ＢｒｅｆからメモリセルＡＭｒｅｆ［ｉ］のトランジスタＴｒ１２の第１端子を介して第２端子に流れる電流Ｉｒｅｆ０［ｉ］は、次の式で表すことができる。
【０１９８】
【数３】
2018124977.tif 000005
【０１９９】
このとき、参照列出力回路Ｃｒｅｆの出力端子ＯＴｒｅｆから配線Ｂｒｅｆに流れる電流は、Ｉｒｅｆ０［ｉ］となる。
【０２００】
なお、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１１のゲートに低レベル電位が印加されるため、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１１は、非導通状態となる。このため、ノードＮ［ｉ＋１，ｊ］、ノードＮ［ｉ＋１，ｊ＋１］、及びノードＮｒｅｆ［ｉ＋１］への電位の保持は行われない。
【０２０１】
＜＜時刻Ｔ１２から時刻Ｔ１３まで＞＞
時刻Ｔ１２から時刻Ｔ１３までの間において、配線ＷＷ［ｉ］に低レベル電位が印加される。このとき、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１１のゲートに低レベル電位が印加されるため、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１１は非導通状態となる。
【０２０２】
また、配線ＷＷ［ｉ＋１］には、時刻Ｔ０２以前から引き続き、低レベル電位が印加されている。このため、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１１は、時刻Ｔ０２以前から非導通状態となっている。
【０２０３】
上述のとおり、メモリセルＡＭ［ｉ，ｊ］、メモリセルＡＭ［ｉ，ｊ＋１］、メモリセルＡＭ［ｉ＋１，ｊ］、メモリセルＡＭ［ｉ＋１，ｊ＋１］、メモリセルＡＭｒｅｆ［ｉ］、及びメモリセルＡＭｒｅｆ［ｉ＋１］のそれぞれのトランジスタＴｒ１１は非導通状態となっているため、時刻Ｔ０２から時刻Ｔ０３までの間では、ノードＮ［ｉ，ｊ］、ノードＮ［ｉ，ｊ＋１］、ノードＮ［ｉ＋１，ｊ］、ノードＮ［ｉ＋１，ｊ＋１］、ノードＮｒｅｆ［ｉ］、及びノードＮｒｅｆ［ｉ＋１］のそれぞれの電位が保持される。
【０２０４】
特に、半導体装置１００の回路構成の説明で述べたとおり、メモリセルＡＭ［ｉ，ｊ］、メモリセルＡＭ［ｉ，ｊ＋１］、メモリセルＡＭ［ｉ＋１，ｊ］、メモリセルＡＭ［ｉ＋１，ｊ＋１］、メモリセルＡＭｒｅｆ［ｉ］、及びメモリセルＡＭｒｅｆ［ｉ＋１］のそれぞれのトランジスタＴｒ１１にＯＳトランジスタを適用することによって、トランジスタＴｒ１１のソース−ドレイン間に流れるリーク電流を小さくすることができるため、それぞれのノードの電位を長時間保持することができる。
【０２０５】
時刻Ｔ１２から時刻Ｔ１３までの間において、配線ＷＤ［ｊ］、配線ＷＤ［ｊ＋１］、及び配線ＷＤｒｅｆには接地電位が印加されている。メモリセルＡＭ［ｉ，ｊ］、メモリセルＡＭ［ｉ，ｊ＋１］、メモリセルＡＭ［ｉ＋１，ｊ］、メモリセルＡＭ［ｉ＋１，ｊ＋１］、メモリセルＡＭｒｅｆ［ｉ］、及びメモリセルＡＭｒｅｆ［ｉ＋１］のそれぞれのトランジスタＴｒ１１は、非導通状態となっているため、配線ＷＤ［ｊ］、配線ＷＤ［ｊ＋１］、及び配線ＷＤｒｅｆからの電位の印加によって、メモリセルＡＭ［ｉ，ｊ］、メモリセルＡＭ［ｉ，ｊ＋１］、メモリセルＡＭ［ｉ＋１，ｊ］、メモリセルＡＭ［ｉ＋１，ｊ＋１］、メモリセルＡＭｒｅｆ［ｉ］、及びメモリセルＡＭｒｅｆ［ｉ＋１］のそれぞれのノードに保持されている電位が書き換えられることは無い。
【０２０６】
＜＜時刻Ｔ１３から時刻Ｔ１４まで＞＞
時刻Ｔ１３から時刻Ｔ１４までの間において、配線ＷＷ［ｉ］に低レベル電位が印加され、配線ＷＷ［ｉ＋１］に高レベル電位が印加されている。加えて、配線ＷＤ［ｊ］には接地電位よりもＶＰＲ−ＶＸ［ｉ＋１，ｊ］大きい電位が印加され、配線ＷＤ［ｊ＋１］には接地電位よりもＶＰＲ−ＶＸ［ｉ＋１，ｊ＋１］大きい電位が印加され、配線ＷＤｒｅｆには接地電位よりもＶＰＲ大きい電位が印加されている。更に、時刻Ｔ１２から引き続き、配線ＲＷ［ｉ］、及び配線ＲＷ［ｉ＋１］には、それぞれ基準電位が印加されている。
【０２０７】
なお、電位ＶＸ［ｉ＋１，ｊ］、及び電位ＶＸ［ｉ＋１，ｊ＋１］は、第１アナログデータに対応する電位である。
【０２０８】
このとき、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１１のゲートに高レベル電位が印加されるため、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１１は、導通状態となる。そのため、メモリセルＡＭ［ｉ＋１，ｊ］において、配線ＷＤ［ｊ］とノードＮ［ｉ＋１，ｊ］とが電気的に接続されるため、ノードＮ［ｉ＋１，ｊ］の電位は、ＶＰＲ−ＶＸ［ｉ＋１，ｊ］となる。同様に、メモリセルＡＭ［ｉ＋１，ｊ＋１］において、配線ＷＤ［ｊ＋１］とノードＮ［ｉ＋１，ｊ＋１］とが電気的に接続されるため、ノードＮ［ｉ＋１，ｊ＋１］の電位は、ＶＰＲ−ＶＸ［ｉ＋１，ｊ＋１］となり、メモリセルＡＭｒｅｆ［ｉ＋１］において、配線ＷＤｒｅｆとノードＮｒｅｆ［ｉ＋１］とが電気的に接続されるため、ノードＮｒｅｆ［ｉ＋１］の電位は、ＶＰＲとなる。
【０２０９】
ここで、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１２の第１端子から第２端子に流れる電流を考える。配線Ｂ［ｊ］からメモリセルＡＭ［ｉ＋１，ｊ］のトランジスタＴｒ１２の第１端子を介して第２端子に流れる電流Ｉ０［ｉ＋１，ｊ］は、次の式で表すことができる。
【０２１０】
【数４】
2018124977.tif 000006
【０２１１】
このとき、列出力回路ＯＵＴ［ｊ］の出力端子ＯＴ［ｊ］から配線Ｂ［ｊ］に流れる電流は、Ｉ０［ｉ，ｊ］＋Ｉ０［ｉ＋１，ｊ］となる。
【０２１２】
同様に、配線Ｂ［ｊ＋１］からメモリセルＡＭ［ｉ＋１，ｊ＋１］のトランジスタＴｒ１２の第１端子を介して第２端子に流れる電流Ｉ０［ｉ＋１，ｊ＋１］は、次の式で表すことができる。
【０２１３】
【数５】
2018124977.tif 000007
【０２１４】
このとき、列出力回路ＯＵＴ［ｊ＋１］の出力端子ＯＴ［ｊ＋１］から配線Ｂ［ｊ＋１］に流れる電流は、Ｉ０［ｉ，ｊ＋１］＋Ｉ０［ｉ＋１，ｊ＋１］となる。
【０２１５】
更に、配線ＢｒｅｆからメモリセルＡＭｒｅｆ［ｉ＋１］のトランジスタＴｒ１２の第１端子を介して第２端子に流れる電流Ｉｒｅｆ０［ｉ＋１］は、次の式で表すことができる。
【０２１６】
【数６】
2018124977.tif 000008
【０２１７】
このとき、参照列出力回路Ｃｒｅｆの出力端子ＯＴｒｅｆから配線Ｂｒｅｆに流れる電流は、Ｉｒｅｆ０［ｉ］＋Ｉｒｅｆ０［ｉ＋１］となる。
【０２１８】
＜＜時刻Ｔ１４から時刻Ｔ１５まで＞＞
時刻Ｔ１４から時刻Ｔ１５までの間において、時刻Ｔ１１から時刻Ｔ１２までの間の動作、又は時刻Ｔ１３から時刻Ｔ１４までの間の動作と同様に、残りのメモリセルＡＭに第１アナログデータに対応する電位が書き込まれ、残りのメモリセルＡＭｒｅｆに電位ＶＰＲが書き込まれるものとする。したがって、全てのメモリセルＡＭのそれぞれのトランジスタＴｒ１２に流れる電流の総和は、列出力回路ＯＵＴ［ｊ］の出力端子ＯＴ［ｊ］から配線Ｂ［ｊ］に流れる電流となり、ΣＩ０［ｉ，ｊ］（このΣはｉについて和をとっている。）となる。
【０２１９】
ここで、参照列出力回路Ｃｒｅｆについて着目する。参照列出力回路Ｃｒｅｆの配線Ｂｒｅｆには、メモリセルＡＭｒｅｆ［１］乃至メモリセルＡＭｒｅｆ［ｍ］のそれぞれのトランジスタＴｒ１２に流れる電流を足し合わせた電流が流れる。つまり、配線Ｂｒｅｆには、ＩＢｒｅｆ＝ΣＩｒｅｆ０［ｉ］（このΣはｉについて和をとっている。）の電流が流れる。
【０２２０】
ところで、図１１において、配線ＩＬｒｅｆに流れる電流をＩＣＭと記載しているが、本明細書では、時刻Ｔ０９より前の時刻において、配線ＩＬｒｅｆに流れる電流をＩＣＭ０と記載する。
【０２２１】
定電流回路ＣＩｒｅｆの端子ＣＴ４から、電流ＩＣｒｅｆが出力されるので、次の式を満たすように、トランジスタＴｒ７のゲートの電位（ノードＮＣＭｒｅｆの電位）が設定され、ＩＣＭ０が決まる。
【０２２２】
【数７】
2018124977.tif 000009
【０２２３】
なお、カレントミラー回路ＣＭは、トランジスタＴｒ７のゲートの電位（ノードＮＣＭｒｅｆの電位）を参照しているため、列出力回路ＯＵＴ［１］乃至列出力回路ＯＵＴ［ｎ］のそれぞれの配線ＩＬ［１］乃至配線ＩＬ［ｎ］に、同じ電流ＩＣＭ０が流れる。
【０２２４】
＜＜時刻Ｔ１５から時刻Ｔ１６まで＞＞
時刻Ｔ１５から時刻Ｔ１６までの間において、配線ＯＲＰを高レベル電位とする。このとき、列出力回路ＯＵＴ［１］乃至列出力回路ＯＵＴ［ｎ］のそれぞれのトランジスタＴｒ３のゲートに高レベル電位が印加されるため、トランジスタＴｒ３は導通状態となる。このとき、列出力回路ＯＵＴ［１］乃至列出力回路ＯＵＴ［ｎ］のそれぞれの容量素子Ｃ１の第１端子に低レベル電位が印加され、容量素子Ｃ１の電位が初期化される。なお、時刻Ｔ１６の時点において、配線ＯＲＰには低レベル電位を印加して、列出力回路ＯＵＴ［１］乃至列出力回路ＯＵＴ［ｎ］のそれぞれのトランジスタＴｒ３を非導通状態としている。
【０２２５】
＜＜時刻Ｔ１６から時刻Ｔ１７まで＞＞
時刻Ｔ１６から時刻Ｔ１７までの間において、配線ＯＲＰを低レベル電位としている。上述の通り、列出力回路ＯＵＴ［１］乃至列出力回路ＯＵＴ［ｎ］のそれぞれのトランジスタＴｒ３のゲートに低レベル電位が印加されるため、トランジスタＴｒ３は非導通状態となる。
【０２２６】
＜＜時刻Ｔ１７から時刻Ｔ１８まで＞＞
時刻Ｔ１７から時刻Ｔ１８までの間において、配線ＯＳＰを高レベル電位としている。上述の通り、列出力回路ＯＵＴ［１］乃至列出力回路ＯＵＴ［ｎ］のそれぞれのトランジスタＴｒ２のゲートに高レベル電位が印加されるため、トランジスタＴｒ２は導通状態となる。このとき、トランジスタＴｒ２の第１端子から、トランジスタＴｒ２の第２端子を経由して、容量素子Ｃ１の第１端子に電流が流れ、容量素子Ｃ１によって電位が保持される。これにより、トランジスタＴｒ１のゲートの電位が保持されるため、トランジスタＴｒ１のソース−ドレイン間に、トランジスタＴｒ１のゲートの電位に応じた電流が流れる。
【０２２７】
なお、時刻Ｔ１８の時点において、配線ＯＳＰには低レベル電位を印加して、列出力回路ＯＵＴ［１］乃至列出力回路ＯＵＴ［ｎ］のそれぞれのトランジスタＴｒ２を非導通状態としている。このとき、トランジスタＴｒ１のゲートの電位は、容量素子Ｃ１に保持されているため、時刻Ｔ１８以降もトランジスタＴｒ１のソース−ドレイン間に同じ大きさの電流が流れ続ける。
【０２２８】
ここで、列出力回路ＯＵＴ［ｊ］に着目する。列出力回路ＯＵＴ［ｊ］において、トランジスタＴｒ１のソース−ドレイン間に流れる電流をＩＣＰ［ｊ］とし、定電流回路ＣＩのトランジスタＴｒ４のソース−ドレイン間に流れる電流をＩＣ［ｊ］とする。また、トランジスタＴｒ５のソース−ドレイン間に流れる電流は、カレントミラー回路ＣＭによってＩＣＭ０となる。時刻Ｔ１１から時刻Ｔ１８までの間では出力端子ＳＰＴ［ｊ］から電流を出力しないものとした場合、列出力回路ＯＵＴ［ｊ］の配線Ｂ［ｊ］には、メモリセルＡＭ［１］乃至メモリセルＡＭ［ｎ］のそれぞれのトランジスタＴｒ１２に流れる電流を足し合わせた電流が流れる。つまり、配線Ｂ［ｊ］には、ΣＩ０［ｉ，ｊ］（このΣはｉについて和をとっている。）の電流が流れる。したがって、上記より次の式が成り立つ。
【０２２９】
【数８】
2018124977.tif 000010
【０２３０】
＜＜時刻Ｔ１９から時刻Ｔ２０まで＞＞
時刻Ｔ１９以降は、図１７を用いて説明する。時刻Ｔ１９から時刻Ｔ２０までの間において、配線ＲＷ［ｉ］に基準電位（図１７ではＲＥＦＰと表記している。）よりもＶＷ［ｉ］高い電位が印加される。このとき、メモリセルＡＭ［ｉ，１］乃至メモリセルＡＭ［ｉ，ｎ］、及びメモリセルＡＭｒｅｆ［ｉ］のそれぞれの容量素子Ｃ２の第２端子に、電位ＶＷ［ｉ］が印加されるため、トランジスタＴｒ１２のゲートの電位が上昇する。
【０２３１】
なお、電位ＶＷ［ｉ］は、第２アナログデータに対応する電位である。
【０２３２】
なお、トランジスタＴｒ１２のゲートの電位の増加分は、配線ＲＷ［ｉ］の電位変化に、メモリセルの構成によって決まる容量結合係数を乗じた電位となる。該容量結合係数は、容量素子Ｃ２の容量、トランジスタＴｒ２のゲート容量、及び寄生容量によって算出される。本動作例では、説明の煩雑さを避けるため、配線ＲＷ［ｉ］の電位の増加分もトランジスタＴｒ１２のゲートの電位の増加分も同じ値として説明する。これは、メモリセルＡＭ、及びメモリセルＡＭｒｅｆにおけるそれぞれの容量結合係数を１としていることに相当する。
【０２３３】
容量結合係数を１としているため、メモリセルＡＭ［ｉ，ｊ］、メモリセルＡＭ［ｉ，ｊ＋１］、及びメモリセルＡＭｒｅｆ［ｉ］のそれぞれの容量素子Ｃ２の第２端子に、電位ＶＷ［ｉ］が印加されることによって、ノードＮ［ｉ，ｊ］、ノードＮ［ｉ，ｊ＋１］、及びノードＮｒｅｆ［ｉ］の電位は、それぞれＶＷ［ｉ］上昇する。
【０２３４】
ここで、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１２の第１端子から第２端子に流れる電流を考える。配線Ｂ［ｊ］からメモリセルＡＭ［ｉ，ｊ］のトランジスタＴｒ１２の第１端子を介して第２端子に流れる電流Ｉ［ｉ，ｊ］は、次の式で表すことができる。
【０２３５】
【数９】
2018124977.tif 000011
【０２３６】
つまり、配線ＲＷ［ｉ］に電位ＶＷ［ｉ］を印加することによって、配線Ｂ［ｊ］からメモリセルＡＭ［ｉ，ｊ］のトランジスタＴｒ１２の第１端子を介して第２端子に流れる電流は、Ｉ［ｉ，ｊ］−Ｉ０［ｉ，ｊ］（図１７では、ΔＩ［ｉ，ｊ］と表記する。）増加する。
【０２３７】
同様に、配線Ｂ［ｊ＋１］からメモリセルＡＭ［ｉ，ｊ＋１］のトランジスタＴｒ１２の第１端子を介して第２端子に流れる電流Ｉ［ｉ，ｊ＋１］は、次の式で表すことができる。
【０２３８】
【数１０】
2018124977.tif 000012
【０２３９】
つまり、配線ＲＷ［ｉ］に電位ＶＷ［ｉ］を印加することによって、配線Ｂ［ｊ＋１］からメモリセルＡＭ［ｉ，ｊ＋１］のトランジスタＴｒ１２の第１端子を介して第２端子に流れる電流は、Ｉ［ｉ，ｊ＋１］−Ｉ０［ｉ，ｊ＋１］（図１７では、ΔＩ［ｉ，ｊ＋１］と表記する。）増加する。
【０２４０】
更に、配線ＢｒｅｆからメモリセルＡＭｒｅｆ［ｉ］のトランジスタＴｒ１２の第１端子を介して第２端子に流れる電流Ｉｒｅｆ［ｉ］は、次の式で表すことができる。
【０２４１】
【数１１】
2018124977.tif 000013
【０２４２】
つまり、配線ＲＷ［ｉ］に電位ＶＷ［ｉ］を印加することによって、配線ＢｒｅｆからメモリセルＡＭｒｅｆ［ｉ］のトランジスタＴｒ１２の第１端子を介して第２端子に流れる電流は、Ｉｒｅｆ［ｉ］−Ｉｒｅｆ０［ｉ］（図１７では、ΔＩｒｅｆ［ｉ］と表記する。）増加する。
【０２４３】
ここで、参照列出力回路Ｃｒｅｆについて着目する。参照列出力回路Ｃｒｅｆの配線Ｂｒｅｆには、メモリセルＡＭｒｅｆ［１］乃至メモリセルＡＭｒｅｆ［ｍ］のそれぞれのトランジスタＴｒ１２に流れる電流を足し合わせた電流が流れる。つまり、配線Ｂｒｅｆには、ＩＢｒｅｆ＝ΣＩｒｅｆ［ｉ］の電流が流れる。
【０２４４】
定電流回路ＣＩｒｅｆの端子ＣＴ４から、電流ＩＣｒｅｆが出力されるので、次の式を満たすように、トランジスタＴｒ７のゲートの電位（ノードＮＣＭｒｅｆの電位）が設定され、ＩＣＭが決まる。
【０２４５】
【数１２】
2018124977.tif 000014
【０２４６】
ここで、配線Ｂ［ｊ］から出力される電流ΔＩＢ［ｊ］について考える。時刻Ｔ１８乃至時刻Ｔ１９では、数式（Ｅ４）を満たすため、配線Ｂ［ｊ］から電流ΔＩＢ［ｊ］は出力されない。
【０２４７】
時刻Ｔ１９から時刻Ｔ２０までの間においては、配線ＲＷ［ｉ］に基準電位よりもＶＷ［ｉ］高い電位が印加されて、メモリセルＡＭ［ｉ，ｊ］のトランジスタＴｒ１２に流れるソース−ドレイン間電流が変化するため、配線Ｂ［ｊ］に電気的に接続されている出力端子ＳＰＴ［ｊ］から電流ΔＩＢ［ｊ］が出力される。具体的には、列出力回路ＯＵＴ［ｊ］では、定電流回路ＣＩの端子ＣＴ２から電流ＩＣ［ｊ］が出力され、トランジスタＴｒ５のソース−ドレイン間に電流ＩＣＭが流れ、トランジスタＴｒ１のソース−ドレイン間に電流ＩＣＰ［ｊ］が流れるため、電流ΔＩＢ［ｊ］は、メモリセルＡＭ［ｉ，ｊ］のトランジスタＴｒ１２に流れるソース−ドレイン電流をｉについて足し合わせたΣＩ［ｉ，ｊ］を用いて、次の式で表すことができる。
【０２４８】
【数１３】
2018124977.tif 000015
【０２４９】
数式（Ｅ８）に、数式（Ｅ１）乃至数式（Ｅ７）を用いることで、次の式が得られる。
【０２５０】
【数１４】
2018124977.tif 000016
【０２５１】
つまり、数式（Ｅ９）より、電流ΔＩＢ［ｊ］は、複数の第１アナログデータである電位ＶＸ［ｉ，ｊ］と、複数の第２アナログデータである電位ＶＷ［ｉ］と、の積の和に応じた値となる。つまり、電流ΔＩＢ［ｊ］を計測することによって、第１アナログデータと第２アナログデータとの積和の値を求めることができる。
【０２５２】
時刻Ｔ１９から時刻Ｔ２０までの間において、配線ＲＷ［ｉ］を除く配線ＲＷ［１］乃至配線ＲＷ［ｍ］のそれぞれの電位を基準電位にしたとき、ＶＷ［ｇ］＝０（ここでのｇは１以上ｍ以下であり、かつｉではない整数である。）となるので、数式（Ｅ９）より、ΔＩＢ［ｊ］＝２ｋＶＸ［ｉ，ｊ］ＶＷ［ｉ］が出力される。つまり、メモリセルＡＭ［ｉ，ｊ］に格納された第１アナログデータと、配線ＲＷ［ｉ］に印加された選択信号に相当する第２アナログデータと、の積に対応したデータが、配線Ｂ［ｊ］に電気的に接続されている出力端子ＳＰＴ［ｊ］から出力される。
【０２５３】
また、同様に、配線Ｂ［ｊ＋１］に電気的に接続されている出力端子ＳＰＴ［ｊ＋１］から出力される差分電流は、ΔＩＢ［ｊ＋１］＝２ｋＶＸ［ｉ，ｊ＋１］ＶＷ［ｉ］となり、メモリセルＡＭ［ｉ，ｊ＋１］に格納された第１アナログデータと、配線ＲＷ［ｉ］に印加された選択信号に相当する第２アナログデータと、の積に対応したデータが、配線Ｂ［ｊ＋１］に電気的に接続されている出力端子ＳＰＴ［ｊ＋１］から出力される。
【０２５４】
＜＜時刻Ｔ２０から時刻Ｔ２１まで＞＞
時刻Ｔ２０から時刻Ｔ２１までの間において、配線ＲＷ［ｉ］には接地電位が印加されている。このとき、メモリセルＡＭ［ｉ，１］乃至メモリセルＡＭ［ｉ，ｎ］、及びメモリセルＡＭｒｅｆ［ｉ］のそれぞれの容量素子Ｃ２の第２端子に、接地電位が印加されるため、ノードＮ［ｉ，１］乃至ノードＮ［ｉ，ｎ］、及びノードＮｒｅｆ［ｉ］の電位は、それぞれ時刻Ｔ１８から時刻Ｔ１９までの間の電位に戻る。
【０２５５】
＜＜時刻Ｔ２１から時刻Ｔ２２まで＞＞
時刻Ｔ２１から時刻Ｔ２２までの間において、配線ＲＷ［ｉ＋１］を除く配線ＲＷ［１］乃至配線ＲＷ［ｍ］のそれぞれの電位を基準電位とし、配線ＲＷ［ｉ＋１］に基準電位よりもＶＷ［ｉ＋１］高い電位を印加するものとする。このとき、時刻Ｔ１９から時刻Ｔ２０までの動作と同様に、メモリセルＡＭ［ｉ＋１，１］乃至メモリセルＡＭ［ｉ＋１，ｎ］、及びメモリセルＡＭｒｅｆ［ｉ＋１］のそれぞれの容量素子Ｃ２の第２端子に、電位ＶＷ［ｉ＋１］が印加されるため、トランジスタＴｒ１２のゲートの電位が上昇する。
【０２５６】
なお、電位ＶＷ［ｉ＋１］は、第２アナログデータに対応する電位である。
【０２５７】
なお、先述のとおり、メモリセルＡＭ、及びメモリセルＡＭｒｅｆにおけるそれぞれの容量結合係数を１としているため、メモリセルＡＭ［ｉ＋１，ｊ］、メモリセルＡＭ［ｉ＋１，ｊ＋１］、及びメモリセルＡＭｒｅｆ［ｉ＋１］のそれぞれの容量素子Ｃ２の第２端子に、電位ＶＷ［ｉ＋１］が印加されることによって、ノードＮ［ｉ＋１，ｊ］、ノードＮ［ｉ＋１，ｊ＋１］、及びノードＮｒｅｆ［ｉ＋１］の電位は、それぞれＶＷ［ｉ＋１］上昇する。
【０２５８】
ノードＮ［ｉ＋１，ｊ］、ノードＮ［ｉ＋１，ｊ＋１］、及びノードＮｒｅｆ［ｉ＋１］の電位がそれぞれＶＷ［ｉ＋１］上昇することにより、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１２に流れる電流の量が増加する。メモリセルＡＭ［ｉ＋１，ｊ］のトランジスタＴｒ１２に流れる電流をＩ［ｉ＋１，ｊ］としたとき、列出力回路ＯＵＴ［ｊ］の出力端子ＯＴ［ｊ］から配線Ｂ［ｊ］に流れる電流は、Ｉ［ｉ＋１，ｊ］−Ｉ０［ｉ＋１，ｊ］（図１７では、ΔＩ［ｉ＋１，ｊ］と表記する。）増加することになる。同様に、メモリセルＡＭ［ｉ＋１，ｊ＋１］のトランジスタＴｒ１２に流れる電流をＩ［ｉ＋１，ｊ＋１］としたとき、列出力回路ＯＵＴ［ｊ＋１］の出力端子ＯＴ［ｊ＋１］から配線Ｂ［ｊ＋１］に流れる電流は、Ｉ［ｉ＋１，ｊ＋１］−Ｉ０［ｉ＋１，ｊ＋１］（図１７では、ΔＩ［ｉ＋１，ｊ＋１］と表記する。）増加することになる。更に、メモリセルＡＭｒｅｆ［ｉ＋１］のトランジスタＴｒ１２に流れる電流をＩｒｅｆ［ｉ＋１］としたとき、参照列出力回路Ｃｒｅｆの出力端子ＯＴｒｅｆから配線Ｂｒｅｆに流れる電流は、Ｉｒｅｆ［ｉ＋１］−Ｉｒｅｆ０［ｉ＋１］（図１７では、ΔＩｒｅｆ［ｉ＋１］と表記する。）増加することになる。
【０２５９】
時刻Ｔ２１から時刻Ｔ２２までの動作は、時刻Ｔ１９から時刻Ｔ２０までの動作と同様に考えることができるので、時刻Ｔ２１から時刻Ｔ２２までの動作に対して、数式（Ｅ９）を用いると、配線Ｂ［ｊ］から出力される差分電流は、ΔＩＢ［ｊ］＝２ｋＶＸ［ｉ＋１，ｊ］ＶＷ［ｉ＋１］となる。つまり、メモリセルＡＭ［ｉ＋１，ｊ］に格納された第１アナログデータと、配線ＲＷ［ｉ＋１］に印加された選択信号に相当する第２アナログデータと、の積に対応したデータが、配線Ｂ［ｊ］に電気的に接続されている出力端子ＳＰＴ［ｊ］から出力される。
【０２６０】
また、同様に、配線Ｂ［ｊ＋１］から出力される差分電流は、ΔＩＢ［ｊ＋１］＝２ｋＶＸ［ｉ＋１，ｊ＋１］ＶＷ［ｉ＋１］となり、メモリセルＡＭ［ｉ＋１，ｊ＋１］に格納された第１アナログデータと、配線ＲＷ［ｉ＋１］に印加された選択信号に相当する第２アナログデータと、の積に対応したデータが、配線Ｂ［ｊ＋１］に電気的に接続されている出力端子ＳＰＴ［ｊ＋１］から出力される。
【０２６１】
＜＜時刻Ｔ２２から時刻Ｔ２３まで＞＞
時刻Ｔ２２から時刻Ｔ２３までの間において、配線ＲＷ［ｉ＋１］には接地電位が印加されている。このとき、メモリセルＡＭ［ｉ＋１，１］乃至メモリセルＡＭ［ｉ＋１，ｎ］、及びメモリセルＡＭｒｅｆ［ｉ＋１］のそれぞれの容量素子Ｃ２の第２端子に、接地電位が印加されるため、ノードＮ［ｉ＋１，１］乃至ノードＮ［ｉ＋１，ｎ］、及びノードＮｒｅｆ［ｉ＋１］の電位は、それぞれ時刻Ｔ２０から時刻Ｔ２１までの間の電位に戻る。
【０２６２】
＜＜時刻Ｔ２３から時刻Ｔ２４まで＞＞
時刻Ｔ２３から時刻Ｔ２４までの間において、配線ＲＷ［ｉ］、及び配線ＲＷ［ｉ＋１］を除く配線ＲＷ［１］乃至配線ＲＷ［ｍ］のそれぞれの電位を基準電位とし、配線ＲＷ［ｉ］に基準電位よりもＶＷ２［ｉ］高い電位を印加し、配線ＲＷ［ｉ＋１］に基準電位よりもＶＷ２［ｉ＋１］低い電位を印加するものとする。このとき、時刻Ｔ１９から時刻Ｔ２０までの動作と同様に、メモリセルＡＭ［ｉ，１］乃至メモリセルＡＭ［ｉ，ｎ］、及びメモリセルＡＭｒｅｆ［ｉ］のそれぞれの容量素子Ｃ２の第２端子に、電位ＶＷ２［ｉ］が印加されるため、メモリセルＡＭ［ｉ，１］乃至メモリセルＡＭ［ｉ，ｎ］、及びメモリセルＡＭｒｅｆ［ｉ］のそれぞれのトランジスタＴｒ１２のゲートの電位が上昇する。同時に、メモリセルＡＭ［ｉ＋１，１］乃至メモリセルＡＭ［ｉ＋１，ｎ］、及びメモリセルＡＭｒｅｆ［ｉ＋１］のそれぞれの容量素子Ｃ２の第２端子に、電位−ＶＷ２［ｉ＋１］が印加されるため、メモリセルＡＭ［ｉ＋１，１］乃至メモリセルＡＭ［ｉ＋１，ｎ］、及びメモリセルＡＭｒｅｆ［ｉ＋１］のそれぞれのトランジスタＴｒ１２のゲートの電位が下降する。
【０２６３】
なお、電位ＶＷ２［ｉ］、及び電位ＶＷ２［ｉ＋１］は、第２アナログデータに対応する電位である。
【０２６４】
なお、メモリセルＡＭ、及びメモリセルＡＭｒｅｆにおけるそれぞれの容量結合係数を１としているため、メモリセルＡＭ［ｉ，ｊ］、メモリセルＡＭ［ｉ，ｊ＋１］、及びメモリセルＡＭｒｅｆ［ｉ］のそれぞれの容量素子Ｃ２の第２端子に、電位ＶＷ２［ｉ］が印加されることによって、ノードＮ［ｉ，ｊ］、ノードＮ［ｉ，ｊ＋１］、及びノードＮｒｅｆ［ｉ］の電位は、それぞれＶＷ２［ｉ］上昇する。また、メモリセルＡＭ［ｉ＋１，ｊ］、メモリセルＡＭ［ｉ＋１，ｊ＋１］、及びメモリセルＡＭｒｅｆ［ｉ＋１］のそれぞれの容量素子Ｃ２の第２端子に、電位−ＶＷ２［ｉ＋１］が印加されることによって、ノードＮ［ｉ＋１，ｊ］、ノードＮ［ｉ＋１，ｊ＋１］、及びノードＮｒｅｆ［ｉ＋１］の電位は、それぞれＶＷ２［ｉ＋１］下降する。
【０２６５】
ノードＮ［ｉ，ｊ］、ノードＮ［ｉ，ｊ＋１］、及びノードＮｒｅｆ［ｉ］の電位がそれぞれＶＷ２［ｉ］上昇することにより、メモリセルＡＭ［ｉ，ｊ］、メモリセルＡＭ［ｉ，ｊ＋１］、及びメモリセルＡＭｒｅｆ［ｉ］のそれぞれのトランジスタＴｒ１２に流れる電流の量が増加する。ここで、メモリセルＡＭ［ｉ，ｊ］のトランジスタＴｒ１２に流れる電流をＩ［ｉ，ｊ］とし、メモリセルＡＭ［ｉ，ｊ＋１］のトランジスタＴｒ１２に流れる電流をＩ［ｉ，ｊ＋１］とし、メモリセルＡＭｒｅｆ［ｉ］のトランジスタＴｒ１２に流れる電流をＩｒｅｆ［ｉ］とする。
【０２６６】
また、ノードＮ［ｉ＋１，ｊ］、ノードＮ［ｉ＋１，ｊ＋１］、及びノードＮｒｅｆ［ｉ＋１］の電位がそれぞれＶＷ２［ｉ＋１］下降することにより、メモリセルＡＭ［ｉ＋１，ｊ］、メモリセルＡＭ［ｉ＋１，ｊ＋１］、及びメモリセルＡＭｒｅｆ［ｉ＋１］のそれぞれのトランジスタＴｒ１２に流れる電流の量が減少する。ここで、メモリセルＡＭ［ｉ＋１，ｊ］のトランジスタＴｒ１２に流れる電流をＩ２［ｉ，ｊ］とし、メモリセルＡＭ［ｉ＋１，ｊ＋１］のトランジスタＴｒ１２に流れる電流をＩ２［ｉ，ｊ＋１］とし、メモリセルＡＭｒｅｆ［ｉ＋１］のトランジスタＴｒ１２に流れる電流をＩ２ｒｅｆ［ｉ＋１］とする。
【０２６７】
このとき、列出力回路ＯＵＴ［ｊ］の出力端子ＯＴ［ｊ］から配線Ｂ［ｊ］に流れる電流は、（Ｉ２［ｉ，ｊ］−Ｉ０［ｉ，ｊ］）＋（Ｉ２［ｉ＋１，ｊ］−Ｉ０［ｉ＋１，ｊ］）（図１７では、ΔＩ［ｊ］と表記する。）増加することになる。また、列出力回路ＯＵＴ［ｊ＋１］の出力端子ＯＴ［ｊ＋１］から配線Ｂ［ｊ＋１］に流れる電流は、（Ｉ２［ｉ，ｊ＋１］−Ｉ０［ｉ，ｊ＋１］）＋（Ｉ２［ｉ＋１，ｊ＋１］−Ｉ０［ｉ＋１，ｊ＋１］）（図１７では、ΔＩ［ｊ＋１］と表記し、ΔＩ［ｊ＋１］は負の電流であるとする。）増加することになる。そして、参照列出力回路Ｃｒｅｆの出力端子ＯＴｒｅｆから配線Ｂｒｅｆに流れる電流は、（Ｉｒｅｆ［ｉ，ｊ］−Ｉｒｅｆ０［ｉ，ｊ］）＋（Ｉｒｅｆ［ｉ＋１，ｊ］−Ｉｒｅｆ０［ｉ＋１，ｊ］）（図１７では、ΔＩＢｒｅｆと表記する。）増加することになる。
【０２６８】
時刻Ｔ２３から時刻Ｔ２４までの動作は、時刻Ｔ１９から時刻Ｔ２０までの動作と同様に考えることができるので、時刻Ｔ２３から時刻Ｔ２４までの動作に対して、数式（Ｅ９）を用いると、配線Ｂ［ｊ］から出力される差分電流は、ΔＩＢ［ｊ］＝２ｋ｛ＶＸ［ｉ，ｊ］ＶＷ２［ｉ］−ＶＸ［ｉ＋１，ｊ］ＶＷ２［ｉ＋１］｝となる。つまり、メモリセルＡＭ［ｉ，ｊ］及びメモリセルＡＭ［ｉ＋１，ｊ］に格納されたそれぞれの第１アナログデータと、配線ＲＷ［ｉ］及び配線ＲＷ［ｉ＋１］に印加された選択信号に相当するそれぞれの第２アナログデータと、の各々の積の足し合わせに対応したデータが、配線Ｂ［ｊ］に電気的に接続されている出力端子ＳＰＴ［ｊ］から出力される。
【０２６９】
また、同様に、配線Ｂ［ｊ＋１］から出力される差分電流は、ΔＩＢ［ｊ＋１］＝２ｋ｛ＶＸ［ｉ，ｊ＋１］ＶＷ２［ｉ］−ＶＸ［ｉ＋１，ｊ＋１］ＶＷ２［ｉ＋１］｝となり、メモリセルＡＭ［ｉ，ｊ＋１］及びメモリセルＡＭ［ｉ＋１，ｊ＋１］に格納されたそれぞれの第１アナログデータと、配線ＲＷ［ｉ］及び配線ＲＷ［ｉ＋１］に印加された選択信号に相当するそれぞれの第２アナログデータと、の積に対応したデータが、配線Ｂ［ｊ＋１］に電気的に接続されている出力端子ＳＰＴ［ｊ＋１］から出力される。
【０２７０】
＜＜時刻Ｔ２４以降＞＞
時刻Ｔ２４以降において、配線ＲＷ［ｉ］、配線ＲＷ［ｉ＋１］には接地電位を印加している。このとき、メモリセルＡＭ［ｉ，１］乃至メモリセルＡＭ［ｉ，ｎ］、メモリセルＡＭ［ｉ＋１，１］乃至メモリセルＡＭ［ｉ＋１，ｎ］、メモリセルＡＭｒｅｆ［ｉ］、及びメモリセルＡＭｒｅｆ［ｉ＋１］のそれぞれの容量素子Ｃ２の第２端子に、接地電位が印加されるため、ノードＮ［ｉ，１］乃至ノードＮ［ｉ，ｎ］、ノードＮ［ｉ＋１，１］乃至ノードＮ［ｉ＋１，ｎ］、ノードＮｒｅｆ［ｉ］、及びノードＮｒｅｆ［ｉ＋１］の電位は、それぞれ時刻Ｔ２２から時刻Ｔ２３までの間の電位に戻る。
【０２７１】
以上のように、図１に示す回路を構成することによって、複数の積和演算処理を同時に実行できる。つまり、高速な積和演算処理を実現する半導体装置を提供することができる。
【０２７２】
なお、本実施の形態は、本明細書で示す他の実施の形態と適宜組み合わせることができる。
【０２７３】
（実施の形態２）
本実施の形態では、ニューラルネットワークについて説明する。
【０２７４】
ニューラルネットワークとは、神経回路網をモデルにした情報処理システムである。ニューラルネットワークを利用することで、従来のノイマン型コンピュータよりも高性能なコンピュータが実現できると期待されており、近年、電子回路上でニューラルネットワークを構築する種々の研究が進められている。
【０２７５】
ニューラルネットワークでは、ニューロンを模したユニットが、シナプスを模したユニットを介して、互いに結合された構成となっている。この結合の強度を変更することで、様々な入力パターンに対して学習し、パターン認識や連想記憶などを高速に実行できると考えられている。
【０２７６】
例えば、実施の形態１で説明した積和演算処理回路を畳み込み演算の特徴抽出フィルター、若しくは全結合演算回路として用いることによって、ＣＮＮ（Ｃｏｎｖｏｌｕｔｉｏｎａｌ  Ｎｅｕｒａｌ  Ｎｅｔｗｏｒｋ）による特徴量の抽出を行うことができる。なお、特徴抽出フィルターの各重み係数に乱数を用いて値を設定することができる。
【０２７７】
＜階層型ニューラルネットワーク＞
本発明の一態様のハイブリッド表示装置に利用できるニューラルネットワークの種類の一として、階層型ニューラルネットワークについて説明する。
【０２７８】
図１８は、階層型ニューラルネットワークの一例を示した図である。第（ｋ−１）層（ここでのｋは２以上の整数である。）は、ニューロンをＰ個（ここでのＰは１以上の整数である。）有し、第ｋ層は、ニューロンをＱ個（ここでのＱは１以上の整数である。）有し、第（ｋ＋１）層は、ニューロンをＲ個（ここでのＲは１以上の整数である。）有する。
【０２７９】
第（ｋ−１）層の第ｐニューロン（ここでのｐは１以上Ｐ以下の整数である。）の出力信号ｚｐ（ｋ−１）と重み係数ｗｑｐ（ｋ）と、の積が第ｋ層の第ｑニューロン（ここでのｑは１以上Ｑ以下の整数である。）に入力されるものとし、第ｋ層の第ｑニューロンの出力信号ｚｑ（ｋ）と重み係数ｗｒｑ（ｋ＋１）と、の積が第（ｋ＋１）層の第ｒニューロン（ここでのｒは１以上Ｒ以下の整数である。）に入力されるものとし、第（ｋ＋１）層の第ｒニューロンの出力信号をｚｒ（ｋ＋１）とする。
【０２８０】
このとき、第ｋ層の第ｑニューロンへ入力される信号の総和ｕｑ（ｋ）は、次の式で表される。
【０２８１】
【数１５】
2018124977.tif 000017
【０２８２】
また、第ｋ層の第ｑニューロンからの出力信号ｚｑ（ｋ）を次の式で定義する。
【０２８３】
【数１６】
2018124977.tif 000018
【０２８４】
関数ｆ（ｕｑ（ｋ））は、活性化関数であり、ステップ関数、線形ランプ関数、又はシグモイド関数などを用いることができる。なお、式（Ｄ１）の積和演算は、先述した積和演算処理回路（半導体装置１００）によって実現できる。なお、式（Ｄ２）の演算は、例えば、図２１（Ａ）に示す回路４１１によって実現できる。
【０２８５】
なお、活性化関数は、全てのニューロンにおいて同一でもよいし、又は異なっていてもよい。加えて、ニューロンの出力関数は、層毎において、同一でもよいし、異なっていてもよい。
【０２８６】
ここで、図１９に示す、全Ｌ層（ここでのＬは３以上の整数とする。）からなる階層型ニューラルネットワークを考える（つまり、ここでのｋは２以上（Ｌ−１）以下の整数とする。）。第１層は、階層型ニューラルネットワークの入力層となり、第Ｌ層は、階層型ニューラルネットワークの出力層となり、第２層乃至第（Ｌ−１）層は、階層型ニューラルネットワークの隠れ層となる。
【０２８７】
第１層（入力層）は、ニューロンをＰ個有し、第ｋ層（隠れ層）は、ニューロンをＱ［ｋ］個（Ｑ［ｋ］は１以上の整数である。）有し、第Ｌ層（出力層）は、ニューロンをＲ個有する。
【０２８８】
第１層の第ｓ［１］ニューロン（ｓ［１］は１以上Ｐ以下の整数である。）の出力信号をｚｓ［１］（１）とし、第ｋ層の第ｓ［ｋ］ニューロン（ｓ［ｋ］は１以上Ｑ［ｋ］以下の整数である。）の出力信号をｚｓ［ｋ］（ｋ）とし、第Ｌ層の第ｓ［Ｌ］ニューロン（ｓ［Ｌ］は１以上Ｒ以下の整数である。）の出力信号をｚｓ［Ｌ］（Ｌ）とする。
【０２８９】
また、第（ｋ−１）層の第ｓ［ｋ−１］ニューロン（ｓ［ｋ−１］は１以上Ｑ［ｋ−１］以下の整数である。）の出力信号ｚｓ［ｋ−１］（ｋ−１）と重み係数ｗｓ［ｋ］ｓ［ｋ−１］（ｋ）と、の積ｕｓ［ｋ］（ｋ）が第ｋ層の第ｓ［ｋ］ニューロンに入力されるものとし、第（Ｌ−１）層の第ｓ［Ｌ−１］ニューロン（ｓ［Ｌ−１］は１以上Ｑ［Ｌ−１］以下の整数である。）の出力信号ｚｓ［Ｌ−１］（Ｌ−１）と重み係数ｗｓ［Ｌ］ｓ［Ｌ−１］（Ｌ）と、の積ｕｓ［Ｌ］（Ｌ）が第Ｌ層の第ｓ［Ｌ］ニューロンに入力されるものとする。
【０２９０】
次に、教師付き学習について説明する。教師付き学習とは、上述の階層型ニューラルネットワークの機能において、出力した結果と、所望の結果（教師データ、又は教師信号という場合がある。）と異なったときに、階層型ニューラルネットワークの全ての重み係数を、出力した結果と所望の結果とに基づいて、更新する動作をいう。
【０２９１】
教師付き学習の具体例として、誤差逆伝播方式による学習方法について説明する。図２０は、誤差逆伝播方式による学習方法を説明する図である。誤差逆伝播方式は、階層型ニューラルネットワークの出力と教師データとの誤差が小さくなるように、重み係数を変更する方式である。
【０２９２】
例えば、第１層の第ｓ［１］ニューロンに入力データを入力し、第Ｌ層の第ｓ［Ｌ］ニューロンから出力データｚｓ［Ｌ］（Ｌ）を出力されたとする。ここで、出力データｚｓ［Ｌ］（Ｌ）に対する教師信号をｔｓ［Ｌ］としたとき、誤差エネルギーＥは、出力データｚｓ［Ｌ］（Ｌ）及び教師信号ｔｓ［Ｌ］によって表すことができる。
【０２９３】
誤差エネルギーＥに対して、第ｋ層の第ｓ［ｋ］ニューロンの重み係数ｗｓ［ｋ］ｓ［ｋ−１］（ｋ）の更新量を∂Ｅ／∂ｗｓ［ｋ］ｓ［ｋ−１］（ｋ）とすることで、新たに重み係数を変更することができる。ここで、第ｋ層の第ｓ［ｋ］ニューロンの出力値ｚｓ［ｋ］（ｋ）の誤差δｓ［ｋ］（ｋ）を∂Ｅ／∂ｕｓ［ｋ］（ｋ）と定義すると、δｓ［ｋ］（ｋ）及び∂Ｅ／∂ｗｓ［ｋ］ｓ［ｋ−１］（ｋ）は、それぞれ次の式で表すことができる。
【０２９４】
【数１７】
2018124977.tif 000019
【０２９５】
【数１８】
2018124977.tif 000020
【０２９６】
ｆ’（ｕｓ［ｋ］（ｋ））は、ニューロン回路の出力関数の導関数である。なお、式（Ｄ３）の演算は、例えば、図２１（Ｂ）に示す回路４１３によって実現できる。また、式（Ｄ４）の演算は、例えば、図２１（Ｃ）に示す回路４１４によって実現できる。出力関数の導関数は、例えば、オペアンプの出力端子に所望の導関数に対応した演算回路を接続することによって実現できる。
【０２９７】
また、例えば、式（Ｄ３）のΣδｓ［ｋ＋１］（ｋ＋１）・ｗｓ［ｋ＋１］・ｓ［ｋ］（ｋ＋１）の部分の演算は、前述した積和演算処理回路（半導体装置１００）によって実現できる。
【０２９８】
ここで、第（ｋ＋１）層が出力層のとき、すなわち、第（ｋ＋１）層が第Ｌ層であるとき、δｓ［Ｌ］（Ｌ）及び∂Ｅ／∂ｗｓ［Ｌ］ｓ［Ｌ−１］（Ｌ）は、それぞれ次の式で表すことができる。
【０２９９】
【数１９】
2018124977.tif 000021
【０３００】
【数２０】
2018124977.tif 000022
【０３０１】
式（Ｄ５）の演算は、図２１（Ｄ）に示す回路４１５によって実現できる。また、式（Ｄ６）の演算は、図２１（Ｃ）に示す回路４１４によって実現できる。
【０３０２】
つまり、式（Ｄ１）乃至式（Ｄ６）により、全てのニューロン回路の誤差δｓ［ｋ］（ｋ）及びδｓ［Ｌ］（Ｌ）を求めることができる。なお、重み係数の更新量は、誤差δｓ［ｋ］（ｋ）、δｓ［Ｌ］（Ｌ）及び所望のパラメータなどに基づいて、設定される。
【０３０３】
以上のように、図２１（Ａ）乃至図２１（Ｄ）に示す回路、及び前述した積和演算処理回路（半導体装置１００）を用いることによって、教師付き学習を適用した階層型ニューラルネットワークの計算を行うことができる。
【０３０４】
具体的には、実施の形態１において、第１アナログデータを重み係数として、複数の第２アナログデータをニューロン出力に対応することで、各ニューロン出力の重み付け和の演算を並列して行うことができ、当該出力信号として重み付け和の演算の結果に対応したデータ、すなわちシナプス入力を取得することができる。具体的には、メモリセルＡＭ［１，ｊ］乃至メモリセルＡＭ［ｍ，ｊ］に、第ｋ層の第ｓ［ｋ］ニューロンの重み係数ｗｓ［ｋ］・１（ｋ）乃至ｗｓ［ｋ］・Ｑ［ｋ−１］（ｋ）を第１アナログデータとして格納し、配線ＲＷ［１］乃至配線ＲＷ［ｍ］にそれぞれ第（ｋ−１）層の各ニューロンの出力信号ｚ１・ｓ［ｋ］（ｋ−１）乃至ｚＱ［ｋ−１］・ｓ［ｋ］（ｋ−１）を第２アナログデータとして供給することで、第ｋ層の第ｓ［ｋ］ニューロンに入力される信号の総和ｕｓ［ｋ］（ｋ）を計算することができる。つまり、式（Ｄ１）に示した積和演算を半導体装置１００によって実現することができる。
【０３０５】
また、教師付き学習で重み係数の更新を行うとき、メモリセルＡＭ［１，ｊ］乃至メモリセルＡＭ［ｍ，ｊ］に、第ｋ層の第ｓ［ｋ］ニューロンから第（ｋ＋１）層の各ニューロンに信号が送られるときに掛けられる重み係数ｗ１・ｓ［ｋ］（ｋ＋１）乃至ｗＱ［ｋ＋１］ｓ［ｋ］（ｋ＋１）を第１アナログデータとして格納し、配線ＲＷ［１］乃至配線ＲＷ［ｍ］に第（ｋ＋１）層の各ニューロンの誤差δ１（ｋ＋１）乃至δＱ［ｋ＋１］（ｋ＋１）を第２アナログデータとして供給すると、式（Ｄ３）におけるΣｗｓ［ｋ＋１］・ｓ［ｋ］（ｋ＋１）・δｓ［ｋ＋１］（ｋ＋１）の値を、配線Ｂ［ｊ］に流れる差分電流ΔＩＢ［ｊ］から得ることができる。つまり、式（Ｄ３）に示した演算の一部を半導体装置１００によって実現することができる。
【０３０６】
なお、本実施の形態は、本明細書で示す他の実施の形態と適宜組み合わせることができる。
【０３０７】
（実施の形態３）
本実施の形態では、実施の形態１で説明した半導体装置の応用例について説明する。
【０３０８】
半導体装置１００は、積和演算処理回路として機能するため、実施の形態２で説明した通り、ニューラルネットワークの構成要素の一つとして適用することができる場合がある。
【０３０９】
ニューラルネットワークは、ニューロンを模したユニットが、シナプスを模したユニットを介して、互いに結合された構成となっており、この結合の強度を変更することで様々な入力パターンに対して学習し、パターン認識や連想記憶、データマイニングなどを高速に実行できると考えられている。特に、音、音声、音楽、画像、または映像などのパターン認識を利用した新規な電子機器を実現できる場合がある。
【０３１０】
実施の形態１で説明した半導体装置において、複数の第１アナログデータを重み係数として、複数の第２アナログデータをニューロン出力に対応することで、各ニューロン出力の重み付け和の演算を並列して行うことができ、当該出力信号として重み付け和の演算の結果に対応したデータ、すなわちシナプス入力を取得することができる。
【０３１１】
＜電子機器＞
ここでは、上述のニューラルネットワークを利用した電子機器、又はシステムについて説明する。
【０３１２】
図２２（Ａ）は、タブレット型の情報端末５２００であり、筐体５２２１、表示部５２２２、操作ボタン５２２３、スピーカ５２２４を有する。また、表示部５２２２に、位置入力装置としての機能が付加された表示装置を用いるようにしてもよい。また、位置入力装置としての機能は、表示装置にタッチパネルを設けることで付加することができる。あるいは、位置入力装置としての機能は、フォトセンサとも呼ばれる光電変換素子を表示装置の画素部に設けることでも、付加することができる。また、操作ボタン５２２３としては、例えば、情報端末を起動する電源スイッチ、情報端末のアプリケーションを操作するボタン、音量調整ボタン、または表示部５２２２を点灯、あるいは消灯するスイッチなどとすることができる。また、図２２（Ａ）に示した情報端末では、操作ボタン５２２３の数を４個示しているが、情報端末の有する操作ボタンの数及び配置は、これに限定されない。また、図示していないが、図２２（Ａ）に示した情報端末は、カメラを有する構成であってもよい。また、図示していないが、図２２（Ａ）に示した情報端末は、フラッシュライト、または照明の用途として発光装置を有する構成であってもよい。また、図示していないが、図２２（Ａ）に示した情報端末は、筐体５２２１の内部にセンサ（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線などを測定する機能を含むもの）を有する構成であってもよい。特に、ジャイロ、加速度センサなどの傾きを検出するセンサを有する検出装置を設けることで、図２２（Ａ）に示す情報端末の向き（鉛直方向に対して情報端末がどの向きに向いているか）を判断して、表示部５２２２の画面表示を、情報端末の向きに応じて自動的に切り替えるようにすることができる。
【０３１３】
また、情報端末５２００は、表示部５２２２として可撓性を有する基材を用いて、表示部５２２２を自由に折りたたむことができる構造を有してもよい。このような構成を図２２（Ｂ）に示す。情報端末５３００は、情報端末５２００と同様のタブレット型の情報端末であり、筐体５３２１ａ、筐体５３２１ｂ、表示部５３２２、操作ボタン５３２３、スピーカ５３２４を有している。
【０３１４】
筐体５３２１ａと筐体５３２１ｂと、は、ヒンジ部５３２１ｃにより結合されており、ヒンジ部５３２１ｃによって、２つ折りが可能となっている。また、表示部５３２２は、筐体５３２１ａ、筐体５３２１ｂ、及びヒンジ部５３２１ｃに設けられている。
【０３１５】
表示部５２２２に適用できる可撓性を有する基材としては、可視光に対する透光性を有する材料として、ポリエチレンテレフタレート樹脂（ＰＥＴ）、ポリエチレンナフタレート樹脂（ＰＥＮ）、ポリエーテルサルフォン樹脂（ＰＥＳ）、ポリアクリロニトリル樹脂、アクリル樹脂、ポリイミド樹脂、ポリメチルメタクリレート樹脂、ポリカーボネート樹脂、ポリアミド樹脂、ポリシクロオレフィン樹脂、ポリスチレン樹脂、ポリアミドイミド樹脂、ポリプロピレン樹脂、ポリエステル樹脂、ポリハロゲン化ビニル樹脂、アラミド樹脂、エポキシ樹脂などを用いることができる。また、これらの材料を混合または積層して用いてもよい。
【０３１６】
ところで、情報端末５２００、及び情報端末５３００に、指紋、静脈、虹彩、または声紋など生体情報を取得する装置を設けることで、生体認証機能を有する情報端末を実現することができる。特に、この生体認証機能に、上述のニューラルネットワークを用いることにより、精度の高い認証システムを構築できる場合がある。また、情報端末におけるニューラルネットワークの応用については、認証システムのみに限定されない。例えば、情報端末において、ニューラルネットワークを利用して音声解読を行うことができる場合がある。情報端末に音声解読機能を設けることで、音声認識によってタブレット型の情報端末を操作する機能、更には、音声や会話を判読して会話録を作成する機能、などをタブレット型の情報端末に有することができる。また、例えば、表示部にタッチパネルを有する情報端末において、該タッチパネルに指又はスタイラスペンなどにより書いた文字をニューラルネットワークによって認識できる場合がある。これを利用することで、書いた文字を認識して、あらかじめ設定したフォントに変換して、表示部に映すことができる。これらの機能を用いることで、例えば、タブレット型の情報端末を、外国語などを学習するための教科書の代わりとして活用することができる。又は、例えば、会議などの議事録作成として活用することができる。
【０３１７】
なお、本発明の一態様は、図２２（Ａ）（Ｂ）に示すタブレット型の情報端末に限定せず、図２３（Ａ）に示すような、図２２（Ａ）の情報端末のサイズを小さくし、かつ通話機能を搭載した携帯電話（スマートフォン）の形態であってもよい。図２３（Ａ）の携帯電話は、筐体５５０１、表示部５５０２、マイク５５０３、スピーカ５５０４、操作ボタン５５０５を有する。図２２（Ａ）（Ｂ）に示す情報端末と同様に、指紋、静脈、虹彩、または声紋などの生体情報を取得する装置を設けることで、ニューラルネットワークを利用した生体認証機能を有する情報端末を実現することができる場合がある。また、図２２（Ａ）（Ｂ）に示す情報端末と同様に、ニューラルネットワークを利用した音声解読の機能を有してもよい。また、図２２（Ａ）（Ｂ）に示す情報端末と同様に、ニューラルネットワークを利用した文字認識の機能を有しても良い。
【０３１８】
図２３（Ｂ）はビデオカメラであり、第１筐体５８０１、第２筐体５８０２、表示部５８０３、操作キー５８０４、レンズ５８０５、接続部５８０６等を有する。本発明の一態様にかかる半導体装置は、ビデオカメラの各種集積回路に用いることができる。操作キー５８０４及びレンズ５８０５は第１筐体５８０１に設けられており、表示部５８０３は第２筐体５８０２に設けられている。そして、第１筐体５８０１と第２筐体５８０２とは、接続部５８０６により接続されており、第１筐体５８０１と第２筐体５８０２の間の角度は、接続部５８０６により変更が可能である。表示部５８０３における映像を、接続部５８０６における第１筐体５８０１と第２筐体５８０２との間の角度に従って切り替える構成としてもよい。
【０３１９】
ビデオカメラで撮影した画像を記録する際、データの記録形式に応じたエンコードを行う必要がある。エンコードの際に、ニューラルネットワークによるパターン認識を利用することによって、前回の撮像画像データと今回の撮像画像データとの差分データを算出して、データの圧縮を行うことができる。
【０３２０】
図２３（Ｃ）は、掌紋認証装置を示しており、筐体５４３１、表示部５４３２、掌紋読み取り部５４３３、配線５４３４を有している。図２３（Ｃ）は、手５４３５の掌紋を取得する様子を示している。また、本発明の一態様は、掌紋認証装置に限定されず、指紋、静脈、顔、虹彩、声紋、遺伝子などの生体情報を取得して生体認証を行う装置であってもよい。
【０３２１】
図２４は、放送システムにおけるデータ伝送を示した模式図である。図２４には、放送局６５６１から送信された電波（放送信号）が、各家庭のテレビジョン受信装置（ＴＶ）６５６０に届けられるまでの経路を示している。ＴＶ６５６０は、受信装置及び表示装置を備えている。人工衛星６５６２として、例えば、ＣＳ衛星、ＢＳ衛星などが挙げられる。アンテナ６５６４として、例えば、ＢＳ・１１０°ＣＳアンテナ、ＣＳアンテナなどが挙げられる。アンテナ６５６５として、例えば、ＵＨＦ（Ｕｌｔｒａ  Ｈｉｇｈ  Ｆｒｅｑｕｅｎｃｙ）アンテナなどが挙げられる。
【０３２２】
電波６５６６Ａ、６５６６Ｂは、衛星放送用の放送信号である。人工衛星６５６２は電波６５６６Ａを受信すると、地上に向けて電波６５６６Ｂを伝送する。各家庭において、電波６５６６Ｂはアンテナ６５６４で受信され、ＴＶ６５６０において衛星ＴＶ放送を視聴することができる。あるいは、電波６５６６Ｂは他の放送局のアンテナで受信され、放送局内の受信装置によって光ケーブルに伝送できる信号に加工される。放送局は光ケーブル網を利用して放送信号を各家庭のＴＶ６５６０に送信する。電波６５６７Ａ、６５６７Ｂは、地上波放送用の放送信号である。電波塔６５６３は、受信した電波６５６７Ａを増幅して、電波６５６７Ｂを送信する。各家庭では、アンテナ６５６５で電波６５６７Ｂを受信することで、ＴＶ６５６０で地上波ＴＶ放送を視聴することができる。
【０３２３】
放送局６５６１から電波６５６６Ａ、または電波６５６７Ａを発信する前に、放送局６５６１が有する電子機器によって、映像データのエンコード処理が行われる。このとき、ニューラルネットワークによるパターン認識を利用することによって、前回の撮像画像データと今回の撮像画像データとの差分データを算出して、データの圧縮を行うことができる。
【０３２４】
また、本実施の形態の映像配信システムは、ＴＶ放送用のシステムに限定されるものではない。また配信する映像データは、動画像データでもよいし、静止画像データでもよい。
【０３２５】
例えば、高速ＩＰネットワークを通じてカメラの映像データを配信してもよい。例えば、映像データの配信システムは医療現場では、遠隔診断、遠隔診療に用いることができる。画像診断などの医療行為に利用する映像は、より高精細な映像であることが求められており、医療用画像として高解像度（８Ｋ、４Ｋ、２Ｋ）の映像求められる。図２５は、映像データの配信システムを利用した救急医療システムを示した模式図である。
【０３２６】
救急車６６００（救急車；救急搬送車両）と医療機関６６０１との間、又は医療機関６６０１と医療機関６６０２との間の通信は、高速ネットワーク６６０５を利用して行われる。救急車６６００には、カメラ６６１０、エンコーダ６６１１、通信装置６６１２が搭載されている。
【０３２７】
カメラ６６１０は、医療機関６６０１へ搬送する患者を撮影する。カメラ６６１０で取得した映像データ６６１５は、通信装置６６１２によって非圧縮で送信することもできる。これにより遅延を少なくして、高解像度の映像データ６６１５を医療機関６６０１に伝送することができる。救急車６６００と医療機関６６０１と間の通信に、高速ネットワーク６６０５を利用できない場合は、エンコーダ６６１１で映像データを符号化し、符号化した映像データ６６１６を送ることもできる。このとき、ニューラルネットワークによるパターン認識を利用することによって、前述した放送システムと同様に映像データの圧縮を行うことができる。
【０３２８】
医療機関６６０１では、救急車６６００から送られた映像データを通信装置６６２０で受信される。受信した映像データが非圧縮データであれば、通信装置６６２０を介して、表示装置６６２３に送られ、表示される。映像データが圧縮データであれば、デコーダ６６２１でデータ伸長された後、サーバ６６２２、及び表示装置６６２３に送られる。医師は、表示装置６６２３の画像から、救急車６６００の救急隊員への指示、あるいは、患者の治療にあたる医療機関６６０１内のスタッフに指示を行う。図２５の配信システムは高精細な画像を伝送することができるので、医療機関６６０１内において、医師は救急搬送中の患者の細部を確認することができる。そのため、医師は短時間でより的確な指示を救急隊員やスタッフに与えることができ、患者の救命率の向上につながる。
【０３２９】
医療機関６６０１と医療機関６６０２間の映像データの通信も、上記と同様である。医療機関６６０１の画像診断装置（ＣＴ、ＭＲＩ等）で取得した医療画像を医療機関６６０２に伝送することができる。また、ここでは、救急車６６００を例に挙げたが、患者を搬送する手段は、ヘリコプターなどの航空機や、船舶でもよい。
【０３３０】
なお、本実施の形態で示した電子機器、又はシステムは、他の電子機器、又はシステムと適宜組み合わせることができる。
【０３３１】
また、本実施の形態は、本明細書で示す他の実施の形態と適宜組み合わせることができる。
【０３３２】
（実施の形態４）
本実施の形態では、実施の形態３で説明した電子機器の表示部に適用できる表示装置について、図２６乃至図３０を用いて説明する。
【０３３３】
本実施の形態の表示装置は、可視光を反射する第１表示素子と、可視光を発する第２表示素子とを有する。また、表示装置は、第１表示素子によって反射する光と、第２表示素子が発する光のうち、いずれか一方または双方により、画像を表示する機能を有する。
【０３３４】
第１表示素子には、外光を反射して表示する素子を用いることができる。このような素子は光源を持たないため、表示の際の消費電力を極めて小さくすることが可能となる。
【０３３５】
第１表示素子には、代表的には反射型の液晶素子を用いることができる。または、第１表示素子として、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子の他、マイクロカプセル方式、電気泳動方式、エレクトロウェッティング方式等を適用した素子などを用いることができる。
【０３３６】
第２表示素子には、発光素子を用いることが好ましい。このような表示素子が発する光は、その輝度や色度が外光に左右されることが少ないため、色再現性が高く（色域が広く）、コントラストの高い、鮮やかな表示を行うことができる。
【０３３７】
第２表示素子には、例えばＯＬＥＤ（Ｏｒｇａｎｉｃ  Ｌｉｇｈｔ  Ｅｍｉｔｔｉｎｇ  Ｄｉｏｄｅ）、ＬＥＤ（Ｌｉｇｈｔ  Ｅｍｉｔｔｉｎｇ  Ｄｉｏｄｅ）、無機ＥＬ、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザ（窒化物半導体発光ダイオードなど）などの自発光性の発光素子を用いることができる。なお、第２表示素子には、自発光性の発光素子を用いることが好ましいが、これに限定されず、例えば、バックライト、またはサイドライトなどの光源と、液晶素子とを組み合わせた透過型の液晶素子を用いてもよい。
【０３３８】
本明細書では、このように、表示素子として発光素子と、反射型素子と、を有するディスプレイを、ＥＲ−Ｈｙｂｒｉｄ  ディスプレイ（Ｅｍｉｓｓｉｖｅ  ＯＬＥＤ  ａｎｄ  Ｒｅｆｌｅｃｔｉｖｅ  ＬＣ  Ｈｙｂｒｉｄ  ディスプレイ、または、Ｅｍｉｓｓｉｏｎ／Ｒｅｆｌｅｃｔｉｏｎ  Ｈｙｂｒｉｄ  ディスプレイ）と呼称する。また、表示素子として透過型液晶素子と、反射型液晶素子と、を有するディスプレイをＴＲ−Ｈｙｂｒｉｄ  ディスプレイ（Ｔｒａｎｓｍｉｓｓｉｖｅ  ＬＣ  ａｎｄ  Ｒｅｆｌｅｃｔｉｖｅ  ＬＣ  Ｈｙｂｒｉｄ  ディスプレイ、または、Ｔｒａｎｓｍｉｓｓｉｏｎ／Ｒｅｆｌｅｃｔｉｏｎ  Ｈｙｂｒｉｄ  ディスプレイ）と呼称する。また、表示素子として発光素子と、反射型素子と、を有する表示装置を、ハイブリッド表示装置と呼称し、ハイブリッド表示装置を有するディスプレイをハイブリッドディスプレイと呼称する。
【０３３９】
本実施の形態の表示装置は、第１表示素子を用いて画像を表示する第１のモードと、第２表示素子を用いて画像を表示する第２のモードと、第１表示素子及び第２表示素子の双方を用いて画像を表示する第３のモードと、を有し、第１乃至第３のモードを自動または手動で切り替えることができる。以下では、第１乃至第３のモードの詳細について説明する。
【０３４０】
なお、本明細書において、ハイブリッド表示（第３のモードの表示）とは、１つのパネルにおいて、反射光と、自発光とを併用して、色調または光強度を互いに補完して、文字及び／又は画像を表示する方法である。または、ハイブリッド表示とは、同一画素または同一副画素において複数の表示素子から、それぞれの光を用いて、文字及び／又は画像を表示する方法である。ただし、ハイブリッド表示を行っているハイブリッドディスプレイを局所的にみると、複数の表示素子のいずれか一を用いて表示される画素または副画素と、複数の表示素子の二以上を用いて表示される画素または副画素と、を有する場合がある。
【０３４１】
なお、本明細書等において、上記構成のいずれか１つまたは複数の表現を満たすものを、ハイブリッド表示という。
【０３４２】
また、ハイブリッドディスプレイは、同一画素または同一副画素に複数の表示素子を有する。なお、複数の表示素子としては、例えば、光を反射する反射型素子と、光を射出する自発光素子とが挙げられる。なお、反射型素子と、自発光素子とは、それぞれ独立に制御することができる。ハイブリッドディスプレイは、表示部において、反射光、及び自発光のいずれか一方または双方を用いて、文字及び／または画像を表示する機能を有する。
【０３４３】
［第１のモード］
第１のモードでは、第１表示素子と外光とを用いて画像を表示する。第１のモードは光源が不要であるため、極めて低消費電力なモードである。例えば、表示装置に外光が十分に入射されるとき（明るい環境下など）は、第１表示素子が反射した光を用いて表示を行うことができる。例えば、外光が十分に強く、かつ外光が白色光またはその近傍の光である場合に有効である。第１のモードは、文字を表示することに適したモードである。また、第１のモードは、外光を反射した光を用いるため、目に優しい表示を行うことができ、目が疲れにくいという効果を奏する。なお、第１のモードを、反射した光を用いて表示を行うため、反射型の表示モード（Ｒｅｆｌｅｃｔｉｏｎ  ｍｏｄｅ）と呼称してもよい。
【０３４４】
［第２のモード］
第２のモードでは、第２表示素子による発光を利用して画像を表示する。そのため、照度や外光の色度によらず、極めて鮮やかな（コントラストが高く、且つ色再現性の高い）表示を行うことができる。例えば、夜間や暗い室内など、照度が極めて低い場合などに有効である。また、周囲が暗い場合、明るい表示を行うと使用者が眩しく感じてしまう場合がある。これを防ぐために、第２のモードでは輝度を抑えた表示を行うことが好ましい。これにより、眩しさを抑えることに加え、消費電力も低減することができる。第２のモードは、鮮やかな画像（静止画及び動画）などを表示することに適したモードである。なお、第２のモードを、発光、すなわち放射した光を用いて表示を行うため、放射型の表示モード（Ｅｍｉｓｓｉｏｎ  ｍｏｄｅ）と呼称してもよい。
【０３４５】
［第３のモード］
第３のモードでは、第１表示素子による反射光と、第２表示素子による発光との双方を利用して表示を行う。なお、第１表示素子と第２表示素子とを、それぞれ独立に駆動させ、且つ第１表示素子と第２表示素子とを、同一期間内で駆動させることで、第１表示素子と、第２表示素子とを組み合わせた表示を行うことができる。なお、本明細書等において、第１表示素子と、第２表示素子とを組み合わせた表示、すなわち、第３のモードをハイブリッド表示モード（ＨＢ表示モード）と呼称することができる。または、第３のモードを、放射型の表示モードと、反射型の表示モードとを組み合わせた表示モード（ＥＲ−Ｈｙｂｒｉｄ  ｍｏｄｅ）と呼称してもよい。
【０３４６】
第３のモードで表示を行うことで、第１のモードよりも鮮やかな表示とし、且つ第２のモードよりも消費電力を抑えることができる。例えば、室内照明下や、朝方や夕方の時間帯など、比較的照度が低い場合、外光の色度が白色ではない場合などに有効である。また、反射光と発光とを混合させた光を用いることで、まるで絵画を見ているかのように感じさせる画像を表示することが可能となる。
【０３４７】
本実施の形態の表示装置は、上記のとおり、第１表示素子で字幕を表示し、第２表示素子で画像の表示を行ってもよい。このように、画像と字幕と、の両方を表示したい場合は、上述の第３のモードで表示装置を動かせばよい。
【０３４８】
また、字幕を表示しない場合は、第２表示素子で画像の表示を行えばよいので、上述の第２のモードで表示装置を動かせばよい。なお、照度が明るい場合は、第１表示素子で画像の表示を行ってもよいので、第２のモードではなく、第１のモードで表示装置を動かしてもよい。
【０３４９】
＜第１乃至第３のモードの具体例＞
ここで、上述した第１乃至第３のモードを用いる場合の具体例について、図２６及び図２７を用いて説明する。
【０３５０】
なお、以下では、第１乃至第３のモードが照度に応じて自動に切り替わる場合について説明する。なお、照度に応じて自動で切り替わる場合、例えば、表示装置に照度センサ等を設け、当該照度センサからの情報をもとに表示モードを切り替えることができる。
【０３５１】
図２６（Ａ）（Ｂ）（Ｃ）は、本実施の形態の表示装置が取り得る表示モードを説明するための画素の模式図である。
【０３５２】
図２６（Ａ）（Ｂ）（Ｃ）では、第１表示素子２０１、第２表示素子２０２、開口部２０３、第１表示素子２０１から反射される反射光２０４、及び第２表示素子２０２から開口部２０３を通って射出される透過光２０５が明示されている。なお、図２６（Ａ）が第１のモードを説明する図であり、図２６（Ｂ）が第２のモードを説明する図であり、図２６（Ｃ）が第３のモードを説明する図である。
【０３５３】
なお、図２６（Ａ）（Ｂ）（Ｃ）では、第１表示素子２０１として、反射型の液晶素子を用い、第２表示素子２０２として、自発光型のＯＬＥＤを用いる場合とする。
【０３５４】
図２６（Ａ）に示す第１のモードでは、第１表示素子２０１である、反射型の液晶素子を駆動して反射光の強度を調節して階調表示を行うことができる。例えば、図２６（Ａ）に示すように、第１表示素子２０１である、反射型の液晶素子が有する反射電極で反射された反射光２０４の強度を液晶層で調節することで階調表示を行うことができる。
【０３５５】
図２６（Ｂ）に示す第２のモードでは、第２表示素子２０２である、自発光型のＯＬＥＤの発光強度を調節して階調表示を行うことができる。なお、第２表示素子２０２から射出される光は、開口部２０３を通過し、透過光２０５として外部に取り出される。
【０３５６】
図２６（Ｃ）に示す第３のモードは、上述した第１のモードと、第２のモードとを組み合わせた表示モードである。例えば、図２６（Ｃ）に示す第１表示素子２０１である反射型の液晶素子が有する反射電極で反射された反射光２０４の強度を液晶層で調節することで階調表示が行われ、加えて、第１表示素子２０１の駆動する期間と、同じ期間内に、第２表示素子２０２である自発光型のＯＬＥＤから発する透過光２０５の発光強度を調整することで階調表示が行われる。
【０３５７】
＜第１乃至第３のモードの状態遷移＞
次に、第１乃至第３のモードの状態遷移について、図２６（Ｄ）を用いて説明を行う。図２６（Ｄ）は、第１のモード、第２のモード、及び第３のモードの状態遷移図である。図２６（Ｄ）に示す、状態ＣＮＤ１は第１のモードに相当し、状態ＣＮＤ２は第２のモードに相当し、状態ＣＮＤ３は第３のモードに相当する。
【０３５８】
図２６（Ｄ）に図示するように、状態ＣＮＤ１から状態ＣＮＤ３までは照度に応じていずれかの状態の表示モードを取り得る。例えば、昼間のように照度が大きい場合には、状態ＣＮＤ１を取り得る。また、昼間から夜間に時間経過して照度が小さくなる場合には、状態ＣＮＤ１から状態ＣＮＤ２に遷移する。また、昼間であっても照度が低く、反射光による階調表示が十分でない場合には、状態ＣＮＤ２から状態ＣＮＤ３に遷移する。もちろん、状態ＣＮＤ３から状態ＣＮＤ１への遷移、状態ＣＮＤ１から状態ＣＮＤ３への遷移、状態ＣＮＤ３から状態ＣＮＤ２への遷移、または状態ＣＮＤ２から状態ＣＮＤ１への遷移も生じる。
【０３５９】
なお、図２６（Ｄ）に図示するように、状態ＣＮＤ１乃至状態ＣＮＤ３において、照度の変化がない、または照度の変化が少ない場合には、他の状態に遷移せずに、続けて元の状態を維持すればよい。
【０３６０】
以上のように照度に応じて表示モードを切り替える構成とすることで、消費電力が比較的大きい発光素子の光の強度による階調表示の頻度を減らすことができる。そのため、表示装置の消費電力を低減することができる。また、表示装置は、バッテリの残容量、表示するコンテンツ、または周辺環境の照度に応じて、さらに動作モードを切り替えることができる。なお、上記の説明においては、照度に応じて表示モードが自動で切り替わる場合について例示したがこれに限定されず、使用者が手動で表示モードを切り替えてもよい。
【０３６１】
＜動作モード＞
次に、第１表示素子、及び第２表示素子で行うことができる動作モードについて、図２７を用いて説明を行う。
【０３６２】
なお、以下では、通常のフレーム周波数（代表的には６０Ｈｚ以上２４０Ｈｚ以下）で動作する通常動作モード（Ｎｏｒｍａｌ  ｍｏｄｅ）と、低速のフレーム周波数で動作するアイドリング・ストップ（ＩＤＳ）駆動モードと、を例示して説明する。
【０３６３】
なお、アイドリング・ストップ（ＩＤＳ）駆動モードとは、画像データの書き込み処理を実行した後、画像データの書き換えを停止する駆動方法のことをいう。一旦画像データの書き込みをして、その後、次の画像データの書き込みまでの間隔を延ばすことで、その間の画像データの書き込みに要する分の消費電力を削減することができる。アイドリング・ストップ（ＩＤＳ）駆動モードは、例えば、通常動作モードの１／１００乃至１／１０程度のフレーム周波数とすることができる。
【０３６４】
図２７（Ａ）（Ｂ）（Ｃ）は、通常駆動モードとアイドリング・ストップ（ＩＤＳ）駆動モードを説明する回路図及びタイミングチャートである。なお、図２７（Ａ）では、第１表示素子２０１（ここでは液晶素子）と、第１表示素子２０１に電気的に接続される画素回路２０６と、を明示している。また、図２７（Ａ）に示す画素回路２０６では、信号線ＳＬと、ゲート線ＧＬと、信号線ＳＬ及びゲート線ＧＬに接続されたトランジスタＭ１と、トランジスタＭ１に接続される容量素子ＣｓＬＣとを図示している。
【０３６５】
トランジスタＭ１としては、半導体層に金属酸化物を有するトランジスタを用いることが好ましい。以下、トランジスタの代表例として、金属酸化物の分類の１つである酸化物半導体を有するトランジスタ（ＯＳトランジスタ）を用いて説明する。ＯＳトランジスタは、非導通状態時のリーク電流（オフ電流）が極めて低いため、ＯＳトランジスタを非導通状態とすることで液晶素子の画素電極に電荷の保持をすることができる。
【０３６６】
図２７（Ｂ）は、通常駆動モードでの信号線ＳＬおよびゲート線ＧＬにそれぞれ与える信号の波形を示すタイミングチャートである。通常駆動モードでは通常のフレーム周波数（例えば６０Ｈｚ）で動作する。１フレーム期間を期間Ｔ１からＴ３までで表すと、各フレーム期間でゲート線ＧＬに走査信号を与え、信号線ＳＬからデータＤ１を書き込む動作を行う。この動作は、期間Ｔ１乃至期間Ｔ３に同じデータＤ１を書き込む場合、または異なるデータを書き込む場合でも同じである。
【０３６７】
一方、図２７（Ｃ）は、アイドリング・ストップ（ＩＤＳ）駆動モードでの信号線ＳＬおよびゲート線ＧＬに、それぞれ与える信号の波形を示すタイミングチャートである。アイドリング・ストップ（ＩＤＳ）駆動では低速のフレーム周波数（例えば１Ｈｚ）で動作する。１フレーム期間を期間Ｔ１で表し、その中でデータの書き込み期間を期間ＴＷ、データの保持期間を期間ＴＲＥＴで表す。アイドリング・ストップ（ＩＤＳ）駆動モードは、期間ＴＷでゲート線ＧＬに走査信号を与え、信号線ＳＬのデータＤ１を書き込み、期間ＴＲＥＴでゲート線ＧＬをローレベルの電圧に固定し、トランジスタＭ１を非導通状態として一旦書き込んだデータＤ１を保持させる動作を行う。
【０３６８】
アイドリング・ストップ（ＩＤＳ）駆動モードは、上述した第１のモード、または第３のモードと組み合わせることで、さらなる低消費電力化を図ることができるため有効である。
【０３６９】
図２７（Ｄ）は、第２表示素子２０２（ここでは有機ＥＬ素子）と、第２表示素子に電気的に接続されている画素回路２０７と、を明示している。また、図２７（Ｄ）に示す画素回路２０７では、信号線ＤＬと、ゲート線ＧＬ２と、電流供給線ＡＬと、信号線ＤＬ及びゲート線ＧＬ２に電気的に接続されたトランジスタＭ２と、トランジスタＭ２と電流供給線ＡＬとに電気的に接続された容量素子ＣｓＥＬと、トランジスタＭ２と容量素子ＣｓＥＬと電流供給線ＡＬと第２表示素子２０２とに電気的に接続されたトランジスタＭ３と、を図示している。
【０３７０】
トランジスタＭ２としては、トランジスタＭ１と同様に、ＯＳトランジスタを用いることが好ましい。ＯＳトランジスタは、非導通状態時のリーク電流（オフ電流）が極めて低いため、ＯＳトランジスタを非導通状態とすることで容量素子ＣｓＥＬに充電した電荷の保持をすることができる。つまり、トランジスタＭ３のゲート−ドレイン間電圧を一定に保つことができ、第２表示素子２０２の発光強度を一定にすることができる。
【０３７１】
したがって、第１表示素子がアイドリング・ストップ（ＩＤＳ）駆動する場合と同様に、第２表示素子のアイドリング・ストップ（ＩＤＳ）駆動は、ゲート線ＧＬ２に走査信号を与えて、信号線ＤＬからデータを書き込んだ後に、ゲート線ＧＬ２をローレベルの電圧にすることで、トランジスタＭ２を非導通状態として一旦書き込んだ該データを保持する動作を行う。
【０３７２】
なお、トランジスタＭ３は、トランジスタＭ２と同様の材料で構成するのが好ましい。トランジスタＭ３とトランジスタＭ２の材料の構成を同じにすることで、画素回路２０７の作製工程を短縮することができる。
【０３７３】
アイドリング・ストップ（ＩＤＳ）駆動モードは、上述した第１のモード乃至第３のモードと組み合わせることで、さらなる低消費電力化を図ることができるため有効である。
【０３７４】
以上のように、本実施の形態の表示装置は、第１のモード乃至第３のモードを切り替えて表示を行うことができる。したがって、周囲の明るさによらず、視認性が高く利便性の高い表示装置または全天候型の表示装置を実現できる。
【０３７５】
また、本実施の形態の表示装置は、第１表示素子を有する第１の画素と、第２表示素子を有する第２の画素とをそれぞれ複数有すると好ましい。また、第１の画素と第２の画素とは、それぞれ、マトリクス状に配置されることが好ましい。
【０３７６】
第１の画素及び第２の画素は、それぞれ、１つ以上の副画素を有する構成とすることができる。例えば、画素には、副画素を１つ有する構成（白色（Ｗ）など）、副画素を３つ有する構成（赤色（Ｒ）、緑色（Ｇ）、及び青色（Ｂ）の３色など）、あるいは、副画素を４つ有する構成（赤色（Ｒ）、緑色（Ｇ）、青色（Ｂ）、白色（Ｗ）の４色、または、赤色（Ｒ）、緑色（Ｇ）、青色（Ｂ）、黄色（Ｙ）の４色など）を適用できる。なお、第１の画素及び第２の画素が有する色要素は、上記に限定されず、必要に応じて、シアン（Ｃ）及びマゼンタ（Ｍ）などを組み合わせてもよい。
【０３７７】
本実施の形態の表示装置は、第１の画素及び第２の画素は、双方とも、フルカラー表示を行う構成とすることができる。または、本実施の形態の表示装置は、第１の画素では白黒表示またはグレースケールでの表示を行い、第２の画素ではフルカラー表示を行う構成とすることができる。第１の画素を用いた白黒表示またはグレースケールでの表示は、文書情報など、カラー表示を必要としない情報を表示することに適している。
【０３７８】
＜表示装置の斜視概略図＞
次に、本実施の形態の表示装置について、図２８を用いて説明を行う。図２８は、表示装置２１０の斜視概略図である。
【０３７９】
表示装置２１０は、基板２５７０と基板２７７０とが貼り合わされた構成を有する。図２８では、基板２７７０を破線で明示している。
【０３８０】
表示装置２１０は、表示部２１４、回路２１６、配線２１８等を有する。図２８では表示装置２１０にＩＣ２２０及びＦＰＣ２２２が実装されている例を示している。そのため、図２８に示す構成は、表示装置２１０、ＩＣ２２０、及びＦＰＣ２２２を有する表示モジュールということもできる。
【０３８１】
回路２１６としては、例えば走査線駆動回路を用いることができる。
【０３８２】
配線２１８は、表示部２１４及び回路２１６に信号及び電力を供給する機能を有する。当該信号及び電力は、ＦＰＣ２２２を介して外部から、またはＩＣ２２０から配線２１８に入力される。
【０３８３】
図２８では、ＣＯＧ（Ｃｈｉｐ  Ｏｎ  Ｇｌａｓｓ）方式またはＣＯＦ（Ｃｈｉｐ  ｏｎ  Ｆｉｌｍ）方式等により、基板２５７０にＩＣ２２０が設けられている例を示す。ＩＣ２２０は、例えば走査線駆動回路または信号線駆動回路などを有するＩＣを適用できる。なお、表示装置２１０には、ＩＣ２２０を設けない構成としてもよい。また、ＩＣ２２０を、ＣＯＦ方式等により、ＦＰＣに実装してもよい。
【０３８４】
図２８には、表示部２１４の一部の拡大図を示している。表示部２１４には、複数の表示素子が有する電極２７５１がマトリクス状に配置されている。電極２７５１は、可視光を反射する機能を有し、液晶素子として、第１表示素子２７５０（後述する）の反射電極として機能する。
【０３８５】
また、図２８に示すように、電極２７５１は開口部として領域２７５１Ｈを有する。さらに表示部２１４は、電極２７５１よりも基板２５７０側に、発光素子として、第２表示素子２５５０を有する。第２表示素子２５５０からの光は、電極２７５１の領域２７５１Ｈを介して基板２７７０側に射出される。第２表示素子２５５０の発光領域の面積と領域２７５１Ｈの面積とは等しくてもよい。第２表示素子２５５０の発光領域の面積と領域２７５１Ｈの面積のうち一方が他方よりも大きいと、位置ずれに対するマージンが大きくなるため好ましい。
【０３８６】
＜入出力パネルの断面図＞
次に、図２８で示した表示装置２１０に、タッチセンサユニットを設けた入出力パネルの構成を、図２９及び図３０を参照しながら説明する。
【０３８７】
図２９は、入出力パネル２７００ＴＰ３が備える画素の断面図である。
【０３８８】
図３０は、本発明の一態様の入出力パネルの構成を説明する図である。図３０（Ａ）は図２９に示す入出力パネルの機能膜の構成を説明する断面図であり、図３０（Ｂ）は入力ユニットの構成を説明する断面図であり、図３０（Ｃ）は第２ユニットの構成を説明する断面図であり、図３０（Ｄ）は第１ユニットの構成を説明する断面図である。
【０３８９】
本構成例で説明する入出力パネル２７００ＴＰ３は、画素２７０２（ｉ，ｊ）を有する（図２９参照）。また、入出力パネル２７００ＴＰ３は、第１ユニット２０１０と、第２ユニット２０２０と、入力ユニット２０３０と、機能膜２７７０Ｐと、を有する（図３０参照）。第１ユニット２０１０は機能層２５２０を含み、第２ユニット２０２０は機能層２７２０を含む。
【０３９０】
＜＜画素２７０２（ｉ，ｊ）＞＞
画素２７０２（ｉ，ｊ）は、機能層２５２０の一部と、第１表示素子２７５０（ｉ，ｊ）と、第２表示素子２５５０（ｉ，ｊ）と、を有する（図２９参照）。
【０３９１】
機能層２５２０は、第１の導電膜、第２の導電膜、絶縁膜２５０１Ｃおよび画素回路を含む。なお、画素回路は、例えば、トランジスタＭを含む。また、機能層２５２０は、光学素子２５６０、被覆膜２５６５およびレンズ２５８０を含む。また、機能層２５２０は、絶縁膜２５２８および絶縁膜２５２１を備える。絶縁膜２５２１Ａおよび絶縁膜２５２１Ｂを積層した材料を、絶縁膜２５２１に用いることができる。
【０３９２】
例えば、屈折率１．５５近傍の材料を絶縁膜２５２１Ａまたは絶縁膜２５２１Ｂに用いることができる。または、屈折率１．６近傍の材料を絶縁膜２５２１Ａまたは絶縁膜２５２１Ｂに用いることができる。または、アクリル樹脂またはポリイミドを絶縁膜２５２１Ａまたは絶縁膜２５２１Ｂに用いることができる。
【０３９３】
絶縁膜２５０１Ｃは、第１の導電膜および第２の導電膜の間に挟まれる領域を備え、絶縁膜２５０１Ｃは開口部２５９１Ａを備える。
【０３９４】
第１の導電膜は、第１表示素子２７５０（ｉ，ｊ）と電気的に接続される。具体的には、第１表示素子２７５０（ｉ，ｊ）の電極２７５１（ｉ，ｊ）と電気的に接続される。なお、電極２７５１（ｉ，ｊ）を、第１の導電膜に用いることができる。
【０３９５】
第２の導電膜は、第１の導電膜と重なる領域を備える。第２の導電膜は、開口部２５９１Ａにおいて、第１の導電膜と電気的に接続される。例えば、導電膜２５１２Ｂを第２の導電膜に用いることができる。第２の導電膜は、画素回路と電気的に接続される。例えば、画素回路のスイッチＳＷ１に用いるトランジスタのソース電極またはドレイン電極として機能する導電膜を第２の導電膜に用いることができる。ところで、絶縁膜２５０１Ｃに設けられた開口部２５９１Ａにおいて第２の導電膜と電気的に接続される第１の導電膜を、貫通電極ということができる。
【０３９６】
第２表示素子２５５０（ｉ，ｊ）は、画素回路と電気的に接続される。第２表示素子２５５０（ｉ，ｊ）は、機能層２５２０に向けて光を射出する機能を備える。また、第２表示素子２５５０（ｉ，ｊ）は、例えば、レンズ２５８０または光学素子２５６０に向けて光を射出する機能を備える。
【０３９７】
第２表示素子２５５０（ｉ，ｊ）は、第１表示素子２７５０（ｉ，ｊ）を用いた表示を視認できる範囲の一部において視認できるように配設される。例えば、第２表示素子２５５０（ｉ，ｊ）が射出する光を遮らない領域２７５１Ｈを備える形状を第１表示素子２７５０（ｉ，ｊ）の電極２７５１（ｉ，ｊ）に用いる。なお、外光を反射する強度を制御して画像情報を表示する第１表示素子２７５０（ｉ，ｊ）に外光が入射し反射する方向を、破線の矢印を用いて図中に示す。また、第１表示素子２７５０（ｉ，ｊ）を用いた表示を視認できる範囲の一部に第２表示素子２５５０（ｉ，ｊ）が光を射出する方向を、実線の矢印を用いて図中に示す。
【０３９８】
これにより、第１表示素子を用いた表示を視認することができる領域の一部において、第２表示素子を用いた表示を視認することができる。または、入出力パネルの姿勢等を変えることなく使用者は表示を視認することができる。または、第１表示素子が反射する光が表現する物体色と、第２表示素子が射出する光が表現する光源色とを掛け合わせることができる。または、物体色および光源色を用いて絵画的な表示をすることができる。その結果、利便性または信頼性に優れた新規な入出力パネルを提供することができる。
【０３９９】
例えば、第１表示素子２７５０（ｉ，ｊ）は、電極２７５１（ｉ，ｊ）と、電極２７５２と、液晶材料を含む層２７５３と、を備える。また、配向膜ＡＦ１と、配向膜ＡＦ２とを備える。具体的には、反射型の液晶素子を第１表示素子２７５０（ｉ，ｊ）に用いることができる。
【０４００】
例えば、屈折率２．０近傍の透明導電膜を電極２７５２または電極２７５１（ｉ，ｊ）に用いることができる。具体的には、インジウムとスズとシリコンを含む酸化物を電極２７５２または電極２７５１（ｉ，ｊ）に用いることができる。または、屈折率１．６近傍の材料を配向膜に用いることができる。また、液晶層の誘電率の異方性を２以上３．８以下とし、液晶層の抵抗率を１．０×１０１４（Ω・ｃｍ）以上１．０×１０１５（Ω・ｃｍ）以下とすることで、ＩＤＳ駆動が可能であり、入出力パネルの消費電力を低減することができるため好ましい。
【０４０１】
例えば、第２表示素子２５５０（ｉ，ｊ）は、電極２５５１（ｉ，ｊ）と、電極２５５２と、発光性の材料を含む層２５５３（ｊ）と、を備える。電極２５５２は、電極２５５１（ｉ，ｊ）と重なる領域を備える。発光性の材料を含む層２５５３（ｊ）は、電極２５５１（ｉ，ｊ）および電極２５５２の間に挟まれる領域を備える。電極２５５１（ｉ，ｊ）は、接続部２５２２において、画素回路と電気的に接続される。具体的には、有機ＥＬ素子を第２表示素子２５５０（ｉ，ｊ）に用いることができる。
【０４０２】
例えば、屈折率２．０近傍の透明導電膜を電極２５５１（ｉ，ｊ）に用いることができる。具体的には、インジウムとスズとシリコンを含む酸化物を電極２５５１（ｉ，ｊ）に用いることができる。または、屈折率１．８近傍の材料を発光性の材料を含む層２５５３（ｊ）に用いることができる。
【０４０３】
光学素子２５６０は透光性を備え、光学素子２５６０は第１の領域、第２の領域および第３の領域を備える。
【０４０４】
第１の領域は第２表示素子２５５０（ｉ，ｊ）から可視光を供給される領域を含み、第２の領域は被覆膜２５６５と接する領域を含み、第３の領域は可視光の一部を射出する機能を備える。また、第３の領域は第１の領域の可視光を供給される領域の面積以下の面積を備える。
【０４０５】
被覆膜２５６５は可視光に対する反射性を備え、被覆膜２５６５は可視光の一部を反射して、第３の領域に供給する機能を備える。
【０４０６】
例えば、金属を被覆膜２５６５に用いることができる。具体的には、銀を含む材料を被覆膜２５６５に用いることができる。例えば、銀およびパラジウム等を含む材料または銀および銅等を含む材料を被覆膜２５６５に用いることができる。
【０４０７】
＜＜レンズ２５８０＞＞
可視光を透過する材料をレンズ２５８０に用いることができる。または、１．３以上２．５以下の屈折率を備える材料をレンズ２５８０に用いることができる。例えば、無機材料または有機材料をレンズ２５８０に用いることができる。
【０４０８】
例えば、酸化物または硫化物を含む材料をレンズ２５８０に用いることができる。
【０４０９】
具体的には、酸化セリウム、酸化ハフニウム、酸化ランタン、酸化マグネシウム、酸化ニオブ、酸化タンタル、酸化チタン、酸化イットリウム、酸化亜鉛、インジウムとスズを含む酸化物またはインジウムとガリウムと亜鉛を含む酸化物などを、レンズ２５８０に用いることができる。または、硫化亜鉛などを、レンズ２５８０に用いることができる。
【０４１０】
例えば、樹脂を含む材料をレンズ２５８０に用いることができる。具体的には、塩素、臭素またはヨウ素が導入された樹脂、重金属原子が導入された樹脂、芳香環が導入された樹脂、硫黄が導入された樹脂などをレンズ２５８０に用いることができる。または、樹脂と、当該樹脂より屈折率の高い樹脂と、を積層してレンズ２５８０に用いることができる。また、屈折率の高い樹脂としては、ナノ粒子を含む樹脂としてもよい。当該ナノ粒子としては、酸化チタンまたは酸化ジルコニウムなどを用いることができる。
【０４１１】
＜＜機能層２７２０＞＞
機能層２７２０は、基板２７７０および絶縁膜２５０１Ｃの間に挟まれる領域を備える。機能層２７２０は、絶縁膜２７７１と、着色膜ＣＦ１と、を有する。
【０４１２】
着色膜ＣＦ１は、基板２７７０および第１表示素子２７５０（ｉ，ｊ）の間に挟まれる領域を備える。
【０４１３】
絶縁膜２７７１は、着色膜ＣＦ１と液晶材料を含む層２７５３の間に挟まれる領域を備える。これにより、着色膜ＣＦ１の厚さに基づく凹凸を平坦にすることができる。または、着色膜ＣＦ１等から液晶材料を含む層２７５３への不純物の拡散を、抑制することができる。
【０４１４】
例えば、屈折率１．５５近傍のアクリル樹脂を、絶縁膜２７７１に用いることができる。
【０４１５】
＜＜基板２５７０、基板２７７０＞＞
また、本実施の形態で説明する入出力パネルは、基板２５７０と、基板２７７０と、を有する。
【０４１６】
基板２７７０は、基板２５７０と重なる領域を備える。基板２７７０は、基板２５７０との間に機能層２５２０を挟む領域を備える。
【０４１７】
基板２７７０は、第１表示素子２７５０（ｉ，ｊ）と重なる領域を備える。例えば、複屈折が抑制された材料を当該領域に用いることができる。
【０４１８】
例えば、屈折率１．５近傍の樹脂材料を基板２７７０に用いることができる。
【０４１９】
＜＜接合層２５０５＞＞
また、本実施の形態で説明する入出力パネルは、接合層２５０５を有する。
【０４２０】
接合層２５０５は、機能層２５２０および基板２５７０の間に挟まれる領域を備え、機能層２５２０および基板２５７０を貼り合せる機能を備える。
【０４２１】
＜＜構造体ＫＢ１、構造体ＫＢ２＞＞
また、本実施の形態で説明する入出力パネルは、構造体ＫＢ１と、構造体ＫＢ２とを有する。
【０４２２】
構造体ＫＢ１は、機能層２５２０および基板２７７０の間に所定の間隙を設ける機能を備える。構造体ＫＢ１は領域２７５１Ｈと重なる領域を備え、構造体ＫＢ１は透光性を備える。これにより、第２表示素子２５５０（ｉ，ｊ）によって射出される光を一方の面に供給され、他方の面から射出することができる。
【０４２３】
また、構造体ＫＢ１は光学素子２５６０と重なる領域を備え、例えば、光学素子２５６０に用いる材料の屈折率との差が０．２以下になるように選択された材料を構造体ＫＢ１に用いる。これにより、第２表示素子２５５０（ｉ，ｊ）が射出する光を効率よく利用することができる。または、第２表示素子２５５０（ｉ，ｊ）の面積を広くすることができる。または、有機ＥＬ素子に流す電流の密度を下げることができる。
【０４２４】
構造体ＫＢ２は、偏光層２７７０ＰＢの厚さを所定の厚さに制御する機能を備える。構造体ＫＢ２は第２表示素子２５５０（ｉ，ｊ）と重なる領域を備え、構造体ＫＢ２は透光性を備える。
【０４２５】
または、所定の色の光を透過する材料を構造体ＫＢ１または構造体ＫＢ２に用いることができる。これにより、構造体ＫＢ１または構造体ＫＢ２を例えばカラーフィルターに用いることができる。例えば、青色、緑色または赤色の光を透過する材料を構造体ＫＢ１または構造体ＫＢ２に用いることができる。また、黄色の光または白色の光等を透過する材料を構造体ＫＢ１または構造体ＫＢ２に用いることができる。
【０４２６】
具体的には、ポリエステル、ポリオレフィン、ポリアミド、ポリイミド、ポリカーボネート、ポリシロキサン若しくはアクリル樹脂等またはこれらから選択された複数の樹脂の複合材料などを構造体ＫＢ１または構造体ＫＢ２に用いることができる。また、感光性を有する材料を用いて形成してもよい。
【０４２７】
例えば、屈折率１．５近傍のアクリル樹脂を構造体ＫＢ１に用いることができる。また、屈折率１．５５近傍のアクリル樹脂を構造体ＫＢ２に用いることができる。
【０４２８】
＜＜入力ユニット２０３０＞＞
入力ユニット２０３０は検知素子を備える。検知素子は、画素２７０２（ｉ，ｊ）と重なる領域に近接するものを検知する機能を備える。これにより、表示部に近接させる指などをポインタに用いて、位置情報を入力することができる。
【０４２９】
例えば、静電容量型の近接センサ、電磁誘導型の近接センサ、光学方式の近接センサ、抵抗膜方式の近接センサまたは表面弾性波方式の近接センサなどを、入力ユニット２０３０に用いることができる。具体的には、表面型静電容量方式、投影型静電容量方式または赤外線検知型の近接センサを用いることができる。
【０４３０】
例えば、静電容量方式の近接センサを備える屈折率１．６近傍のタッチセンサを入力ユニット２０３０に用いることができる。
【０４３１】
＜＜機能膜２７７０Ｄ、機能膜２７７０Ｐ等＞＞
また、本実施の形態で説明する入出力パネル２７００ＴＰ３は、機能膜２７７０Ｄと、機能膜２７７０Ｐと、を有する。
【０４３２】
機能膜２７７０Ｄは第１表示素子２７５０（ｉ，ｊ）と重なる領域を備える。機能膜２７７０Ｄは機能層２５２０との間に第１表示素子２７５０（ｉ，ｊ）を挟む領域を備える。
【０４３３】
例えば、光拡散フィルムを機能膜２７７０Ｄに用いることができる。具体的には、基板の表面と交差する方向に沿った軸を備える柱状構造を有する材料を、機能膜２７７０Ｄに用いることができる。これにより、光を軸に沿った方向に透過し易く、他の方向に散乱し易くすることができる。または、例えば、第１表示素子２７５０（ｉ，ｊ）が反射する光を拡散することができる。
【０４３４】
機能膜２７７０Ｐは、偏光層２７７０ＰＢ、位相差フィルム２７７０ＰＡ及びまたは構造体ＫＢ２を備える。偏光層２７７０ＰＢは開口部を備え、位相差フィルム２７７０ＰＡは偏光層２７７０ＰＢと重なる領域を備える。なお、構造体ＫＢ２は開口部に設けられる。
【０４３５】
例えば、二色性色素、液晶材料および樹脂を偏光層２７７０ＰＢに用いることができる。偏光層２７７０ＰＢは、偏光性を備える。これにより、機能膜２７７０Ｐを偏光板に用いることができる。
【０４３６】
偏光層２７７０ＰＢは第１表示素子２７５０（ｉ，ｊ）と重なる領域を備え、構造体ＫＢ２は第２表示素子２５５０（ｉ，ｊ）と重なる領域を備える。これにより、液晶素子を第１表示素子に用いることができる。例えば、反射型の液晶素子を第１表示素子に用いることができる。または、第２表示素子が射出する光を効率よく取り出すことができる。または、有機ＥＬ素子に流す電流の密度を下げることができる。または、有機ＥＬ素子の信頼性を高めることができる。
【０４３７】
例えば、反射防止フィルム、偏光フィルムまたは位相差フィルムを機能膜２７７０Ｐに用いることができる。具体的には、２色性色素を含む膜および位相差フィルムを機能膜２７７０Ｐに用いることができる。
【０４３８】
また、ゴミの付着を抑制する帯電防止膜、汚れを付着しにくくする撥水性の膜、使用に伴う傷の発生を抑制するハードコート膜などを、機能膜２７７０Ｐに用いることができる。
【０４３９】
例えば、屈折率１．６近傍の材料を拡散フィルムに用いることができる。また、屈折率１．６近傍の材料を位相差フィルム２７７０ＰＡに用いることができる。
【０４４０】
なお、本実施の形態は、本明細書で示す他の実施の形態と適宜組み合わせることができる。
【０４４１】
（実施の形態５）
本実施の形態では、本明細書などで扱うトランジスタについて、図３１乃至図３６を用いて説明を行う。
【０４４２】
なお、本発明の一態様に係るトランジスタは、実施の形態６で説明するＣＡＣ−ＯＳを有することが好ましい。
【０４４３】
＜トランジスタ構造１＞
以下では、本発明の一態様に係るトランジスタの一例について説明する。図３１（Ａ）はトランジスタ１２００Ａの上面を示す。なお、図の明瞭化のため、図３１（Ａ）において一部の膜は省略されている。また、図３１（Ｂ）は、図３１（Ａ）に示す一点鎖線Ｘ１−Ｘ２に対応する断面図であり、図３１（Ｃ）はＹ１−Ｙ２に対応する断面図である。なお、一点鎖線Ｘ１−Ｘ２をチャネル長方向、一点鎖線Ｙ１−Ｙ２をチャネル幅方向という場合がある。
【０４４４】
トランジスタ１２００Ａは、バックゲート電極として機能する導電体１２０５（導電体１２０５ａ、及び導電体１２０５ｂ）、ゲート電極として機能する導電体１２６０と、ゲート絶縁層として機能する絶縁体１２２０、絶縁体１２２２、絶縁体１２２４、及び絶縁体１２５０と、チャネルが形成される領域を有する酸化物１２３０（酸化物１２３０ａ、酸化物１２３０ｂ、及び酸化物１２３０ｃ）と、ソース又はドレインの一方として機能する導電体１２４０ａと、ソース又はドレインの他方として機能する導電体１２４０ｂと、過剰酸素を有する絶縁体１２８０と、酸素や水素に対してバリア性を有する絶縁体１２１４、絶縁体１２１６、絶縁体１２８２と、を有する。
【０４４５】
また、酸化物１２３０は、酸化物１２３０ａと、酸化物１２３０ａ上の酸化物１２３０ｂと、酸化物１２３０ｂ上の酸化物１２３０ｃと、導電体１２４０ａ上、導電体１２４０ｂ上、酸化物１２３０ａ上、酸化物１２３０ｂ上、及び絶縁体１２２４上の酸化物１２３０ｄを有する。なお、トランジスタ１２００Ａをオンさせると、主として酸化物１２３０ｂに電流が流れる（チャネルが形成される）。一方、酸化物１２３０ａ及び酸化物１２３０ｃは、酸化物１２３０ｂとの界面近傍（混合領域となっている場合もある）は電流が流れる場合があるものの、そのほかの領域は絶縁体として機能する場合がある。
【０４４６】
また、導電体１２４０ａ、導電体１２４０ｂ、及び酸化物１２３０ｃは、酸化物１２３０ｄを介して、過剰酸素領域を有する絶縁体１２８０と接する。そのため、絶縁体１２８０と、チャネルが形成される領域を有する酸化物１２３０ｂとの間に、酸化物１２３０ｄが介在することにより、絶縁体１２８０から、水素、水、及びハロゲン等の不純物が、酸化物１２３０ｂへ拡散することを抑制することができる。
【０４４７】
また、図３１に示すように、酸化物１２３０ｃは、酸化物１２３０ａ、及び酸化物１２３０ｂの側面を覆うように設けることが好ましい。絶縁体１２８０と、チャネルが形成される領域を有する酸化物１２３０ｂとの間に、酸化物１２３０ｃが介在することにより、絶縁体１２８０から、水素、水、及びハロゲン等の不純物が、酸化物１２３０ｂへ拡散することを抑制することができる。
【０４４８】
また、トランジスタ１２００Ａは、絶縁体１２８０に形成された開口部に、酸化物１２３０ｃ、絶縁体１２５０、導電体１２６０を形成されている。また、導電体１２４０ａ、及び導電体１２４０ｂの端部と、絶縁体１２８０に形成された開口部の端部が一致している。さらに、導電体１２４０ａ、及び導電体１２４０ｂの端部が、酸化物１２３０の端部の一部と一致している。従って、導電体１２４０ａ、及び導電体１２４０ｂは、酸化物１２３０又は絶縁体１２８０の開口部と、同時に整形することができる。そのため、マスク及び工程を削減することができる。また、歩留まりや生産性を向上させることができる。
【０４４９】
バックゲート電極として機能する導電体１２０５には、モリブデン、チタン、タンタル、タングステン、アルミニウム、銅、クロム、ネオジム、スカンジウムから選ばれた元素を含む金属膜、又は上述した元素を成分とする金属窒化物膜（窒化タンタル膜、窒化チタン膜、窒化モリブデン膜、窒化タングステン膜）等である。特に、窒化タンタルなどの金属窒化物膜は、水素又は酸素に対するバリア性があり、また、酸化しにくい（耐酸化性が高い）ため、好ましい。又は、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、酸化ケイ素を添加したインジウム錫酸化物などの導電性材料を適用することもできる。
【０４５０】
例えば、導電体１２０５ａとして、水素に対するバリア性を有する導電体として、窒化タンタル等を用い、導電体１２０５ｂとして、導電性が高いタングステンを積層するとよい。当該組み合わせを用いることで、配線としての導電性を保持したまま、酸化物１２３０への水素の拡散を抑制することができる。なお、図３１では、導電体１２０５ａ、及び導電体１２０５ｂの２層構造を示したが、当該構成に限定されず、単層でも３層以上の積層構造でもよい。例えば、バリア性を有する導電体と導電性が高い導電体との間に、バリア性を有する導電体、及び導電性が高い導電体に対して密着性が高い導電体を形成してもよい。
【０４５１】
絶縁体１２１４は、酸化アルミニウム、酸化ハフニウム、酸化タンタルなどの金属酸化物を用いることが好ましい。特に、酸化アルミニウムは、酸素、およびトランジスタの電気特性の変動要因となる水素、水分などの不純物、の両方に対して膜を透過させない遮断効果が高い。したがって、酸化アルミニウムは、トランジスタの作製工程中および作製後において、水素、水分などの不純物の酸化物１２３０への混入を防止することができる。また、トランジスタ１２００Ａを構成する酸化物１２３０からの酸素の放出を抑制することができる。そのため、酸化物１２３０に対する保護膜として用いることに適している。
【０４５２】
絶縁体１２１６、絶縁体１２２０、及び絶縁体１２２４は、酸化シリコン膜や酸化窒化シリコン膜などの、酸素を含む絶縁体であることが好ましい。特に、絶縁体１２２４として過剰酸素を含む（化学量論的組成よりも過剰に酸素を含む）絶縁体を用いることが好ましい。このような過剰酸素を含む絶縁体を、トランジスタ１２００Ａを構成する酸化物１２３０に接して設けることにより、酸化物１２３０中の酸素欠損を補償することができる。なお、絶縁体１２２２と絶縁体１２２４とは、必ずしも同じ材料を用いなくともよい。
【０４５３】
絶縁体１２２２は、例えば、酸化シリコン、酸化窒化シリコン、窒化酸化シリコン、酸化アルミニウム、酸化ハフニウム、酸化タンタル、酸化ジルコニウム、チタン酸ジルコン酸鉛（ＰＺＴ）、チタン酸ストロンチウム（ＳｒＴｉＯ３）又は（Ｂａ，Ｓｒ）ＴｉＯ３（ＢＳＴ）などの材料を含む絶縁体を単層又は積層で用いることが好ましい。特に、酸化アルミニウム、及び酸化ハフニウム、などの、酸素や水素に対してバリア性のある絶縁膜を用いることが好ましい。このような材料を用いて形成した場合、酸化物１２３０からの酸素の放出や、外部からの水素等の不純物の混入を防ぐ層として機能する。
【０４５４】
又は、これらの絶縁体に、例えば、酸化アルミニウム、酸化ビスマス、酸化ゲルマニウム、酸化ニオブ、酸化シリコン、酸化チタン、酸化タングステン、酸化イットリウム、酸化ジルコニウムを添加してもよい。又はこれらの絶縁体を窒化処理しても良い。上記の絶縁体に酸化シリコン、酸化窒化シリコン又は窒化シリコンを積層して用いてもよい。
【０４５５】
なお、絶縁体１２２０、絶縁体１２２２、及び絶縁体１２２４が、２層以上の積層構造を有していてもよい。その場合、同じ材料からなる積層構造に限定されず、異なる材料からなる積層構造でもよい。
【０４５６】
絶縁体１２２０及び絶縁体１２２４の間に、ｈｉｇｈ−ｋ材料を含む絶縁体１２２２を有することで、特定の条件で絶縁体１２２２が電子を捕獲し、しきい値電圧を増大させることができる。つまり、絶縁体１２２２が負に帯電する場合がある。
【０４５７】
例えば、絶縁体１２２０、及び絶縁体１２２４に、酸化シリコンを用い、絶縁体１２２２に、酸化ハフニウム、酸化アルミニウム、酸化タンタルのような電子捕獲準位の多い材料を用いた場合、半導体装置の使用温度、あるいは保管温度よりも高い温度（例えば、１２５℃以上４５０℃以下、代表的には１５０℃以上３００℃以下）の下で、導電体１２０５の電位をソース電極やドレイン電極の電位より高い状態を、１０ミリ秒以上、代表的には１分以上維持することで、トランジスタ１２００Ａを構成する酸化物１２３０から導電体１２０５に向かって、電子が移動する。この時、移動する電子の一部が、絶縁体１２２２の電子捕獲準位に捕獲される。
【０４５８】
絶縁体１２２２の電子捕獲準位に必要な量の電子を捕獲させたトランジスタは、しきい値電圧がプラス側にシフトする。なお、導電体１２０５の電圧の制御によって電子の捕獲する量を制御することができ、それに伴ってしきい値電圧を制御することができる。当該構成を有することで、トランジスタ１２００Ａは、ゲート電圧が０Ｖであっても非導通状態（オフ状態ともいう）であるノーマリーオフ型のトランジスタとなる。
【０４５９】
また、電子を捕獲する処理は、トランジスタの作製過程に行えばよい。例えば、トランジスタのソース導電体あるいはドレイン導電体に接続する導電体の形成後、あるいは、前工程（ウェハ処理）の終了後、あるいは、ウェハダイシング工程後、パッケージ後等、工場出荷前のいずれかの段階で行うとよい。
【０４６０】
また、絶縁体１２２０、絶縁体１２２２、及び絶縁体１２２４の膜厚を適宜調整することで、しきい値電圧を制御することができる。例えば、絶縁体１２２０、絶縁体１２２２、及び絶縁体１２２４の合計膜厚が薄くすることで導電体１２０５からの電圧が効率的にかかる為、消費電力が低いトランジスタを提供することができる。絶縁体１２２０、絶縁体１２２２、及び絶縁体１２２４の合計膜厚は、６５ｎｍ以下、好ましくは２０ｎｍ以下であることが好ましい。
【０４６１】
従って、非導通時のリーク電流の小さいトランジスタを提供することができる。また、安定した電気特性を有するトランジスタを提供することができる。又は、オン電流の大きいトランジスタを提供することができる。又は、サブスレッショルドスイング値の小さいトランジスタを提供することができる。又は、信頼性の高いトランジスタを提供することができる。
【０４６２】
酸化物１２３０ａ、酸化物１２３０ｂ、及び酸化物１２３０ｃは、Ｉｎ−Ｍ−Ｚｎ酸化物（ＭはＡｌ、Ｇａ、Ｙ、又はＳｎ）等の金属酸化物で形成される。また、酸化物１２３０として、Ｉｎ−Ｇａ酸化物、Ｉｎ−Ｚｎ酸化物を用いてもよい。
【０４６３】
以下に、本発明に係る酸化物１２３０について説明する。
【０４６４】
酸化物１２３０に用いる酸化物としては、少なくともインジウム又は亜鉛を含むことが好ましい。特にインジウム及び亜鉛を含むことが好ましい。また、それらに加えて、アルミニウム、ガリウム、イットリウム又はスズなどが含まれていることが好ましい。また、ホウ素、シリコン、チタン、鉄、ニッケル、ゲルマニウム、ジルコニウム、モリブデン、ランタン、セリウム、ネオジム、ハフニウム、タンタル、タングステン、又はマグネシウムなどから選ばれた一種、又は複数種が含まれていてもよい。
【０４６５】
ここで、酸化物が、インジウム、元素Ｍ及び亜鉛を有する場合を考える。なお、元素Ｍは、アルミニウム、ガリウム、イットリウム又はスズなどとする。そのほかの元素Ｍに適用可能な元素としては、ホウ素、シリコン、チタン、鉄、ニッケル、ゲルマニウム、ジルコニウム、モリブデン、ランタン、セリウム、ネオジム、ハフニウム、タンタル、タングステン、マグネシウムなどがある。ただし、元素Ｍとして、前述の元素を複数組み合わせても構わない場合がある。
【０４６６】
まず、図３４（Ａ）、図３４（Ｂ）、及び図３４（Ｃ）を用いて、本発明に係る酸化物が有するインジウム、元素Ｍ及び亜鉛の原子数比の好ましい範囲について説明する。なお、図３４には、酸素の原子数比については記載しない。また、酸化物が有するインジウム、元素Ｍ、及び亜鉛の原子数比のそれぞれの項を［Ｉｎ］、［Ｍ］、及び［Ｚｎ］とする。
【０４６７】
図３４（Ａ）、図３４（Ｂ）、及び図３４（Ｃ）において、破線は、［Ｉｎ］：［Ｍ］：［Ｚｎ］＝（１＋α）：（１−α）：１の原子数比（αは−１以上１以下の実数である。）となるライン、［Ｉｎ］：［Ｍ］：［Ｚｎ］＝（１＋α）：（１−α）：２の原子数比となるライン、［Ｉｎ］：［Ｍ］：［Ｚｎ］＝（１＋α）：（１−α）：３の原子数比となるライン、［Ｉｎ］：［Ｍ］：［Ｚｎ］＝（１＋α）：（１−α）：４の原子数比となるライン、及び［Ｉｎ］：［Ｍ］：［Ｚｎ］＝（１＋α）：（１−α）：５の原子数比となるラインを表す。
【０４６８】
また、一点鎖線は、［Ｉｎ］：［Ｍ］：［Ｚｎ］＝１：１：βの原子数比（βは０以上の実数である。）となるライン、［Ｉｎ］：［Ｍ］：［Ｚｎ］＝１：２：βの原子数比となるライン、［Ｉｎ］：［Ｍ］：［Ｚｎ］＝１：３：βの原子数比となるライン、［Ｉｎ］：［Ｍ］：［Ｚｎ］＝１：４：βの原子数比となるライン、［Ｉｎ］：［Ｍ］：［Ｚｎ］＝２：１：βの原子数比となるライン、及び［Ｉｎ］：［Ｍ］：［Ｚｎ］＝５：１：βの原子数比となるラインを表す。
【０４６９】
図３４に示す、［Ｉｎ］：［Ｍ］：［Ｚｎ］＝０：２：１の原子数比又はその近傍値の酸化物は、スピネル型の結晶構造をとりやすい。
【０４７０】
図３４（Ａ）及び図３４（Ｂ）では、本発明の一態様の酸化物が有する、インジウム、元素Ｍ、及び亜鉛の原子数比の好ましい範囲の一例について示している。
【０４７１】
一例として、図３５に、［Ｉｎ］：［Ｍ］：［Ｚｎ］＝１：１：１である、ＩｎＭＺｎＯ４の結晶構造を示す。また、図３５は、ｂ軸に平行な方向から観察した場合のＩｎＭＺｎＯ４の結晶構造である。なお、図３５に示すＭ、Ｚｎ、酸素を有する層（以下、（Ｍ，Ｚｎ）層）における金属元素は、元素Ｍ又は亜鉛を表している。この場合、元素Ｍと亜鉛の割合が等しいものとする。元素Ｍと亜鉛とは、置換が可能であり、配列は不規則である。
【０４７２】
ＩｎＭＺｎＯ４は、層状の結晶構造（層状構造ともいう）をとり、図３５に示すように、インジウム、及び酸素を有する層（以下、Ｉｎ層）が１に対し、元素Ｍ、亜鉛、及び酸素を有する（Ｍ，Ｚｎ）層が２となる。
【０４７３】
また、インジウムと元素Ｍは、互いに置換可能である。そのため、（Ｍ，Ｚｎ）層の元素Ｍがインジウムと置換し、（Ｉｎ，Ｍ，Ｚｎ）層と表すこともできる。その場合、Ｉｎ層が１に対し、（Ｉｎ，Ｍ，Ｚｎ）層が２である層状構造をとる。
【０４７４】
［Ｉｎ］：［Ｍ］：［Ｚｎ］＝１：１：２となる原子数比の酸化物は、Ｉｎ層が１に対し、（Ｍ，Ｚｎ）層が３である層状構造をとる。つまり、［Ｉｎ］及び［Ｍ］に対し［Ｚｎ］が大きくなると、酸化物が結晶化した場合、Ｉｎ層に対する（Ｍ，Ｚｎ）層の割合が増加する。
【０４７５】
ただし、酸化物中において、Ｉｎ層が１層に対し、（Ｍ，Ｚｎ）層の層数が非整数である場合、Ｉｎ層が１に対し、（Ｍ，Ｚｎ）層の層数が整数である層状構造を複数種有する場合がある。例えば、［Ｉｎ］：［Ｍ］：［Ｚｎ］＝１：１：１．５である場合、Ｉｎ層が１層に対し、（Ｍ，Ｚｎ）層が２層である層状構造と、（Ｍ，Ｚｎ）層が３層である層状構造とが混在する層状構造となる場合がある。
【０４７６】
例えば、酸化物をスパッタリング装置にて成膜する場合、ターゲットの原子数比からずれた原子数比の膜が形成される。特に、成膜時の基板温度によっては、ターゲットの［Ｚｎ］よりも、膜の［Ｚｎ］が小さくなる場合がある。
【０４７７】
また、酸化物中に複数の相が共存する場合がある（二相共存、三相共存など）。例えば、［Ｉｎ］：［Ｍ］：［Ｚｎ］＝０：２：１の原子数比の近傍値である原子数比では、スピネル型の結晶構造と層状の結晶構造との二相が共存しやすい。また、［Ｉｎ］：［Ｍ］：［Ｚｎ］＝１：０：０を示す原子数比の近傍値である原子数比では、ビックスバイト型の結晶構造と層状の結晶構造との二相が共存しやすい。酸化物中に複数の相が共存する場合、異なる結晶構造の間において、粒界が形成される場合がある。
【０４７８】
また、インジウムの含有率を高くすることで、酸化物のキャリア移動度（電子移動度）を高くすることができる。これは、インジウム、元素Ｍ及び亜鉛を有する酸化物では、主として重金属のｓ軌道がキャリア伝導に寄与しており、インジウムの含有率を高くすることにより、ｓ軌道が重なる領域がより大きくなるため、インジウムの含有率が高い酸化物はインジウムの含有率が低い酸化物と比較してキャリア移動度が高くなるためである。
【０４７９】
一方、酸化物中のインジウム及び亜鉛の含有率が低くなると、キャリア移動度が低くなる。従って、［Ｉｎ］：［Ｍ］：［Ｚｎ］＝０：１：０を示す原子数比、及びその近傍値である原子数比（例えば図３４（Ｃ）に示す領域Ｃ）では、絶縁性が高くなる。
【０４８０】
従って、本発明の一態様の酸化物は、キャリア移動度が高く、かつ、粒界が少ない層状構造となりやすい、図３４（Ａ）の領域Ａで示される原子数比を有することが好ましい。
【０４８１】
また、図３４（Ｂ）に示す領域Ｂは、［Ｉｎ］：［Ｍ］：［Ｚｎ］＝４：２：３から４．１、及びその近傍値を示している。近傍値には、例えば、原子数比が［Ｉｎ］：［Ｍ］：［Ｚｎ］＝５：３：４が含まれる。領域Ｂで示される原子数比を有する酸化物は、特に、結晶性が高く、キャリア移動度も高い優れた酸化物である。
【０４８２】
なお、酸化物が、層状構造を形成する条件は、原子数比によって一義的に定まらない。原子数比により、層状構造を形成するための難易の差はある。一方、同じ原子数比であっても、形成条件により、層状構造になる場合も層状構造にならない場合もある。従って、図示する領域は、酸化物が層状構造を有する原子数比を示す領域であり、領域Ａ乃至領域Ｃの境界は厳密ではない。
【０４８３】
続いて、上記酸化物をトランジスタに用いる場合について説明する。
【０４８４】
なお、上記酸化物をトランジスタに用いることで、粒界におけるキャリア散乱等を減少させることができるため、高い電界効果移動度のトランジスタを実現することができる。また、信頼性の高いトランジスタを実現することができる。
【０４８５】
また、トランジスタには、キャリア密度の低い酸化物を用いることが好ましい。例えば、酸化物は、キャリア密度が８×１０１１ｃｍ−３未満、好ましくは１×１０１１ｃｍ−３未満、さらに好ましくは１×１０１０ｃｍ−３未満であり、１×１０−９ｃｍ−３以上とすればよい。
【０４８６】
なお、高純度真性又は実質的に高純度真性である酸化物は、キャリア発生源が少ないため、キャリア密度を低くすることができる。また、高純度真性又は実質的に高純度真性である酸化物は、欠陥準位密度が低いため、トラップ準位密度も低くなる場合がある。
【０４８７】
また、酸化物のトラップ準位に捕獲された電荷は、消失するまでに要する時間が長く、あたかも固定電荷のように振る舞うことがある。そのため、トラップ準位密度の高い酸化物にチャネル領域が形成されるトランジスタは、電気特性が不安定となる場合がある。
【０４８８】
従って、トランジスタの電気特性を安定にするためには、酸化物中の不純物濃度を低減することが有効である。また、酸化物中の不純物濃度を低減するためには、近接する膜中の不純物濃度も低減することが好ましい。不純物としては、水素、窒素、アルカリ金属、アルカリ土類金属、鉄、ニッケル、シリコン等がある。
【０４８９】
ここで、酸化物中における各不純物の影響について説明する。
【０４９０】
酸化物において、第１４族元素の一つであるシリコンや炭素が含まれると、酸化物において欠陥準位が形成される。このため、酸化物におけるシリコンや炭素の濃度と、酸化物との界面近傍のシリコンや炭素の濃度（二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる濃度）を、２×１０１８ａｔｏｍｓ／ｃｍ３以下、好ましくは２×１０１７ａｔｏｍｓ／ｃｍ３以下とする。
【０４９１】
また、酸化物にアルカリ金属又はアルカリ土類金属が含まれると、欠陥準位を形成し、キャリアを生成する場合がある。従って、アルカリ金属又はアルカリ土類金属が含まれている酸化物を用いたトランジスタはノーマリーオン特性となりやすい。このため、酸化物中のアルカリ金属又はアルカリ土類金属の濃度を低減することが好ましい。具体的には、ＳＩＭＳにより得られる酸化物中のアルカリ金属又はアルカリ土類金属の濃度を、１×１０１８ａｔｏｍｓ／ｃｍ３以下、好ましくは２×１０１６ａｔｏｍｓ／ｃｍ３以下にする。
【０４９２】
また、酸化物において、窒素が含まれると、キャリアである電子が生じ、キャリア密度が増加し、ｎ型化しやすい。この結果、窒素が含まれている酸化物を半導体に用いたトランジスタはノーマリーオン特性となりやすい。従って、該酸化物において、窒素はできる限り低減されていることが好ましい、例えば、酸化物中の窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０４９３】
また、酸化物に含まれる水素は、金属原子と結合する酸素と反応して水になるため、酸素欠損を形成する場合がある。該酸素欠損に水素が入ることで、キャリアである電子が生成される場合がある。また、水素の一部が金属原子と結合する酸素と結合して、キャリアである電子を生成することがある。従って、水素が含まれている酸化物を用いたトランジスタはノーマリーオン特性となりやすい。このため、酸化物中の水素はできる限り低減されていることが好ましい。具体的には、酸化物において、ＳＩＭＳにより得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とする。
【０４９４】
不純物が十分に低減された酸化物をトランジスタのチャネル領域に用いることで、安定した電気特性を付与することができる。
【０４９５】
続いて、該酸化物を２層構造、又は３層構造とした場合について述べる。酸化物Ｓ１、酸化物Ｓ２、及び酸化物Ｓ３の積層構造、及び積層構造に接する絶縁体のバンド図と、酸化物Ｓ２及び酸化物Ｓ３の積層構造、及び積層構造に接する絶縁体のバンド図と、酸化物Ｓ１及び酸化物Ｓ２の積層構造、及び積層構造に接する絶縁体のバンド図と、について、図３６を用いて説明する。
【０４９６】
図３６（Ａ）は、絶縁体Ｉ１、酸化物Ｓ１、酸化物Ｓ２、酸化物Ｓ３、及び絶縁体Ｉ２を有する積層構造の膜厚方向のバンド図の一例である。また、図３６（Ｂ）は、絶縁体Ｉ１、酸化物Ｓ２、酸化物Ｓ３、及び絶縁体Ｉ２を有する積層構造の膜厚方向のバンド図の一例である。また、図３６（Ｃ）は、絶縁体Ｉ１、酸化物Ｓ１、酸化物Ｓ２、及び絶縁体Ｉ２を有する積層構造の膜厚方向のバンド図の一例である。なお、バンド図は、理解を容易にするため絶縁体Ｉ１、酸化物Ｓ１、酸化物Ｓ２、酸化物Ｓ３、及び絶縁体Ｉ２の伝導帯下端のエネルギー準位（Ｅｃ）を示す。
【０４９７】
酸化物Ｓ１、酸化物Ｓ３は、酸化物Ｓ２よりも伝導帯下端のエネルギー準位が真空準位に近い。代表的には、酸化物Ｓ２の伝導帯下端のエネルギー準位は、酸化物Ｓ１及び酸化物Ｓ３のそれぞれの伝導帯下端のエネルギー準位よりも低くなればよい。具体的には、酸化物Ｓ２と酸化物Ｓ１とのそれぞれの伝導帯下端のエネルギー準位の差が０．１５ｅＶ以上２ｅＶ以下であれば好ましく、更に、０．５ｅＶ以上１ｅＶ以下であればより好ましい。加えて、酸化物Ｓ２と酸化物Ｓ３のそれぞれの伝導帯下端のエネルギー準位の差が、０．１５ｅＶ以上２ｅＶ以下であれば好ましく、更に、０．５ｅＶ以上１ｅＶ以下であればより好ましい。すなわち、酸化物Ｓ２の電子親和力は、酸化物Ｓ１及び酸化物Ｓ３のそれぞれの電子親和力よりも高ければよく、具体的には、酸化物Ｓ１と酸化物Ｓ２のそれぞれの電子親和力との差が０．１５ｅＶ以上２ｅＶ以下、好ましくは０．５ｅＶ以上１ｅＶ以下であり、かつ酸化物Ｓ３と酸化物Ｓ２のそれぞれの電子親和力との差が０．１５ｅＶ以上２ｅＶ以下、好ましくは０．５ｅＶ以上１ｅＶ以下であることが好ましい。
【０４９８】
図３６（Ａ）、図３６（Ｂ）、及び図３６（Ｃ）に示すように、酸化物Ｓ１、酸化物Ｓ２、酸化物Ｓ３において、伝導帯下端のエネルギー準位はなだらかに変化する。換言すると、連続的に変化又は連続接合するともいうことができる。このようなバンド図を有するためには、酸化物Ｓ１と酸化物Ｓ２との界面、又は酸化物Ｓ２と酸化物Ｓ３との界面において形成される混合層の欠陥準位密度を低くするとよい。
【０４９９】
具体的には、酸化物Ｓ１と酸化物Ｓ２、酸化物Ｓ２と酸化物Ｓ３が、酸素以外に共通の元素を有する（主成分とする）ことで、欠陥準位密度が低い混合層を形成することができる。例えば、酸化物Ｓ２がＩｎ−Ｇａ−Ｚｎ酸化物の場合、酸化物Ｓ１、酸化物Ｓ３として、Ｉｎ−Ｇａ−Ｚｎ酸化物、Ｇａ−Ｚｎ酸化物、酸化ガリウムなどを用いるとよい。
【０５００】
このとき、キャリアの主たる経路は酸化物Ｓ２となる。酸化物Ｓ１と酸化物Ｓ２との界面、及び酸化物Ｓ２と酸化物Ｓ３との界面における欠陥準位密度を低くすることができるため、界面散乱によるキャリア伝導への影響が小さく、高いオン電流が得られる。
【０５０１】
トラップ準位に電子が捕獲されることで、捕獲された電子は固定電荷のように振る舞うため、トランジスタのしきい値電圧はプラス方向にシフトしてしまう。酸化物Ｓ１、酸化物Ｓ３を設けることにより、トラップ準位を酸化物Ｓ２より遠ざけることができる。当該構成とすることで、トランジスタのしきい値電圧がプラス方向にシフトすることを防止することができる。
【０５０２】
酸化物Ｓ１、酸化物Ｓ３は、酸化物Ｓ２と比較して、導電率が十分に低い材料を用いる。このとき、酸化物Ｓ２、酸化物Ｓ２と酸化物Ｓ１との界面、及び酸化物Ｓ２と酸化物Ｓ３との界面が、主にチャネル領域として機能する。例えば、酸化物Ｓ１、酸化物Ｓ３には、図３４（Ｃ）において、絶縁性が高くなる領域Ｃで示す原子数比の酸化物を用いればよい。なお、図３４（Ｃ）に示す領域Ｃは、［Ｉｎ］：［Ｍ］：［Ｚｎ］＝０：１：０、又はその近傍値である原子数比を示している。
【０５０３】
特に、酸化物Ｓ２に領域Ａで示される原子数比の酸化物を用いる場合、酸化物Ｓ１及び酸化物Ｓ３には、［Ｍ］／［Ｉｎ］が１以上、好ましくは２以上である酸化物を用いることが好ましい。また、酸化物Ｓ３として、十分に高い絶縁性を得ることができる［Ｍ］／（［Ｚｎ］＋［Ｉｎ］）が１以上である酸化物を用いることが好適である。
【０５０４】
絶縁体１２５０は、例えば、酸化シリコン、酸化窒化シリコン、窒化酸化シリコン、酸化アルミニウム、酸化ハフニウム、酸化タンタル、酸化ジルコニウム、チタン酸ジルコン酸鉛（ＰＺＴ）、チタン酸ストロンチウム（ＳｒＴｉＯ３）又は（Ｂａ，Ｓｒ）ＴｉＯ３（ＢＳＴ）などの材料を含む絶縁体を単層又は積層で用いることができる。又はこれらの絶縁体に例えば酸化アルミニウム、酸化ビスマス、酸化ゲルマニウム、酸化ニオブ、酸化シリコン、酸化チタン、酸化タングステン、酸化イットリウム、酸化ジルコニウムを添加してもよい。又はこれらの絶縁体を窒化処理しても良い。上記の絶縁体に酸化シリコン、酸化窒化シリコン又は窒化シリコンを積層して用いてもよい。
【０５０５】
また、絶縁体１２５０は、絶縁体１２２４と同様に、化学量論的組成を満たす酸素よりも多くの酸素を含む酸化物絶縁体を用いることが好ましい。このような過剰酸素を含む絶縁体を酸化物１２３０に接して設けることにより、酸化物１２３０中の酸素欠損を低減することができる。
【０５０６】
また、絶縁体１２５０は、酸化アルミニウム、酸化窒化アルミニウム、酸化ガリウム、酸化窒化ガリウム、酸化イットリウム、酸化窒化イットリウム、酸化ハフニウム、酸化窒化ハフニウム、窒化シリコンなどの、酸素や水素に対してバリア性のある絶縁膜を用いることができる。このような材料を用いて形成した場合、酸化物１２３０からの酸素の放出や、外部からの水素等の不純物の混入を防ぐ層として機能する。
【０５０７】
なお、絶縁体１２５０は、絶縁体１２２０、絶縁体１２２２、及び絶縁体１２２４と同様の積層構造を有していてもよい。絶縁体１２５０が、電子捕獲準位に必要な量の電子を捕獲させた絶縁体を有することで、トランジスタ１２００Ａは、しきい値電圧をプラス側にシフトすることができる。当該構成を有することで、トランジスタ１２００Ａは、ゲート電圧が０Ｖであっても非導通状態（オフ状態ともいう）であるノーマリーオフ型のトランジスタとなる。
【０５０８】
また、図３１に示す半導体装置において、酸化物１２３０と導電体１２６０の間に、絶縁体１２５０の他にバリア膜を設けてもよい。もしくは、酸化物１２３０ｃにバリア性があるものを用いてもよい。
【０５０９】
例えば、過剰酸素を含む絶縁膜を酸化物１２３０に接して設け、さらにバリア膜で包み込むことで、酸化物を化学量論比組成とほぼ一致するような状態、又は化学量論的組成より酸素が多い過飽和の状態とすることができる。また、酸化物１２３０への水素等の不純物の侵入を防ぐことができる。
【０５１０】
導電体１２４０ａと、及び導電体１２４０ｂは、一方がソース電極として機能し、他方がドレイン電極として機能する。
【０５１１】
導電体１２４０ａと、導電体１２４０ｂとは、アルミニウム、チタン、クロム、ニッケル、銅、イットリウム、ジルコニウム、モリブデン、銀、タンタル、又はタングステンなどの金属、又はこれを主成分とする合金を用いることができる。特に、窒化タンタルなどの金属窒化物膜は、水素又は酸素に対するバリア性があり、また、耐酸化性が高いため、好ましい。
【０５１２】
また、図では単層構造を示したが、２層以上の積層構造としてもよい。例えば、窒化タンタルとタングステン膜を積層するとよい。また、チタン膜とアルミニウム膜を積層するとよい。また、タングステン膜上にアルミニウム膜を積層する二層構造、銅−マグネシウム−アルミニウム合金膜上に銅膜を積層する二層構造、チタン膜上に銅膜を積層する二層構造、タングステン膜上に銅膜を積層する二層構造としてもよい。
【０５１３】
また、チタン膜又は窒化チタン膜と、そのチタン膜又は窒化チタン膜上に重ねてアルミニウム膜又は銅膜を積層し、さらにその上にチタン膜又は窒化チタン膜を形成する三層構造、モリブデン膜又は窒化モリブデン膜と、そのモリブデン膜又は窒化モリブデン膜上に重ねてアルミニウム膜又は銅膜を積層し、さらにその上にモリブデン膜又は窒化モリブデン膜を形成する三層構造等がある。なお、酸化インジウム、酸化錫又は酸化亜鉛を含む透明導電材料を用いてもよい。
【０５１４】
また、ゲート電極として機能を有する導電体１２６０は、例えばアルミニウム、クロム、銅、タンタル、チタン、モリブデン、タングステンから選ばれた金属、又は上述した金属を成分とする合金か、上述した金属を組み合わせた合金等を用いて形成することができる。特に、窒化タンタルなどの金属窒化物膜は、水素又は酸素に対するバリア性があり、また、耐酸化性が高いため、好ましい。また、マンガン、ジルコニウムのいずれか一又は複数から選択された金属を用いてもよい。また、リン等の不純物元素をドーピングした多結晶シリコンに代表される半導体、ニッケルシリサイド等のシリサイドを用いてもよい。また、図では単層構造を示したが、２層以上の積層構造としてもよい。
【０５１５】
例えば、アルミニウム上にチタン膜を積層する二層構造とするとよい。また、窒化チタン膜上にチタン膜を積層する二層構造、窒化チタン膜上にタングステン膜を積層する二層構造、窒化タンタル膜又は窒化タングステン膜上にタングステン膜を積層する二層構造としてもよい。
【０５１６】
また、チタン膜と、そのチタン膜上にアルミニウム膜を積層し、さらにその上にチタン膜を形成する三層構造等がある。また、アルミニウムに、チタン、タンタル、タングステン、モリブデン、クロム、ネオジム、スカンジウムから選ばれた一又は複数の金属を組み合わせた合金膜、もしくは窒化膜を用いてもよい。
【０５１７】
また、導電体１２６０は、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、酸化シリコンを添加したインジウム錫酸化物等の透光性を有する導電性材料を適用することもできる。また、上記透光性を有する導電性材料と、上記金属の積層構造とすることもできる。
【０５１８】
続いて、トランジスタ１２００Ａの上方には、絶縁体１２８０、及び絶縁体１２８２を設ける。
【０５１９】
絶縁体１２８０には、化学量論的組成を満たす酸素よりも多くの酸素を含む酸化物を用いることが好ましい。つまり、絶縁体１２８０には、化学量論的組成よりも酸素が過剰に存在する領域（以下、過剰酸素領域ともいう）が形成されていることが好ましい。特に、トランジスタ１２００Ａに酸化物半導体を用いる場合、トランジスタ１２００Ａの近傍の層間膜などに、過剰酸素領域を有する絶縁体を設けることで、トランジスタ１２００Ａの有する酸化物１２３０の酸素欠損を低減することができ、信頼性を向上させることができる。
【０５２０】
過剰酸素領域を有する絶縁体として、具体的には、加熱により一部の酸素が脱離する酸化物材料を用いることが好ましい。加熱により酸素を脱離する酸化物とは、ＴＤＳ分析にて、酸素原子に換算しての酸素の脱離量が１．０×１０１８ａｔｏｍｓ／ｃｍ３以上、好ましくは３．０×１０２０ａｔｏｍｓ／ｃｍ３以上である酸化物膜である。なお、上記ＴＤＳ分析時における膜の表面温度としては１００℃以上７００℃以下、又は１００℃以上５００℃以下の範囲が好ましい。
【０５２１】
例えばこのような材料として、酸化シリコン又は酸化窒化シリコンを含む材料を用いることが好ましい。又は、金属酸化物を用いることもできる。なお、本明細書中において、酸化窒化シリコンとは、その組成として窒素よりも酸素の含有量が多い材料を指し、窒化酸化シリコンとは、その組成として、酸素よりも窒素の含有量が多い材料を示す。
【０５２２】
また、トランジスタ１２００Ａを覆う絶縁体１２８０は、その下方の凹凸形状を被覆する平坦化膜として機能してもよい。
【０５２３】
絶縁体１２８２は、例えば、酸化アルミニウム、及び酸化ハフニウム、などの、酸素や水素に対してバリア性のある絶縁膜を用いることが好ましい。このような材料を用いて形成した場合、酸化物１２３０からの酸素の放出や、外部からの水素等の不純物の混入を防ぐ層として機能する。
【０５２４】
上記構成を有することで、オン電流が大きい酸化物半導体を有するトランジスタを提供することができる。又は、オフ電流が小さい酸化物半導体を有するトランジスタを提供することができる。又は、上記構成を有するトランジスタを半導体装置に用いることで、半導体装置の電気特性の変動を抑制すると共に、信頼性を向上させることができる。又は、消費電力が低減された半導体装置を提供することができる。
【０５２５】
さらに、トランジスタ１２００Ａは、導電体１２４０ａ、及び導電体１２４０ｂと、導電体１２６０と、がほとんど重ならない構造を有するため、導電体１２６０にかかる寄生容量を小さくすることができる。即ち、動作周波数が高いトランジスタを提供することができる。
【０５２６】
＜トランジスタ構造２＞
図３２には、図３１のトランジスタとは別の構造の一例を示す。図３２（Ａ）はトランジスタ１２００Ｂの上面を示す。なお、図の明瞭化のため、図３２（Ａ）において一部の膜は省略されている。また、図３２（Ｂ）は、図３２（Ａ）に示す一点鎖線Ｘ１−Ｘ２に対応する断面図であり、図３２（Ｃ）はＹ１−Ｙ２に対応する断面図である。なお、一点鎖線Ｘ１−Ｘ２をチャネル長方向、一点鎖線Ｙ１−Ｙ２をチャネル幅方向という場合がある。
【０５２７】
なお、図３２に示すトランジスタ１２００Ｂにおいて、図３１に示したトランジスタ１２００Ａを構成する構造と同機能を有する構造には、同符号を付記する。
【０５２８】
絶縁体１２８２上に、絶縁体１２８５、及び絶縁体１２８６が形成される。
【０５２９】
絶縁体１２８０、絶縁体１２８２、及び絶縁体１２８５に形成された開口部に、酸化物１２３０ｃ、絶縁体１２５０、導電体１２６０を形成されている。また、導電体１２４０ａ、及び導電体１２４０ｂの端部と、絶縁体１２８０に形成された開口部の端部が一致している。さらに、導電体１２４０ａ、及び導電体１２４０ｂの端部が、酸化物１２３０の端部の一部と一致している。従って、導電体１２４０ａ、及び導電体１２４０ｂは、酸化物１２３０、又は絶縁体１２８０の開口部と、同時に整形することができる。そのため、マスク及び工程を削減することができる。また、歩留まりや生産性を向上させることができる。
【０５３０】
また、導電体１２４０ａ、導電体１２４０ｂ、酸化物１２３０ｃ、及び酸化物１２３０ｂは、過剰酸素領域を有する絶縁体１２８０と、酸化物１２３０ｄを介して接する。そのため、絶縁体１２８０と、チャネルが形成される領域を有する酸化物１２３０ｂとの間に、酸化物１２３０ｄが介在することにより、絶縁体１２８０から、水素、水、及びハロゲン等の不純物が、酸化物１２３０ｂへ拡散することを抑制することができる。
【０５３１】
また、図３２に示すトランジスタ１２００Ｂは、高抵抗のオフセット領域が形成されないため、これによってトランジスタのオン電流を増大することができる。
【０５３２】
＜トランジスタ構造３＞
図３３には、図３１及び図３２のトランジスタとは別の構造の一例を示す。図３３（Ａ）はトランジスタ１２００Ｃの上面を示す。なお、図の明瞭化のため、図３３（Ａ）において一部の膜は省略されている。また、図３３（Ｂ）は、図３３（Ａ）に示す一点鎖線Ｘ１−Ｘ２に対応する断面図であり、図３３（Ｃ）はＹ１−Ｙ２に対応する断面図である。なお、一点鎖線Ｘ１−Ｘ２をチャネル長方向、一点鎖線Ｙ１−Ｙ２をチャネル幅方向という場合がある。
【０５３３】
なお、図３３に示すトランジスタ１２００Ｃにおいて、図３１に示したトランジスタ１２００Ａを構成する構造と同機能を有する構造には、同符号を付記する。
【０５３４】
図３３に示すトランジスタ１２００Ｃは、酸化物１２３０ｄを有さない構造である。例えば、導電体１２４０ａ、及び導電体１２４０ｂに耐酸化性が高い導電体を用いる場合、酸化物１２３０ｄは、必ずしも設けなくてもよい。そのため、マスク及び工程を削減することができる。また、歩留まりや生産性を向上させることができる。
【０５３５】
また、絶縁体１２２４は、酸化物１２３０ａ、及び酸化物１２３０ｂと重畳する領域にのみ設けてもよい。この場合、絶縁体１２２２をエッチングストッパーとして、酸化物１２３０ａ、酸化物１２３０ｂ、及び絶縁体１２２４を加工することができる。従って、歩留まりや生産性を高めることができる。
【０５３６】
さらに、図３３に示すトランジスタ１２００Ｃは、導電体１２４０ａ、及び導電体１２４０ｂと、導電体１２６０と、がほとんど重ならない構造を有するため、導電体１２６０にかかる寄生容量を小さくすることができる。即ち、動作周波数が高いトランジスタを提供することができる。
【０５３７】
なお、本実施の形態は、本明細書で示す他の実施の形態と適宜組み合わせることができる。
【０５３８】
（実施の形態６）
本実施の形態では、本明細書で開示されるトランジスタに用いることができる金属酸化物について説明する。以下では特に、金属酸化物とＣＡＣ（ｃｌｏｕｄ−ａｌｉｇｎｅｄ  ｃｏｍｐｏｓｉｔｅ）の詳細について説明する。
【０５３９】
ＣＡＣ−ＯＳまたはＣＡＣ−ｍｅｔａｌ  ｏｘｉｄｅは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０５４０】
また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０５４１】
また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０５４２】
また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０５４３】
すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。したがって、ＣＡＣ−ＯＳを、ｃｌｏｕｄ−ａｌｉｇｎｅｄ  ｃｏｍｐｏｓｉｔｅ−ＯＳと呼称してもよい。
【０５４４】
ＣＡＣ−ＯＳは、例えば、金属酸化物を構成する元素が、０．５ｎｍ以上１０ｎｍ以下、好ましくは、１ｎｍ以上２ｎｍ以下、またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下、またはその近傍のサイズで混合した状態をモザイク状、またはパッチ状ともいう。
【０５４５】
なお、金属酸化物は、少なくともインジウムを含むことが好ましい。特にインジウム及び亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれていてもよい。
【０５４６】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、及びＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、及びＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０５４７】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０５４８】
なお、ＩＧＺＯは通称であり、Ｉｎ、Ｇａ、Ｚｎ、及びＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０５４９】
上記結晶性の化合物は、単結晶構造、多結晶構造、またはＣＡＡＣ（ｃ−ａｘｉｓ  ａｌｉｇｎｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０５５０】
一方、ＣＡＣ−ＯＳは、金属酸化物の材料構成に関する。ＣＡＣ−ＯＳとは、Ｉｎ、Ｇａ、Ｚｎ、及びＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０５５１】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０５５２】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０５５３】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０５５４】
ＣＡＣ−ＯＳは、例えば基板を加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０５５５】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、及びｃ軸方向の配向は見られないことが分かる。
【０５５６】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、及び断面方向において、配向性を有さないｎｃ（ｎａｎｏ−ｃｒｙｓｔａｌ）構造を有することがわかる。
【０５５７】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０５５８】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０５５９】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０５６０】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０５６１】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、及び高い電界効果移動度（μ）を実現することができる。
【０５６２】
また、ＣＡＣ−ＯＳを用いた半導体素子は、信頼性が高い。従って、ＣＡＣ−ＯＳは、ディスプレイをはじめとするさまざまな半導体装置に最適である。
【０５６３】
また、本実施の形態は、本明細書で示す他の実施の形態と適宜組み合わせることができる。
【０５６４】
（実施の形態７）
本実施の形態では、電子機器に備えることができるタッチセンサユニットの一例について、説明する。
【０５６５】
図３７（Ａ）は、別の実施の形態で説明した表示装置に備えることができるタッチセンサユニットの回路構成例を示す。タッチセンサユニット３００は、センサアレイ３０２、ＴＳ（タッチセンサ）ドライバＩＣ３１１、センス回路３１２を有する。また、図３７（Ａ）では、ＴＳドライバＩＣ３１１と、センス回路３１２と、をまとめて周辺回路３１５と図示している。
【０５６６】
ここでは、タッチセンサユニット３００が相互容量タッチセンサユニットである例を示す。センサアレイ３０２は、ｍ本（ここでのｍは１以上の整数）の配線ＤＲＬ、ｎ本（ここでのｎは１以上の整数）の配線ＳＮＬを有する。配線ＤＲＬはドライブ線であり、配線ＳＮＬはセンス線である。ここでは、第α番目の配線ＤＲＬを配線ＤＲＬ＜α＞と呼び、第β番目の配線ＳＮＬを配線ＳＮＬ＜β＞と呼ぶこととする。容量素子ＣＴαβは、配線ＤＲＬ＜α＞と配線ＳＮＬ＜β＞との間に形成される容量素子である。
【０５６７】
ｍ本の配線ＤＲＬはＴＳドライバＩＣ３１１に電気的に接続されている。ＴＳドライバＩＣ３１１は配線ＤＲＬを駆動する機能を有する。ｎ本の配線ＳＮＬはセンス回路３１２に電気的に接続されている。センス回路３１２は、配線ＳＮＬの信号を検出する機能を有する。ＴＳドライバＩＣ３１１によって配線ＤＲＬ＜α＞が駆動されているときの配線ＳＮＬ＜β＞の信号は、容量素子ＣＴαβの容量値の変化量の情報をもつ。ｎ本の配線ＳＮＬの信号を解析することで、タッチの有無、タッチ位置などの情報を得ることができる。
【０５６８】
図３７（Ｂ）は、上述したタッチセンサユニット３００の概観の一例を上面図として示している。図３７（Ｂ）において、タッチセンサユニット３００は、基材３０１上にセンサアレイ３０２と、ＴＳドライバＩＣ３１１と、センス回路３１２と、を有する。また、図３７（Ａ）と同様に、図３７（Ｂ）では、ＴＳドライバＩＣ３１１と、センス回路３１２と、をまとめて周辺回路３１５と図示している。
【０５６９】
センサアレイ３０２は、基材３０１上に形成され、ＴＳドライバＩＣ３１１と、センス回路３１２と、は、ＩＣチップなどの構成として、異方性導電接着剤、又は異方性導電フィルムなどを用いて、ＣＯＧ方式で、基材３０１上に実装されている。そして、タッチセンサユニット３００は、外部との信号の入出力手段として、ＦＰＣ３１３、ＦＰＣ３１４と電気的に接続されている。
【０５７０】
加えて、基材３０１上には、各回路を電気的に接続するための配線３３１乃至配線３３４が形成されている。タッチセンサユニット３００において、ＴＳドライバＩＣ３１１は、配線３３１を介して、センサアレイ３０２と電気的に接続され、更に、ＴＳドライバＩＣ３１１は、配線３３３を介して、ＦＰＣ３１３と電気的に接続されている。センス回路３１２は、配線３３２を介して、センサアレイ３０２と電気的に接続され、更に、ＴＳドライバＩＣ３１１は、配線３３４を介して、ＦＰＣ３１４と電気的に接続されている。
【０５７１】
配線３３３とＦＰＣ３１３と、の接続部３２０には、異方性を有する導電性の接着剤などを有している。これによって、ＦＰＣ３１３と配線３３３との間で電気的な導通を行うことができる。同様に、配線３３４とＦＰＣ３１４と、の接続部３２１にも、異方性を有する導電性の接着剤などを有しており、これによって、ＦＰＣ３１４と配線３３４との間で電気的な導通を行うことができる。
【０５７２】
また、本実施の形態は、本明細書で示す他の実施の形態と適宜組み合わせることができる。
【実施例１】
【０５７３】
本実施例では、上記の実施の形態で説明した電流源回路で生成される電流量について説明する。なお、当該説明では、計算ソフトによって計算した結果を用いている。
【０５７４】
本実施例で使用した計算ソフトは、ＳＩＬＶＡＣＯ社のＧａｔｅｗａｙ（ｖｅｒｓｉｏｎ  ３．４．１．Ｒ）という回路シミュレータである。このシミュレータを用いて、ソース−ドレイン電圧Ｖｄｓに対するソース−ドレイン電流Ｉｄｓの特性を計算した。
【０５７５】
該計算を行ったときの回路構成について説明する。図３８（Ａ）（Ｂ）は、それぞれ該計算に用いた電流源回路の構成を示している。図３８（Ａ）に示す電流源回路ＣＩ１は、トランジスタＴｒｓｉｍ１と、トランジスタＴｒｓｉｍ２と、容量素子Ｃｓｉｍ１と、を有する。図３８（Ｂ）に示す電流源回路ＣＩ２は、電流源回路ＣＩ１に容量素子Ｃｓｉｍ２を加えた構成となっている。
【０５７６】
トランジスタＴｒｓｉｍ１のサイズは、チャネル長を１０μｍ、チャネル幅を１０μｍとし、トランジスタＴｒｓｉｍ２のサイズは、チャネル長を１０μｍ、チャネル幅を１０μｍとしている。加えて、容量素子Ｃｓｉｍ１の容量の値は１１８ｆＦとし、容量素子Ｃｓｉｍ２の容量の値は１７７ｐＦとしている。
【０５７７】
電流源回路ＣＩ１において、トランジスタＴｒｓｉｍ１の第１端子は、容量素子Ｃｓｉｍ１の第１端子と電気的に接続され、トランジスタＴｒｓｉｍ１のゲートは、トランジスタＴｒｓｉｍ２の第１端子と電気的に接続されている。なお、トランジスタＴｒｓｉｍ１のゲートと、トランジスタＴｒｓｉｍ２の第１端子と、の接続部をノードＮＦＧとする。
【０５７８】
トランジスタＴｒｓｉｍ１の第２端子は、配線ＶＤＤＬと電気的に接続されている。配線ＶＤＤＬは、電源電位である電位ＶＤＤを与える配線である。容量素子Ｃｓｉｍ１の第２端子は、配線ＧＮＤＬと電気的に接続されている。容量素子Ｃｓｉｍ１は、トランジスタＴｒｓｉｍ１のバックゲートの影響を考慮した寄生容量であり、配線ＧＮＤＬは、接地電位ＧＮＤを与える配線である。
【０５７９】
トランジスタＴｒｓｉｍ２の第２端子には、電位ＣＳＧが入力され、トランジスタＴｒｓｉｍ２のゲートには、電位ＧＷが入力される。電位ＧＷを昇圧してトランジスタＴｒｓｉｍ２を導通状態にして、電位ＣＳＧによって、ノードＮＦＧの電位を定める。ノードＮＦＧの電位を定めた後は、電位ＧＷを降圧してトランジスタＴｒｓｉｍ２を非導通状態にする。トランジスタＴｒｓｉｍ１の第１端子には、電位ＷＸが入力される。
【０５８０】
電流源回路ＣＩ２において、容量素子Ｃｓｉｍ２の第１端子は、トランジスタＴｒｓｉｍ１のゲートと電気的に接続され、容量素子Ｃｓｉｍ２の第２端子は、トランジスタＴｒｓｉｍ１の第１端子と電気的に接続されている。なお、上述したとおり、電流源回路ＣＩ２の有する他の素子の接続構成は、電流源回路ＣＩ１の接続構成の説明を参照する。
【０５８１】
特に、容量素子Ｃｓｉｍ２は、ノードＮＦＧとトランジスタＴｒｓｉｍ１の第１端子との間の電圧を保持する機能を有する。これにより、電位ＣＳＧ、及び電位ＧＷによって、ノードＮＦＧの電位を定めることで、ノードＮＦＧの電位を保持することができる。具体的には、電位ＧＷを昇圧してトランジスタＴｒｓｉｍ２を導通状態にして、電位ＣＳＧによってノードＮＦＧの電位を定めた後に、電位ＧＷを降圧してトランジスタＴｒｓｉｍ２を非導通状態にすればよい。
【０５８２】
上述した電流源回路ＣＩ１、及び電流源回路ＣＩ２において、電位ＷＸを変化することによって、トランジスタＴｒｓｉｍ１のソース−ドレイン電圧Ｖｄｓを変化することができる。ここで、ノードＮＦＧを一定の電位とし、トランジスタＴｒｓｉｍ１のソース−ドレイン電圧を変化することで、トランジスタＴｒｓｉｍ１のソース−ドレイン電流を算出することができる。つまり、トランジスタＴｒｓｉｍ１のソース−ドレイン電圧Ｖｄｓに対するソース−ドレイン電流Ｉｄｓの特性を得ることができる。本実施例では、ノードＮＦＧの電位をＶＧ１乃至ＶＧ８として、それぞれの場合に対して、トランジスタＴｒｓｉｍ１の電位ＷＸと電流Ｉｄｓの特性を求めた。
【０５８３】
なお、ＶＧ１は０Ｖとし、ＶＧ２は８Ｖとし、ＶＧ３は１０Ｖとし、ＶＧ４は１２Ｖとし、ＶＧ５は１４Ｖとし、ＶＧ６は１６Ｖとし、ＶＧ７は１８Ｖとし、ＶＧ８は２０Ｖとしている。
【０５８４】
図３９に、計算によって求めたトランジスタＴｒｓｉｍ１の電位ＷＸと電流Ｉｄｓの特性を示す。図３９（Ａ）は、電流源回路ＣＩ１のトランジスタＴｒｓｉｍ１におけるソース−ドレイン電圧Ｖｄｓに対するソース−ドレイン電流Ｉｄｓの特性であり、図３９（Ｂ）は、電流源回路ＣＩ２のトランジスタＴｒｓｉｍ１におけるソース−ドレイン電圧Ｖｄｓに対するソース−ドレイン電流Ｉｄｓの特性である。
【０５８５】
図３９（Ａ）及び（Ｂ）では、それぞれ電位ＷＸが低下するにつれて（ソース−ドレイン電圧Ｖｄｓが上昇するにつれて）、ソース−ドレイン電流Ｉｄｓが上昇しているのが確認できる。しかし、図３９（Ａ）では、電位ＷＸが低電位であるときでも（ソース−ドレイン電圧Ｖｄｓが大きいときでも）、特性の曲線の傾きの絶対値が大きくなっているため、電流源回路ＣＩ１の回路構成におけるトランジスタＴｒｓｉｍ１では、飽和特性が得られないことが分かる。図３９（Ｂ）では、電位ＷＸが低電位であるときに（ソース−ドレイン電圧Ｖｄｓが大きいときに）、特性の曲線の傾きの絶対値が小さくなっているため、電流源回路ＣＩ２の回路構成におけるトランジスタＴｒｓｉｍ１で、飽和特性が得られていることが分かる。
【０５８６】
ところで、上述の実施の形態において、定電流回路が有するトランジスタＴｒｓｉｍ１は、飽和領域で動作するのが好適である。換言すると、定電流回路は、電位ＷＸが変化しても、出力される電流値の変化が極力小さくなる構成とするのが好適である。
【０５８７】
そのため、本発明の一態様である半導体装置が有する定電流回路は、図３８（Ａ）の電流源回路ＣＩ１の構成でなく、図３８（Ｂ）の電流源回路ＣＩ２の構成とするのがよい。定電流回路に、電流源回路ＣＩ２を適用することによって、定電流回路は、電位ＷＸの値に依存せずに、定電流を出力することができる。
【０５８８】
また、本実施例は、本明細書に示す他の実施の形態と適宜組み合わせることができる。
【実施例２】
【０５８９】
本実施例では、ＯＳとしてインジウム、ガリウム、亜鉛のそれぞれを含む酸化物をチャネル形成領域に形成したＦＥＴを用いた積和演算回路について説明する。
【０５９０】
図４０に、当該トランジスタの断面ＴＥＭ画像を示す。トランジスタ５００は、基板５０１と、絶縁体５１１乃至絶縁体５１４と、導電体５２１と、導電体５２２ａと、導電体５２２ｂと、導電体５２３と、金属酸化物５４１と、を有する。なお、トランジスタ５００は、第１ゲートと、第２ゲートと、を有する。
【０５９１】
導電体５２１は、トランジスタ５００の第１ゲートとして機能し、基板５０１上に位置する。絶縁体５１１は、トランジスタ５００のゲート絶縁膜として機能し、基板５０１上と、導電体５２１上と、に位置する。金属酸化物５４１は、トランジスタ５００の半導体層として機能する。また、金属酸化物５４１は、金属酸化物５４１の一部の領域が導電体５２１と重畳するように、絶縁体５１１上に位置する。特に、導電体５２１と重畳する金属酸化物５４１の一部の領域を領域５５０ａと記載し、導電体５２１と重畳しない金属酸化物５４１の領域を領域５５０ｂ、領域５５０ｃと記載する。
【０５９２】
絶縁体５１２は、トランジスタ５００のゲート絶縁膜として機能し、導電体５２３と重畳するように、金属酸化物５４１上に有する。導電体５２３は、トランジスタ５００の第２ゲートとして機能する。また、導電体５２３は、導電体５２１と重畳する領域を有するように、絶縁体５１２上に位置する。絶縁体５１３は、導電体５２３上と、金属酸化物５４１の領域５５０ｂ上及び領域５５０ｃ上と、に位置する。絶縁体５１４は、絶縁体５１３上に有する。
【０５９３】
導電体５２２ａは、トランジスタ５００のソース又はドレインの一方として機能し、絶縁体５１４上と、絶縁体５１３上と、絶縁体５１２上と、金属酸化物５４１上に位置する。導電体５２２ｂは、トランジスタ５００のソース又はドレインの他方として機能し、絶縁体５１４上と、絶縁体５１３上と、絶縁体５１２上と、金属酸化物５４１上に位置する。なお、導電体５２２ａと、導電体５２２ｂと、は互いに電気的に接続されていない。
【０５９４】
ところで、領域５５０ｂ及び領域５５０ｃは、絶縁体５１３の成膜により低抵抗化された領域であり、領域５５０ａより導電性が高い領域となる。領域５５０ｂおよび領域５５０ｃは、絶縁体５１３の成膜雰囲気に含まれる、水素または窒素などの不純物元素が添加される。これにより、金属酸化物５４１の絶縁体５１３と接する領域を中心に、添加された不純物元素により酸素欠損が形成され、さらに当該不純物元素が酸素欠損に入り込むことで、キャリア密度が高くなり、低抵抗化される。
【０５９５】
なお、トランジスタ５００は、図４０に示すとおり、ソース又はドレインの一方として機能する導電体５２２ａと、ソース又はドレインの他方として機能する導電体５２２ｂと、は、第２ゲートとして機能する導電体５２３と重畳しないように位置しているため、トランジスタ５００の寄生容量は小さくなっている。したがって、チャネルエッチ構造などのトランジスタと比較して、良好な乗算特性と演算速度が期待される。
【０５９６】
図４１（Ａ）は、トランジスタ５００のドレイン−ソース間電流ＩＤＳ（及びドレイン−ソース間電流ＩＤＳの平方根）とゲート−ソース間電圧ＶＧＳの特性を示すグラフである。図４１（Ａ）のグラフは、ドレイン−ソース間電圧が４Ｖ、６Ｖ、８Ｖ、１０Ｖ、１２Ｖ、１４Ｖ、１６Ｖ、１８Ｖ、２０Ｖの場合をそれぞれ図示している。特に、条件Ｓａ１は、ドレイン−ソース間電圧が４Ｖとなっており、条件Ｓａ９は、ドレイン−ソース間電圧が２０Ｖとなっている。図４１（Ａ）に示すグラフより、トランジスタ５００において、オン電流とオフ電流の比は７桁以上、Ｓ値は１２０ｍＶ／ｄｅｃａｄｅと見積もることができる。
【０５９７】
図４１（Ｂ）は、トランジスタ５００のドレイン−ソース間電流ＩＤＳとドレイン−ソース電圧ＶＤＳの特性を示すグラフである。図４１（Ｂ）のグラフは、ゲート−ソース間電圧が４Ｖ（条件Ｓｂ１）、６Ｖ（条件Ｓｂ２）、８Ｖ（条件Ｓｂ３）、１０Ｖ（条件Ｓｂ４）、１２Ｖ（条件Ｓｂ５）、１４Ｖ（条件Ｓｂ６）、１６Ｖ（条件Ｓｂ７）、１８Ｖ（条件Ｓｂ８）、２０Ｖ（条件Ｓｂ９）の場合をそれぞれ図示している。
【０５９８】
図４２（Ａ）は、トランジスタ５００の周波数特性を示すグラフである。横軸は、搬送波の周波数を示し、縦軸は、トランジスタ５００のゲートへの入力信号と、トランジスタ５００のソース−ドレイン間に流れる信号との比を表している（図４２（Ａ）のグラフでは、｜Ｈ２１｜と表記している）。なお、実線ＳＬＤＬは、傾き２０ｄＢ／ｄｅｃａｄｅの直線を示し、丸点のマーカーＭＳＲは、実測値を示している。
【０５９９】
図４２（Ｂ）は、トランジスタ５００におけるオフ電流の温度依存性を示すグラフである。横軸は、１０００／Ｔ［１／Ｋ］を示し、縦軸は、オフ電流を示しており、測定結果がプロットされている。図４２（Ｂ）より、室温におけるトランジスタ５００のオフ電流は、１．０×１０−２２Ａと見積もることができる。
【０６００】
図４２（Ｃ）は、トランジスタ５００における１／ｆノイズ特性を示している。
【０６０１】
図４３（Ａ）は、トランジスタ５００を有する積和演算回路の構成を示す。積和演算回路６００は、アナログメモリに相当するメモリセル６０１と、電流源回路ＩＳ１と、電流源回路ＩＳ２と、回路ＩＳｏｆｆと、を有する。
【０６０２】
配線ＷＴＬ［１］は、１列目のメモリセル６０１と電気的に接続され、配線ＷＴＬ［２］は、２列目のメモリセル６０１と電気的に接続されている。配線ＷＸＬ［１］は、１行目のメモリセル６０１と電気的に接続され、配線ＷＸＬ［２］は、２行目のメモリセル６０１と電気的に接続され、配線ＷＸＬ［３］は、３行目のメモリセル６０１と電気的に接続され、配線ＷＸＬ［４］は、４行目のメモリセル６０１と電気的に接続されている。
【０６０３】
電流源回路ＩＳ１は、配線ＷＹＬ［１］と電気的に接続され、電流源回路ＩＳ２は、配線ＷＹＬ［２］と電気的に接続されている。配線ＷＹＬ［１］は、１列目のメモリセル６０１と電気的に接続され、配線ＷＹＬ［２］は、２列目のメモリセル６０１と電気的に接続されている。回路ＩＳｏｆｆは、配線ＷＹＬ［１］と電気的に接続されている。
【０６０４】
次に、メモリセル６０１の構成を図４３（Ｂ）に示す。メモリセル６０１は、トランジスタＭＯ１と、トランジスタＭＯ２と、容量素子ＣＮと、を有する。
【０６０５】
特に、上述のトランジスタ５００は、図４３（Ｂ）に図示しているトランジスタＭＯ１に適用している。また、トランジスタＭＯ１、及びトランジスタＭＯ２のチャネル長は共に１０μｍ、チャネル幅は１０μｍとしている。
【０６０６】
また、容量素子ＣＮの静電容量は、１００ｆＦである。
【０６０７】
トランジスタＭＯ１の第１端子は、配線ＷＴＬと電気的に接続され、トランジスタＭＯ１のゲートは、配線ＲＯＬと電気的に接続され、トランジスタＭＯ１の第２端子は、トランジスタＭＯ２のゲートと電気的に接続されている。トランジスタＭＯ２の第１端子は、配線ＷＹＬと電気的に接続され、トランジスタＭＯ２の第２端子は、一定電位を与える配線と電気的に接続されている。容量素子ＣＮの第１端子は、トランジスタＭＯ２のゲートと電気的に接続され、容量素子ＣＮの第２端子は、配線ＷＸＬと電気的に接続されている。なお、トランジスタＭＯ１の第２端子と、トランジスタＭＯ２のゲートと、容量素子ＣＮの第１端子との接続箇所をノードＦＮとする。
【０６０８】
メモリセル６０１は、トランジスタＭＯ１のスイッチングによって、ノードＦＮにアナログデータを格納することができる。また、トランジスタＭＯ１のオフ電流は、非常に小さいため、ノードＦＮに保持するアナログデータはほとんど劣化しない。
【０６０９】
配線ＷＴＬは、配線ＷＴＬ［１］又は配線ＷＴＬ［２］のどちらか一方の配線であり、配線ＷＸＬは、配線ＷＸＬ［１］乃至配線ＷＸＬ［４］のいずれか一の配線であり、配線ＷＹＬは、配線ＷＹＬ［１］又は配線ＷＹＬ［２］のどちらか一方の配線である。なお、メモリセル６０１が有するトランジスタＭＯ１を導通状態、非導通状態は、配線ＲＯＬが与える電位によって切り替えることができる。
【０６１０】
図４３（Ａ）に示す積和演算回路の動作については、実施の形態１の半導体装置１００の動作例の説明を参酌する。なお、電流源回路ＩＳ１の出力端子から流れる電流は、電流源回路ＩＳ２の出力端子から流れる電流と概ね等しいものとする。また、回路ＩＳｏｆｆは、配線ＷＸＬに基準電位が印加されたときに配線ＷＹＬに流れる電流と、配線ＷＸＬに基準電位以外の電位が印加されたときに配線ＷＹＬに流れる電流と、の差分電流が流れる回路である。
【０６１１】
図４４（Ａ）は、図４３（Ｂ）のメモリセル６０１において、ノードＦＮに格納した電位Ｗと、配線ＷＸＬに印加された電位Ｘと、に応じた、電流Ｗ＊Ｘの変化を示している。なお、電流Ｗ＊Ｘという表記は、式（Ｅ９）のΔＩＢ［ｊ］に相当し、電流Ｗ＊Ｘに定数である２ｋが含まれているものとする。また、電流Ｗ＊Ｘは、式（Ｅ９）において１列に有するメモリセル数を１として、算出されている。なお、図４４（Ａ）は、電位Ｘが、−４．０Ｖ、−３．６Ｖ、−３．２Ｖ、−２．８Ｖ、−２．４Ｖ、−２．０Ｖ、−１．６Ｖ、−１．２Ｖ、−０．８Ｖ、−０．４Ｖ、−０Ｖ、０．４Ｖ、０．８Ｖ、１．２Ｖ、１．６Ｖ、２．０Ｖ、２．４Ｖ、２．８Ｖ、３．２Ｖ、３．６Ｖ、４．０Ｖの場合を図示している。特に、条件Ｓｃ１は電位Ｘが４．０Ｖ、条件Ｓｃ６は電位Ｘが２．０Ｖ、条件Ｓｃ１１は電位Ｘが０Ｖ、条件Ｓｃ１６は電位Ｘが−２．０Ｖ、条件Ｓｃ２１は電位Ｘが−４．０Ｖを示している。
【０６１２】
図４４（Ｂ）は、周波数応答特性を示したグラフである。条件Ｍｅａｓは、試作したメモリセル６０１の周波数応答特性を示している。但し、条件Ｍｅａｓは、作製したメモリセル６０１のＴＥＧ（Ｔｅｓｔ  Ｅｌｅｍｅｎｔ  Ｇｒｏｕｐ）の出力パッドの寄生容量の影響を受けている。そのため、図４４（Ｂ）には、ＳＰＩＣＥを用いたシミュレーションを用いて、寄生容量を変更した場合の結果も示している。条件Ｓｄ１は当該寄生容量を０．１ｐＦとし、条件Ｓｄ２は当該寄生容量を１ｐＦとし、条件Ｓｄ３は当該寄生容量を３ｐＦとしている。
【０６１３】
図４４（Ｃ）は、１ｋＨｚ入力時におけるＴｏｔａｌ  Ｈａｒｍｏｎｉｃ  Ｄｉｓｔｏｒｔｉｏｎを示している。
【０６１４】
ここで、図４３（Ａ）に示す積和演算回路６００をニューラルネットワークに利用したとき、機械学習が可能か否かを確かめるため、次に記載する検証を行った。
【０６１５】
図４５（Ａ）に示すシステムを構成し、記号のカテゴリ認識を行った。当該記号は、列方向に６ドット、行方向に６ドットで表現される”Ａ”、”Ｂ”、”Ｃ”、”Ｄ”の４種類とする。なお、当該記号は、入力画像ＩＮＩとして、ニューラルネットワークの入力データとして扱われる。また、図４５（Ａ）では、入力画像ＩＮＩに対してラベル付けされた結果を、出力結果ＯＣＬと図示している。
【０６１６】
当該ニューラルネットワークは、入力層ＩＮＬと、隠れ層ＨＩＬと、を有する。なお、図４５（Ａ）は、出力層を図示していない。また、当該ニューラルネットワークから出力された出力データは、記号毎に分類されて、それぞれの記号の個数をカウントする。
【０６１７】
入力層ＩＮＬと、隠れ層ＨＩＬと、はそれぞれ積和演算回路６１０を有する。積和演算回路６１０は、メモリセルアレイ６１１と、参照セル６１２と、オフセット回路６１３と、活性化関数回路６１４と、を有する。
【０６１８】
メモリセルアレイ６１１は、図４３に示す積和演算回路６００の配線ＷＹＬ［１］と電気的に接続されている複数のメモリセル６０１に相当する。又は、メモリセルアレイ６１１は、実施の形態１で説明したメモリセルアレイ１２０のメモリセルＡＭ［１，１］乃至メモリセルＡＭ［ｍ，ｎ］に相当する。
【０６１９】
参照セル６１２は、図４３に示す積和演算回路６００の配線ＷＹＬ［２］と電気的に接続されている複数のメモリセル６０１に相当する。又は、参照セル６１２は、実施の形態１で説明したメモリセルアレイ１２０のメモリセルＡＭｒｅｆ［１］乃至メモリセルＡＭｒｅｆ［ｍ］に相当する。
【０６２０】
オフセット回路６１３は、電流源回路ＩＳ１と、電流源回路ＩＳ２と、回路ＩＳｏｆｆとを有する。又は、オフセット回路６１３は、実施の形態１で説明したオフセット回路１１０に相当する。
【０６２１】
活性化関数回路６１４は、オフセット回路６１３で取得した積和の値を、活性化関数に代入して、活性化関数の値を出力する回路である。
【０６２２】
積和演算回路６１０は、メモリセルアレイ６１１の各メモリセルに重み係数（Ｗ）を保持し、且つメモリセルアレイ６１１及び参照セル６１２に、前層からの出力データが入力される。なお、積和演算回路６１０が入力層ＩＮＬに含まれている場合、当該出力データは画像データＩＮＩとし、積和演算回路６１０が隠れ層ＨＩＬに含まれている場合、当該出力データはＸとなる。
【０６２３】
積和演算回路６１０は、当該出力データと重み係数との積和演算を行い、オフセット回路６１３によって、その演算結果を取得する。そして、当該演算結果は、活性化関数回路６１４に送られ、活性化関数の演算が行われる。活性化関数の演算結果は、次の層に送信される。
【０６２４】
図４５（Ａ）（Ｂ）に示したニューラルネットワークの構成で、記号のカテゴリ認識を行った。
【０６２５】
なお、本検証は、積和演算の精度を変更した場合に、重み係数の様々な初期値に対する学習成功率の取得を試みている。なお、初期値は乱数で与えるものとし、学習成功率は、学習により正解を返すことができる値に重み係数が収束した割合と定義するものとする。
【０６２６】
図４６に、検証結果のグラフを示す。当該グラフの横軸はビット精度を表し、縦軸は、学習成功率を表している。図４６より、ビット精度が５ビット程度あれば、記号の認識が可能であることが分かる。また、積和演算効率０．３ＧＯｐ／Ｓ／Ｗであり、高い電力効率であることがわかる。
【０６２７】
また、本実施例は、本明細書に示す他の実施の形態と適宜組み合わせることができる。
【符号の説明】
【０６２８】
ＯＵＴ［１］    列出力回路
ＯＵＴ［ｊ］    列出力回路
ＯＵＴ［ｊ＋１］    列出力回路
ＯＵＴ［ｎ］    列出力回路
Ｃｒｅｆ    参照列出力回路
ＯＴ［１］    出力端子
ＯＴ［ｊ］    出力端子
ＯＴ［ｊ＋１］    出力端子
ＯＴ［ｎ］    出力端子
ＯＴｒｅｆ    出力端子
ＡＭ［１，１］    メモリセル
ＡＭ［ｉ，１］    メモリセル
ＡＭ［ｍ，１］    メモリセル
ＡＭ［１，ｊ］    メモリセル
ＡＭ［ｉ，ｊ］    メモリセル
ＡＭ［ｉ＋１，ｊ］    メモリセル
ＡＭ［ｉ，ｊ＋１］    メモリセル
ＡＭ［ｉ＋１，ｊ＋１］    メモリセル
ＡＭ［ｍ，ｊ］    メモリセル
ＡＭ［１，ｎ］    メモリセル
ＡＭ［ｉ，ｎ］    メモリセル
ＡＭ［ｍ，ｎ］    メモリセル
ＡＭｒｅｆ［１］    メモリセル
ＡＭｒｅｆ［ｉ］    メモリセル
ＡＭｒｅｆ［ｍ］    メモリセル
ＷＤｒｅｆ    配線
ＶＲ    配線
Ｂ［１］    配線
Ｂ［ｊ］    配線
Ｂ［ｊ＋１］    配線
Ｂ［ｎ］    配線
Ｂｒｅｆ    配線
ＯＲＰ    配線
ＯＳＰ    配線
ＣＩ    定電流回路
ＣＩｒｅｆ    定電流回路
ＣＭ    カレントミラー回路
ＩＬ［１］    配線
ＩＬ［ｊ］    配線
ＩＬ［ｊ＋１］    配線
ＩＬ［ｎ］    配線
ＩＬｒｅｆ    配線
ＯＬ［１］    配線
ＯＬ［ｊ］    配線
ＯＬ［ｎ］    配線
ＯＬｒｅｆ    配線
ＦＧＡ［１］    配線
ＦＧＡ［ｊ］    配線
ＦＧＡ［ｊ＋１］    配線
ＦＧＡ［ｎ］    配線
ＦＧＡｒｅｆ    配線
ＦＧＢ［１］    配線
ＦＧＢ［ｊ］    配線
ＦＧＢ［ｊ＋１］    配線
ＦＧＢ［ｎ］    配線
ＦＧＢｒｅｆ    配線
ＢＧＡ［１］    配線
ＢＧＡ［ｊ］    配線
ＢＧＡ［ｎ］    配線
ＢＧＡｒｅｆ    配線
ＢＧＢ［１］    配線
ＢＧＢ［ｊ］    配線
ＢＧＢ［ｎ］    配線
ＢＧＢｒｅｆ    配線
ＢＧ［１］    配線
ＢＧ［ｊ］    配線
ＢＧ［ｎ］    配線
ＢＧｒｅｆ    配線
ＦＧ［１］    配線
ＦＧ［ｊ］    配線
ＦＧ［ｎ］    配線
ＦＧｒｅｆ    配線
ＶＤＤＬ    配線
ＶＳＳＬ    配線
ＷＤ［１］    配線
ＷＤ［ｊ］    配線
ＷＤ［ｊ＋１］    配線
ＷＤ［ｎ］    配線
ＲＷ［１］    配線
ＲＷ［ｉ］    配線
ＲＷ［ｉ＋１］    配線
ＲＷ［ｍ］    配線
ＷＷ［１］    配線
ＷＷ［ｉ］    配線
ＷＷ［ｉ＋１］    配線
ＷＷ［ｍ］    配線
ＣＴ１    端子
ＣＴ２    端子
ＣＴ３    端子
ＣＴ４    端子
ＣＴ５［１］    端子
ＣＴ５［ｊ］    端子
ＣＴ５［ｊ＋１］    端子
ＣＴ５［ｎ］    端子
ＣＴ６［１］    端子
ＣＴ６［ｊ］    端子
ＣＴ６［ｊ＋１］    端子
ＣＴ６［ｎ］    端子
ＣＴ７    端子
ＣＴ８    端子
Ｔｒ１    トランジスタ
Ｔｒ２    トランジスタ
Ｔｒ３    トランジスタ
Ｔｒ４    トランジスタ
Ｔｒ５    トランジスタ
Ｔｒ６    トランジスタ
Ｔｒ７    トランジスタ
Ｔｒ８    トランジスタ
Ｔｒ９    トランジスタ
Ｔｒ１１    トランジスタ
Ｔｒ１２    トランジスタ
Ｔｒ８１    トランジスタ
Ｔｒ８２    トランジスタ
Ｔｒ９１    トランジスタ
Ｔｒ９２    トランジスタ
Ｃ１    容量素子
Ｃ２    容量素子
Ｃ３    容量素子
Ｃ４    容量素子
Ｃ３１    容量素子
Ｃ３２    容量素子
Ｃ４１    容量素子
Ｃ４２    容量素子
ＮＣＭｒｅｆ    ノード
Ｎ［１，１］    ノード
Ｎ［ｉ，１］    ノード
Ｎ［ｍ，１］    ノード
Ｎ［１，ｊ］    ノード
Ｎ［ｉ，ｊ］    ノード
Ｎ［ｉ＋１，ｊ］    ノード
Ｎ［ｉ，ｊ＋１］    ノード
Ｎ［ｉ＋１，ｊ＋１］    ノード
Ｎ［ｍ，ｊ］    ノード
Ｎ［１，ｎ］    ノード
Ｎ［ｉ，ｎ］    ノード
Ｎ［ｍ，ｎ］    ノード
ＳＰＴ［１］    出力端子
ＳＰＴ［ｊ］    出力端子
ＳＰＴ［ｊ＋１］    出力端子
ＳＰＴ［ｎ］    出力端子
ＳＬ    信号線
ＧＬ    ゲート線
ＤＬ    信号線
ＧＬ２    ゲート線
ＡＬ    電流供給線
Ｍ    トランジスタ
Ｍ１    トランジスタ
Ｍ２    トランジスタ
Ｍ３    トランジスタ
ＣｓＬＣ    容量素子
ＣｓＥＬ    容量素子
ＣＴαβ    容量素子
ＤＲＬ    配線
ＳＮＬ    配線
ＣＩ１    電流源回路
ＣＩ２    電流源回路
ＧＷ    電位
ＣＳＧ    電位
ＷＸ    電位
Ｔｒｓｉｍ１    トランジスタ
Ｔｒｓｉｍ２    トランジスタ
Ｃｓｉｍ１    容量素子
Ｃｓｉｍ２    容量素子
ＧＮＤＬ    配線
ＮＦＧ    ノード
ＣＮＤ１    状態
ＣＮＤ２    状態
ＣＮＤ３    状態
ＷＴＬ［１］    配線
ＷＴＬ［２］    配線
ＷＸＬ［１］    配線
ＷＸＬ［２］    配線
ＷＸＬ［３］    配線
ＷＸＬ［４］    配線
ＷＹＬ［１］    配線
ＷＹＬ［２］    配線
ＲＯＬ    配線
ＩＳ１    電流源回路
ＩＳ２    電流源回路
ＩＳｏｆｆ    回路
ＭＯ１    トランジスタ
ＭＯ２    トランジスタ
ＣＮ    容量素子
ＦＮ    ノード
１００    半導体装置
１１０    オフセット回路
１１１    オフセット回路
１１２    オフセット回路
１１２Ａ    オフセット回路
１１３    オフセット回路
１１５    オフセット回路
１１５Ａ    オフセット回路
１１６    オフセット回路
１１６Ａ    オフセット回路
１２０    メモリセルアレイ
１２１    メモリセルアレイ
１５０    オフセット回路
１５０Ａ    オフセット回路
１６０    メモリセルアレイ
２０１    第１表示素子
２０２    第２表示素子
２０３    開口部
２０４    反射光
２０５    透過光
２０６    画素回路
２０７    画素回路
２１０    表示装置
２１４    表示部
２１６    回路
２１８    配線
２２０    ＩＣ
２２２    ＦＰＣ
３００    タッチセンサユニット
３０１    基材
３０２    センサアレイ
３１１    ＴＳドライバＩＣ
３１２    センス回路
３１３    ＦＰＣ
３１４    ＦＰＣ
３１５    周辺回路
３２０    接続部
３２１    接続部
３３１    配線
３３２    配線
３３３    配線
３３４    配線
４１１    回路
４１３    回路
４１４    回路
４１５    回路
５００    トランジスタ
５０１    基板
５１１    絶縁体
５１２    絶縁体
５１３    絶縁体
５１４    絶縁体
５２１    導電体
５２２ａ    導電体
５２２ｂ    導電体
５２３    導電体
５４１    金属酸化物
５５０ａ    領域
５５０ｂ    領域
５５０ｃ    領域
６００    積和演算回路
６０１    メモリセル
６１０    積和演算回路
６１１    メモリセルアレイ
６１２    参照セル
６１３    オフセット回路
６１４    活性化関数回路
１２００Ａ    トランジスタ
１２００Ｂ    トランジスタ
１２００Ｃ    トランジスタ
１２０５    導電体
１２０５ａ    導電体
１２０５ｂ    導電体
１２１４    絶縁体
１２１６    絶縁体
１２２０    絶縁体
１２２２    絶縁体
１２２４    絶縁体
１２３０    酸化物
１２３０ａ    酸化物
１２３０ｂ    酸化物
１２３０ｃ    酸化物
１２３０ｄ    酸化物
１２４０ａ    導電体
１２４０ｂ    導電体
１２５０    絶縁体
１２６０    導電体
１２８０    絶縁体
１２８２    絶縁体
１２８５    絶縁体
１２８６    絶縁体
２０１０    第１ユニット
２０２０    第２ユニット
２０３０    入力ユニット
２５０１Ｃ    絶縁膜
２５０５    接合層
２５１２Ｂ    導電膜
２５２０    機能層
２５２１    絶縁膜
２５２１Ａ    絶縁膜
２５２１Ｂ    絶縁膜
２５２２    接続部
２５２８    絶縁膜
２５５０    第２表示素子
２５５０（ｉ，ｊ）    第２表示素子
２５５１    電極
２５５２    電極
２５５３    発光性の材料を含む層
２５６０    光学素子
２５６５    被覆膜
２５７０    基板
２５８０    レンズ
２５９１Ａ    開口部
２７００ＴＰ３    入出力パネル
２７０２（ｉ，ｊ）    画素
２７２０    機能層
２７５０    第１表示素子
２７５１    電極
２７５１Ｈ    領域
２７５２    電極
２７５３    液晶材料を含む層
２７７０    基板
２７７０Ｄ    機能膜
２７７０Ｐ    機能膜
２７７０ＰＡ    位相差フィルム
２７７０ＰＢ    偏光層
２７７１    絶縁膜
５２００    情報端末
５２２１    筐体
５２２２    表示部
５２２３    操作ボタン
５２２４    スピーカ
５３００    情報端末
５３２１ａ    筐体
５３２１ｂ    筐体
５３２１ｃ    ヒンジ部
５３２２    表示部
５３２３    操作ボタン
５３２４    スピーカ
５４３１    筐体
５４３２    表示部
５４３３    掌紋読み取り部
５４３４    配線
５４３５    手
５５０１    筐体
５５０２    表示部
５５０３    マイク
５５０４    スピーカ
５５０５    操作ボタン
５８０１    第１筐体
５８０２    第２筐体
５８０３    表示部
５８０４    操作キー
５８０５    レンズ
５８０６    接続部
６５６０    ＴＶ
６５６１    放送局
６５６２    人工衛星
６５６３    電波塔
６５６４    アンテナ
６５６５    アンテナ
６５６６Ａ    電波
６５６６Ｂ    電波
６５６７Ａ    電波
６５６７Ｂ    電波
６６００    救急車
６６０１    医療機関
６６０２    医療機関
６６０５    高速ネットワーク
６６１０    カメラ
６６１１    エンコーダ
６６１２    通信装置
６６１５    映像データ
６６１６    映像データ
６６２０    通信装置
６６２１    デコーダ
６６２２    サーバ
６６２３    表示装置
【図１】
2018124977.tif 000023
【図２】
2018124977.tif 000024
【図３】
2018124977.tif 000025
【図４】
2018124977.tif 000026
【図５】
2018124977.tif 000027
【図６】
2018124977.tif 000028
【図７】
2018124977.tif 000029
【図８】
2018124977.tif 000030
【図９】
2018124977.tif 000031
【図１０】
2018124977.tif 000032
【図１１】
2018124977.tif 000033
【図１２】
2018124977.tif 000034
【図１３】
2018124977.tif 000035
【図１４】
2018124977.tif 000036
【図１５】
2018124977.tif 000037
【図１６】
2018124977.tif 000038
【図１７】
2018124977.tif 000039
【図１８】
2018124977.tif 000040
【図１９】
2018124977.tif 000041
【図２０】
2018124977.tif 000042
【図２１】
2018124977.tif 000043
【図２２】
2018124977.tif 000044
【図２３】
2018124977.tif 000045
【図２４】
2018124977.tif 000046
【図２５】
2018124977.tif 000047
【図２６】
2018124977.tif 000048
【図２７】
2018124977.tif 000049
【図２８】
2018124977.tif 000050
【図２９】
2018124977.tif 000051
【図３０】
2018124977.tif 000052
【図３１】
2018124977.tif 000053
【図３２】
2018124977.tif 000054
【図３３】
2018124977.tif 000055
【図３４】
2018124977.tif 000056
【図３５】
2018124977.tif 000057
【図３６】
2018124977.tif 000058
【図３７】
2018124977.tif 000059
【図３８】
2018124977.tif 000060
【図３９】
2018124977.tif 000061
【図４０】
2018124977.tif 000062
【図４１】
2018124977.tif 000063
【図４２】
2018124977.tif 000064
【図４３】
2018124977.tif 000065
【図４４】
2018124977.tif 000066
【図４５】
2018124977.tif 000067
【図４６】
2018124977.tif 000068